(57)【要約】【課題】優れたキャッピング機構を提供する。【解決手段】印字ヘッドの長さに実質的に対応する長さを有し、ノズルをキャップする係合状態で印字ヘッドと接触するように構成されたキャッピング部材（２９）と、キャッピング部材を支持するピボット式キャリア（３０）とを有する印字ヘッド用のキャッピング機構（２１）。作動機構（３１）が設けられ、キャッピング部材が印字ヘッドに関して離れて置かれる第１位置と、キャッピング部材が印字ヘッドに接触して置かれる第２位置との間で往復するキャリアのピボット移動をもたらすように配置される。キャッピング部材は、キャリアにピボット式に取り付けられ、推移位置と第２位置との間のキャリアの往復する推移的移動中にキャリアに対して相対的にピボット回転するように配置され、推移位置は、第１位置および第２位置の中間に置かれる。【選択図】図６
2008522861.tif 000002
【特許請求の範囲】
【請求項１】
使用中に印字ヘッドを過ぎて輸送される印刷媒体にインクを配送するように配置された複数のノズルを有する前記印字ヘッド用のキャッピング機構であって、
ａ）ノズルをキャップする係合状態で前記印字ヘッドに接触するように構成されたキャッピング部材と、
ｂ）前記キャッピング部材を支持するキャリアと、
ｃ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれる
キャッピング機構。
【請求項２】
使用中に印字ヘッドを過ぎて輸送される印刷媒体にインクを配送するように配置された複数のノズルを有する前記印字ヘッドをキャップする方法であって、
ｉ）キャリアおよび前記キャリアによって担持されるキャッピング部材の、前記印字ヘッドから離れた第１位置から前記キャッピング部材が前記印字ヘッドとのノズルをキャップする係合状態に移動される第２位置への移動をもたらすステップと、
ｉｉ）前記キャリアおよび前記キャッピング部材を前記第１位置から前記第２位置への移動中に推移位置にわたって移動するステップと、
ｉｉｉ）前記推移位置と前記第２位置との間で前記キャリアによって行われる推移移動中に、前記キャリアに対する相対的な前記キャッピング部材のピボット回転移動をもたらすステップと
を含む方法。
【請求項３】
前記キャリアによって行われる前記推移移動が、前記第１位置と前記第２位置との間で前記キャリアによって行われる前記移動に対して相対的に小さい、請求項２に記載の方法。
【請求項４】
ページ幅印字ヘッドに沿って置かれ、使用中に前記ページ幅印字ヘッドを過ぎて輸送される印刷媒体にインクを配送するように配置された複数のノズルを有する前記ページ幅印字ヘッド用のキャッピング機構であって、
ａ）前記ページ幅印字ヘッドの長さに対応する長さを有し、ノズルをキャップする係合状態で前記ページ幅印字ヘッドに接触するように構成されたキャッピング部材と、
ｂ）前記キャッピング部材を支持するキャリアと、
ｃ）前記キャッピング部材が前記ページ幅印字ヘッドに対して離れて置かれる第１位置と前記キャッピング部材が前記ページ幅印字ヘッドに接触して置かれる第２位置との間で往復する前記キャリアの移動をもたらすように配置された作動機構と
を備え、
前記キャッピング部材は、前記キャリアにピボット式に取り付けられ、
前記第１位置と前記第２位置の間に位置する推移位置と、前記第２位置との間を、前記キャリアが往復移動する移動中に、該キャッピング部材は、前記キャリアに対し相対的にピボット回転するように配置されている、
キャッピング機構。
【請求項５】
前記作動機構が、キャッピング動作中に前記第１位置と前記第２位置との間でピボット式に前記キャリアを移動させるように配置される、請求項４に記載のキャッピング機構。
【請求項６】
前記キャリアが、第１ピボット軸を有するピボット要素によって支持体にピボット式に取り付けられ、
前記キャッピング部材が、
前記第１ピボット軸に平行に置かれ前記第１ピボット軸から間隔をおかれた第２ピボット軸、を有するピボット回転配置によって前記キャリアにピボット式に取り付けられる、請求項５に記載のキャッピング機構。
【請求項７】
前記キャッピング部材が、前記第２ピボット軸から半径方向に変位されたキャッピング要素を有し、前記キャッピング要素の前記第２ピボット軸からの前記半径方向の変位が、前記第１ピボット軸と前記第２ピボット軸との間隔に対し相対的に小さい、請求項６に記載のキャッピング機構。
【請求項８】
前記第１ピボット軸と前記第２ピボット軸との前記間隔が、前記第２ピボット軸からの前記キャッピング要素の前記半径方向の変位の３倍である、請求項７に記載のキャッピング機構。
【請求項９】
前記推移位置が、前記第１位置と前記第２位置との間隔に対し相対的に小さい距離だけ、前記第２位置から離隔している、請求項５に記載のキャッピング機構。
【請求項１０】
前記第１位置と前記第２位置との間の前記キャリアの総ピボット移動に対する前記キャリアの推移的ピボット移動の比率が、１：１２から１：２０までの範囲内にある、請求項９に記載のキャッピング機構。
【請求項１１】
前記キャッピング要素が、堅いチャネル形状の要素を備える、請求項７に記載のキャッピング機構。
【請求項１２】
前記キャッピング要素が、エラストマ材料から形成されたリップを含む、請求項７に記載のキャッピング機構。
【請求項１３】
前記キャッピング要素が、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項１１に記載のキャッピング機構。
【請求項１４】
前記キャッピング要素が、エラストマ材料から形成されたリップを含み、
前記リップが、前記キャッピング部材が前記第２位置にある時に印字ヘッドノズルの周辺に置かれるように構成され、前記リップが、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項１１に記載のキャッピング機構。
【請求項１５】
前記キャッピング部材には、
前記ページ幅印字ヘッドに接触し、これによって前記キャリアが前記推移位置から前記第２位置への推移的移動を行う時に前記キャリアに対する相対的な前記キャッピング部材のピボット回転をもたらすように配置された少なくとも１つの第１止め部材
が設けられる、請求項５に記載のキャッピング機構。
【請求項１６】
前記キャッピング部材には、
前記キャリアに接触し、これによって前記キャリアが前記推移位置から前記第１位置へ移動する時に前記キャリアに対する相対的な前記キャップ部材のピボット回転を防ぐように配置された少なくとも１つの第２止め部材
が設けられる、請求項５に記載のキャッピング機構。
【請求項１７】
前記キャッピング部材が、前記キャリアの末端エッジ部分に沿って延びるピボットシャフトによって前記キャリアにピボット式に取り付けられる、請求項６に記載のキャッピング機構。
【請求項１８】
バイアシングデバイスが、前記キャッピング部材に取り付けられ、前記ページ幅印字ヘッドとの間でノズルをキャップする係合状態から離れる方向に前記キャッピング部材を偏らせる形で、前記キャリアと係合している、請求項６に記載のキャッピング機構。
【請求項１９】
前記バイアシングデバイスが、ねじりばねを備える、請求項１８に記載のキャッピング機構。
【請求項２０】
前記キャリアが、前記印字ヘッドに取り付けられた離隔された鏡板によって前記支持体に取り付けられる、請求項６に記載のキャッピング機構。
【請求項２１】
前記作動機構が、前記キャリアに結合された、クランクおよび動き変換機構によって前記キャリアにピボット回転する動きを与えるように配置された電気モーターを備える、請求項５に記載のキャッピング機構。
【請求項２２】
少なくとも１つの迫台が、前記印字ヘッドに隣接して置かれ、前記キャリアが前記第１位置に接近する時に前記キャッピング部材のピボット回転をもたらすように機能し、これによって、前記キャッピング部材が、印刷媒体供給経路から離れて移動される、請求項５に記載のキャッピング機構。
【請求項２３】
前記キャッピング部材のキャッピング要素部分が、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項２２に記載のキャッピング機構。
【請求項２４】
前記キャッピング機構および前記印字ヘッドが、インクジェットプリンタ内で動作するように配置される、請求項１に記載のキャッピング機構。
【請求項２５】
前記キャッピング機構が、前記キャッピング機構が前記印字ヘッドと係合していないインターバル中に前記キャッピング機構と係合するように配置されたカバリング部材を備えるキャッピング機構プロテクタとの機能的係合のために構成される、請求項１に記載のキャッピング機構。
【請求項２６】
ａ）前記キャッピング機構が、前記キャッピング機構が前記印字ヘッドと係合していないインターバル中に前記キャッピング機構と係合するように配置されたカバリング部材を備えるキャッピング機構プロテクタとの機能的係合のために構成され、
ｂ）前記キャッピング機構、前記キャッピング機構プロテクタ、および前記印字ヘッドが、インクジェットプリンタ内で動作するように配置される
請求項１に記載のキャッピング機構。
【請求項２７】
ａ）使用中に印字ヘッドを過ぎて輸送される印刷媒体にインクを配送するように配置された複数のノズルを有する印字ヘッドと、
ｂ）前記印字ヘッド用のキャッピング機構であって、
ｉ）ノズルをキャップする係合状態で前記印字ヘッドに接触するように構成されたキャッピング部材と、
ｉｉ）前記キャッピング部材を支持するキャリアと、
ｉｉｉ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を具備し、前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれる、キャッピング機構と
を備えるインクジェットプリンタ。
【請求項２８】
ａ）印字ヘッドに沿って置かれ、使用中に前記印字ヘッドを過ぎて輸送される印刷媒体にインクを配送するように配置された複数のノズルを有するページ幅印字ヘッドと、
ｂ）前記印字ヘッド用のキャッピング機構であって、
ｉ）前記印字ヘッドの長さに実質的に対応する長さを有し、ノズルをキャップする係合状態で前記印字ヘッドに接触するように構成されたキャッピング部材と、
ｉｉ）前記キャッピング部材を支持するキャリアと、
ｉｉｉ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を具備し、前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれる、キャッピング機構と
を備えるインクジェットプリンタ。
【請求項２９】
前記作動機構が、前記キャリアをキャッピング動作中に前記第１位置と前記第２位置との間でピボット式に移動するように配置される、請求項２８に記載のプリンタ。
【請求項３０】
前記キャリアが、第１ピボット軸を有するピボット要素によって支持体にピボット式に取り付けられ、前記キャッピング部材が、前記第１ピボット軸に平行に置かれ前記第１ピボット軸から間隔をおかれた第２ピボット軸を有するピボット回転配置によって前記キャリアにピボット式に取り付けられる、請求項２９に記載のプリンタ。
【請求項３１】
前記キャッピング部材が、前記第２ピボット軸から半径方向に変位されたキャッピング要素を有し、前記キャッピング要素の前記第２ピボット軸からの前記半径方向変位が、前記第１ピボット軸と前記第２ピボット軸との間の間隔に対して相対的に小さい、請求項３０に記載のプリンタ。
【請求項３２】
前記第１ピボット軸と前記第２ピボット軸との間の前記間隔が、前記第２ピボット軸からの前記キャッピング要素の前記半径方向変位の３倍程度である、請求項３１に記載のプリンタ。
【請求項３３】
前記推移位置が、前記第２位置から、前記第１位置と前記第２位置との間の距離に対して相対的に小さい距離に置かれる、請求項２９に記載のプリンタ。
【請求項３４】
前記第１位置と前記第２位置との間の前記キャリアの総ピボット移動に対する前記キャリアの推移的ピボット移動の比率が、１：１２から１：２０までの範囲内にある、請求項３３に記載のプリンタ。
【請求項３５】
前記キャッピング要素が、実質的に堅いチャネル形要素を備える、請求項３１に記載のプリンタ。
【請求項３６】
前記キャッピング要素が、エラストマ材料から形成されたリップを組み込む、請求項３１に記載のプリンタ。
【請求項３７】
前記キャッピング要素が、前記キャリアが前記第１位置に置かれている時に前記キャリアの正面部分と係合するように配置され、これによって、前記キャッピング要素のチャネル部分が、含まれる湿気の消失および汚染材料の進入に対して効果的に閉じられる、請求項３５に記載のプリンタ。
【請求項３８】
前記キャッピング要素が、エラストマ材料から形成されたリップを組み込み、前記リップが、前記キャッピング部材が前記第２位置にある時に前記印字ヘッドノズルの周辺に置かれるように構成され、前記リップが、前記キャリアが前記第１位置に置かれている時に前記キャリアの正面部分と係合するように配置され、これによって、前記キャッピング要素のチャネル部分が、含まれる湿気の消失および汚染材料の進入に対して効果的に閉じられる、請求項３５に記載のプリンタ。
【請求項３９】
前記キャッピング部材には、前記印字ヘッドに接触し、これによって前記キャリアが前記推移位置から前記第２位置への推移的移動を行う時に前記キャリアに対する相対的な前記キャッピング部材のピボット回転をもたらすように配置された第１止め部材が設けられる、請求項２９に記載のプリンタ。
【請求項４０】
前記キャッピング部材には、前記キャリアに接触し、これによって前記キャリアが前記推移位置から前記第１位置へ移動する時に前記キャリアに対する相対的な前記キャップ部材のピボット回転を防ぐように配置された第２止め部材が設けられる、請求項２９に記載のプリンタ。
【請求項４１】
前記キャッピング部材が、前記キャリアの末端エッジ部分に沿って延びるピボットシャフトによって前記キャリアにピボット式に取り付けられる、請求項３０に記載のプリンタ。
【請求項４２】
バイアシングデバイスが、前記キャッピング部材に取り付けられ、前記印字ヘッドとのノズルをキャップする係合状態から離れる方向に前記キャッピング部材を偏らせる形で前記キャリアと係合する、請求項３０に記載のプリンタ。
【請求項４３】
前記バイアシングデバイスが、ねじりばねを備える、請求項４２に記載のプリンタ。
【請求項４４】
前記キャリアが、前記印字ヘッドに取り付けられた離隔された鏡板によって前記支持体に取り付けられる、請求項３０に記載のプリンタ。
【請求項４５】
前記作動機構が、前記キャリアに結合された、クランクおよび動き変換機構によって前記キャリアにピボット回転する動きを与えるように配置された電気モーターを備える、請求項２９に記載のプリンタ。
【請求項４６】
迫台が、印字ヘッドに隣接して置かれ、前記キャリアが前記第２位置に接近する時に前記キャッピング部材のピボット回転をもたらすように機能し、これによって、前記キャッピング部材が、印刷媒体供給経路から離れて移動される、請求項２９に記載のプリンタ。
【請求項４７】
前記キャッピング部材のキャッピング要素部分が、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項４６に記載のプリンタ。
【請求項４８】
前記プリンタが、前記キャッピング機構用のプロテクタをさらに備え、前記プロテクタが、前記キャッピング機構が前記印字ヘッドと係合していないインターバル中に前記キャッピング機構と係合するように配置されたカバリング部材を具備する、請求項２７に記載のインクジェットプリンタ。
【請求項４９】
印字ヘッド用のキャッピングファシリティ用のプロテクタであって、前記キャッピングファシリティが前記印字ヘッドと係合していないインターバル中に前記キャッピングファシリティと係合するように配置されたカバリング部材を備える、プロテクタ。
【請求項５０】
プリンタキャッピングファシリティを湿気の消失および／または汚染材料の進入に対して保護する方法であって、前記キャッピングファシリティが印字ヘッドと係合していないインターバル中に前記キャッピングファシリティをカバリング部材と係合させるステップを含む方法。
【請求項５１】
複数のインク配送ノズルを有する印字ヘッド用のキャッピング機構の形のキャッピングファシリティ用のプロテクタであって、
ａ）前記キャッピング機構が、
ｉ）ノズルをキャップする係合状態で前記印字ヘッドに接触するように構成されたキャッピング部材と、
ｉｉ）前記キャッピング部材を支持するキャリアと、
ｉｉｉ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
ｂ）前記プロテクタが、前記キャッピング部材が前記第１位置に置かれている時に前記キャッピング部材によって係合されるように配置されたカバリング部材を備える
プロテクタ。
【請求項５２】
ページ幅印字ヘッドに沿って置かれた複数のノズルを有する前記ページ幅印字ヘッド用のキャッピング機構の形のキャッピングファシリティ用のプロテクタであって、
ａ）前記キャッピング機構が、
ｉ）前記印字ヘッドの長さに実質的に対応する長さを有し、ノズルをキャップする係合状態で前記印字ヘッドに接触するように構成されたキャッピング部材と、
ｉｉ）前記キャッピング部材を支持するキャリアと、
ｉｉｉ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
ｂ）前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれ、
ｃ）前記プロテクタが、前記キャッピング部材が前記第１位置に置かれている時に前記キャッピング部材によって係合されるように配置されたカバリング部材を備える
プロテクタ。
【請求項５３】
前記カバリング部材が、前記キャリアによって構成される、請求項５２に記載のプロテクタ。
【請求項５４】
前記作動機構が、前記キャリアをキャッピング動作中に前記第１位置と前記第２位置との間でピボット式に移動するように配置される、請求項５３に記載のプロテクタ。
【請求項５５】
前記キャリアが、第１ピボット軸を有するピボット要素によって支持体にピボット式に取り付けられ、前記キャッピング部材が、前記第１ピボット軸に平行に置かれ前記第１ピボット軸から間隔をおかれた第２ピボット軸を有するピボット回転配置によって前記キャリアにピボット式に取り付けられる、請求項５３に記載のプロテクタ。
【請求項５６】
前記キャッピング部材が、前記第２ピボット軸から半径方向に変位されたキャッピング要素を有し、前記キャッピング要素の前記第２ピボット軸からの前記半径方向変位が、前記第１ピボット軸と前記第２ピボット軸との間の間隔に対して相対的に小さい、請求項５５に記載のプロテクタ。
【請求項５７】
前記第１ピボット軸と前記第２ピボット軸との間の前記間隔が、前記第２ピボット軸からの前記キャッピング要素の前記半径方向変位の３倍程度である、請求項５６に記載のプロテクタ。
【請求項５８】
前記推移位置が、前記第２位置から、前記第１位置と前記第２位置との間の距離に対して相対的に小さい距離に置かれる、請求項５３に記載のプロテクタ。
【請求項５９】
前記第１位置と前記第２位置との間の前記キャリアの総ピボット移動に対する前記キャリアの推移的ピボット移動の比率が、１：１２から１：２０までの範囲内にある、請求項５８に記載のプロテクタ。
【請求項６０】
前記キャッピング要素が、実質的に堅いチャネル形要素を備える、請求項５６に記載のプロテクタ。
【請求項６１】
前記キャッピング要素が、エラストマ材料から形成されたリップを組み込む、請求項５６に記載のプロテクタ。
【請求項６２】
前記キャッピング要素が、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項６１に記載のプロテクタ。
【請求項６３】
前記キャッピング要素が、エラストマ材料から形成されたリップを組み込み、前記リップが、前記キャッピング部材が前記第２位置にある時に前記印字ヘッドノズルの周辺に置かれるように構成され、前記リップが、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項５６に記載のプロテクタ。
【請求項６４】
前記キャッピング部材には、前記印字ヘッドに接触し、これによって前記キャリアが前記推移位置から前記第２位置への推移移動を行う時に前記キャリアに対する相対的な前記キャッピング部材のピボット回転をもたらすように配置された少なくとも１つの第１止め部材が設けられる、請求項５３に記載のプロテクタ。
【請求項６５】
前記キャッピング部材には、前記キャリアに接触し、これによって前記キャリアが前記推移位置から前記第１位置へ移動する時に前記キャリアに対する相対的な前記キャップ部材のピボット回転を防ぐように配置された少なくとも１つの第２止め部材が設けられる、請求項５３に記載のプロテクタ。
【請求項６６】
前記キャッピング部材が、前記キャリアの末端エッジ部分に沿って延びるピボットシャフトによって前記キャリアにピボット式に取り付けられる、請求項５３に記載のプロテクタ。
【請求項６７】
バイアシングデバイスが、前記キャッピング部材に取り付けられ、前記印字ヘッドとのノズルをキャップする係合状態から離れる方向に前記キャッピング部材を偏らせる形で前記キャリアと係合する、請求項５３に記載のプロテクタ。
【請求項６８】
前記バイアシングデバイスが、ねじりばねを備える、請求項６７に記載のプロテクタ。
【請求項６９】
前記作動機構が、前記キャリアに結合された、クランクおよび動き変換機構によって前記キャリアにピボット回転する動きを与えるように配置された電気モーターを備える、請求項５３に記載のプロテクタ。
【請求項７０】
少なくとも１つの迫台が、印字ヘッドに隣接して置かれ、前記キャリアが前記第１位置に接近する時に前記キャッピング部材のピボット回転をもたらすように機能し、これによって、前記キャッピング部材が、印刷媒体供給経路から離れて移動される、請求項５３に記載のプロテクタ。
【請求項７１】
前記印字ヘッドが、使用中に前記印字ヘッドを過ぎて輸送される印刷媒体にインクを配送するように配置された複数のノズルを有し、
前記キャッピング機構が、
ａ）ノズルをキャップする係合状態で前記印字ヘッドに接触するように構成されたキャッピング部材と、
ｂ）前記キャッピング部材を支持するキャリアと、
ｃ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれる
請求項４９に記載のプロテクタ。
【請求項７２】
前記印字ヘッドが、使用中に前記印字ヘッドを過ぎて輸送される印刷媒体にインクを配送するように配置された複数のノズルを有し、
前記キャッピング機構が、
ａ）ノズルをキャップする係合状態で前記印字ヘッドに接触するように構成されたキャッピング部材と、
ｂ）前記キャッピング部材を支持するキャリアと、
ｃ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれ、
前記印字ヘッド、前記キャッピング機構、および前記プロテクタが、インクジェットプリンタ内での使用のために配置される
請求項４９に記載のプロテクタ。
【請求項７３】
前記キャッピング機構および前記印字ヘッドが、インクジェットプリンタ内での使用のために配置される、請求項４９に記載のプロテクタ。
【請求項７４】
プリンタ内の印字ヘッド用のキャッピングファシリティ用のプロテクタを有するインクジェットプリンタであって、前記プロテクタが、前記キャッピングファシリティが前記印字ヘッドと係合していないインターバル中に前記キャッピングファシリティと係合するように配置されたカバリング部材を備える、インクジェットプリンタ。
【請求項７５】
複数のインク配送ノズルを有する印字ヘッド用のキャッピング機構の形のキャッピングファシリティ用のプロテクタを有するインクジェットプリンタであって、
ａ）前記キャッピング機構が、
ｉ）ノズルをキャップする係合状態で前記印字ヘッドに接触するように構成されたキャッピング部材と、
ｉｉ）前記キャッピング部材を支持するキャリアと、
ｉｉｉ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
ｂ）前記プロテクタが、前記キャッピング部材が前記第１位置に置かれている時に前記キャッピング部材によって係合されるように配置されたカバリング部材を備える
インクジェットプリンタ。
【請求項７６】
ページ幅印字ヘッドに沿って配置された複数のノズルを有する前記ページ幅印字ヘッド用のキャッピング機構の形のキャッピングファシリティ用のプロテクタを有するインクジェットプリンタであって、
ａ）前記キャッピング機構が、
ｉ）前記印字ヘッドの長さに実質的に対応する長さを有し、ノズルをキャップする係合状態で前記印字ヘッドに接触するように構成されたキャッピング部材と、
ｉｉ）前記キャッピング部材を支持するキャリアと、
ｉｉｉ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
ｂ）前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれ、
ｃ）前記プロテクタが、前記キャッピング部材が前記第１位置に置かれている時に前記キャッピング部材によって係合されるように配置されたカバリング部材を備える
インクジェットプリンタ。
【請求項７７】
前記カバリング部材が、前記キャリアによって構成される、請求項７６に記載のプリンタ。
【請求項７８】
前記作動機構が、前記キャリアをキャッピング動作中に前記第１位置と前記第２位置との間でピボット式に移動するように配置される、請求項７７に記載のプリンタ。
【請求項７９】
前記キャリアが、第１ピボット軸を有するピボット要素によって支持体にピボット式に取り付けられ、前記キャッピング部材が、前記第１ピボット軸に平行に置かれ前記第１ピボット軸から間隔をおかれた第２ピボット軸を有するピボット回転配置によって前記キャリアにピボット式に取り付けられる、請求項７７に記載のプリンタ。
【請求項８０】
前記キャッピング部材が、前記第２ピボット軸から半径方向に変位されたキャッピング要素を有し、前記キャッピング要素の前記第２ピボット軸からの前記半径方向変位が、前記第１ピボット軸と前記第２ピボット軸との間の間隔に対して相対的に小さい、請求項７９に記載のプリンタ。
【請求項８１】
前記第１ピボット軸と前記第２ピボット軸との間の前記間隔が、前記第２ピボット軸からの前記キャッピング要素の前記半径方向変位の３倍程度である、請求項８０に記載のプリンタ。
【請求項８２】
前記推移位置が、前記第２位置から、前記第１位置と前記第２位置との間の距離に対して相対的に小さい距離に置かれる、請求項７７に記載のプリンタ。
【請求項８３】
前記第１位置と前記第２位置との間の前記キャリアの総ピボット移動に対する前記キャリアの推移的ピボット移動の比率が、１：１２から１：２０までの範囲内にある、請求項８２に記載のプリンタ。
【請求項８４】
前記キャッピング要素が、実質的に堅いチャネル形要素を備える、請求項８０に記載のプリンタ。
【請求項８５】
前記キャッピング要素が、エラストマ材料から形成されたリップを組み込む、請求項８０に記載のプリンタ。
【請求項８６】
前記キャッピング要素が、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項８５に記載のプリンタ。
【請求項８７】
前記キャッピング要素が、エラストマ材料から形成されたリップを組み込み、前記リップが、前記キャッピング部材が前記第２位置にある時に前記印字ヘッドノズルの周辺に置かれるように構成され、前記リップが、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項８０に記載のプリンタ。
【請求項８８】
前記キャッピング部材には、前記印字ヘッドに接触し、これによって前記キャリアが前記推移位置から前記第２位置への推移的移動を行う時に前記キャリアに対する相対的な前記キャッピング部材のピボット回転をもたらすように配置された少なくとも１つの第１止め部材が設けられる、請求項７７に記載のプリンタ。
【請求項８９】
前記キャッピング部材には、前記キャリアに接触し、これによって前記キャリアが前記推移位置から前記第１位置へ移動する時に前記キャリアに対する相対的な前記キャップ部材のピボット回転を防ぐように配置された少なくとも１つの第２止め部材が設けられる、請求項７７に記載のプリンタ。
【請求項９０】
前記キャッピング部材が、前記キャリアの末端エッジ部分に沿って延びるピボットシャフトによって前記キャリアにピボット式に取り付けられる、請求項７７に記載のプリンタ。
【請求項９１】
バイアシングデバイスが、前記キャッピング部材に取り付けられ、前記印字ヘッドとのノズルをキャップする係合状態から離れる方向に前記キャッピング部材を偏らせる形で前記キャリアと係合する、請求項７７に記載のプリンタ。
【請求項９２】
前記バイアシングデバイスが、ねじりばねを備える、請求項９１に記載のプリンタ。
【請求項９３】
前記作動機構が、前記キャリアに結合された、クランクおよび動き変換機構によって前記キャリアにピボット回転する動きを与えるように配置された電気モーターを備える、請求項７７に記載のプリンタ。
【請求項９４】
少なくとも１つの迫台が、前記印字ヘッドに隣接して置かれ、前記キャリアが前記第１位置に接近する時に前記キャッピング部材のピボット回転をもたらすように機能し、これによって、前記キャッピング部材が、印刷媒体供給経路から離れて移動される、請求項７７に記載のプリンタ。
【請求項９５】
前記印字ヘッドが、使用中に前記印字ヘッドを過ぎて輸送される印刷媒体にインクを配送するように配置された複数のノズルを有し、
前記キャッピング機構が、
ａ）ノズルをキャップする係合状態で前記印字ヘッドに接触するように構成されたキャッピング部材と、
ｂ）前記キャッピング部材を支持するキャリアと、
ｃ）前記キャッピング部材が前記印字ヘッドに関して離れて置かれる第１位置と前記キャッピング部材が前記印字ヘッドに接触して置かれる第２位置との間で往復する前記キャリアの移動をもたらすように配置された作動機構と
を備え、
前記キャッピング部材が、前記キャリアにピボット式に取り付けられ、推移位置と前記第２位置との間の前記キャリアの往復する推移的移動中に前記キャリアに対して相対的にピボット回転するように配置され、前記推移位置が、前記第１位置および前記第２位置の中間に置かれる
請求項７４に記載のプリンタ。
【発明の詳細な説明】
【技術分野】
【０００１】
本発明は、全般的にはインクジェットプリンタに関し、より具体的には、インクジェット印字ヘッド内のノズルをキャップすることに関する。本発明は、主にページ幅印字ヘッドに関して開発され、本発明は、本明細書では主にその文脈で説明される。しかし、本発明が、往復タイプの印字ヘッドを含む、より広い応用を有することを理解されたい。
【０００２】
［同時係属の特許出願］
次の特許出願が、本出願人によって本願と同時に出願された。
ＣＡＡＰＣＴ  ＣＡＢＰＣＴ  ＣＡＣＰＣＴ  ＣＡＤＰＣＴ  ＣＡＥＰＣＴ
これらの同時係属の出願の開示は、参照によって本明細書に組み込まれている。上の特許出願は、出願整理番号によって識別されているが、これらは、対応する出願番号が割り当てられた後に、これに置換される。
【０００３】
［関連出願の相互参照］
本発明の出願人または譲受人によって出願された次の特許または特許出願が、相互参照によって本明細書に組み込まれている。
【表１】
2008522861.tif 000003
【表２】
2008522861.tif 000004
一部の特許出願が、整理番号によってリストされている。これらは、出願番号が既知になった時に置換される。
【０００４】
［定義］
表現「ページ幅印字ヘッド」は、印刷される（紙、カード、織物、または他の）媒体の実質的に全幅にまたがって延びる長さを有し、静止位置に留まりながら進む印刷媒体の全印刷幅にまたがって印刷インクを置くように制御される印字ヘッドに適用可能である。
【０００５】
表現「往復印字ヘッド」は、通常はインクカートリッジと一体化され、往復するキャリッジによって担持され、（瞬間的に）静止している印刷媒体にまたがってスキャンしながら印刷インクを置くように制御されるタイプの印字ヘッドに適用可能である。
【０００６】
表現「キャッピングファシリティ」は、ページ幅印字ヘッド内のインク配送ノズルのキャッピングおよび必要な場合にパージングに使用されるタイプのキャッピング機構と、往復印字ヘッド内のインク配送ノズルのキャッピングおよびパージングに使用されるタイプのサービスステーションとに適用可能である。
【背景技術】
【０００７】
インクジェットプリンタの印字ヘッドは、一連のノズルを有し、これらのノズルから、個々のインク小滴が吐出されて、印刷媒体に置かれて、所望の印刷されたイメージが形成される。ノズルは、さまざまなタイプの印字ヘッドに組み込まれ、その正しい機能は、高品質イメージの作成にクリティカルである。したがって、単一のノズルであっても、その部分的なまたは完全なブロックは、特にページ幅プリンタの場合に、印刷されたイメージに大きい影響を有する場合がある。
【０００８】
ノズルは、常に存在する紙のほこりおよび他の粒子状物質への露出に起因するおよびインクがしばしば非常に短いアイドル期間中にノズル内で乾く傾向に起因するブロックをこうむりがちである。すなわち、ノズルからの配送を待っているインクは、ノズルの口でメニスカスを形成し、（頻繁に暖かく、乾いた）空気にさらされた時に、インク溶媒が蒸発して、ノズルをブロックする堆積物が残される。
【０００９】
サービスシステムが、従来、印字ヘッドの機能性を維持するのに使用され、そのようなシステムは、キャッピング、パージング、およびワイピングという機能のうちの１つまたは複数を提供する。キャッピングは、乾燥させる空気へのインクの露出をはばむためにアイドルノズルをカバーすることを伴う。パージングは、通常は、ノズルをブロックするかブロックする可能性を有する堆積物を印字ヘッドから吸引することによってもたらされる。ワイピングは、キャッピング機能および／またはパージング機能とあいまって実行され、印字ヘッドの前面にまたがる膜を軽く掃くことを伴う。
【００１０】
従来のインクジェットプリンタの大多数、特にいわゆるデスクトッププリンタは、往復印字ヘッドを使用し、この往復印字ヘッドは、上で述べたように、瞬間的に静止している印刷媒体の幅にまたがってトラバースするように駆動される。これらのプリンタでは、サービスステーションが、印刷ゾーンの片側に設けられ、コマンドの際に、印字ヘッドが、サービスステーションにトラバースし、そこで、サービスが実行されている時および／またはプリンタがアイドルである時にドッキングする。しかし、サービスステーションを含めることによって、プリンタの全幅が増え、これは、デスクトッププリンタのサイズを最小化する傾向の文脈において問題と考えられる。
【００１１】
さらに、上で説明したサービスシステムは、上で説明したように、印刷ゾーンの全幅にまたがって延びる静止印字ヘッドを有するページ幅プリンタに関して、実現可能に使用することができない。印字ヘッドは、効果的に印刷ゾーンを画定する長さを有し、サービスのためにそのゾーンの外に移動することができない。さらに、ページ幅印字ヘッドは、特に大型フォーマットプリンタの場合に、往復印字ヘッドよりかなり大きい表面積を有し、往復印字ヘッドよりはるかに多数のノズルを含み、これらのすべてが、従来採用されてきたもとの完全に異なるサービス手法を要求する。
【００１２】
また、ページ幅プリンタの場合には、印字ヘッドが、その支持構造に対して相対的に移動されないことが最も望ましく、これは、次の要件を生じる。
【００１３】
１．サービス動作をもたらすために、サービスシステムを印字ヘッドに移動しなければならない。
【００１４】
２．印刷媒体の通過を可能にするために、印刷動作中に、サービスシステムを印字ヘッドの領域から離れて移動しなければならない。
【００１５】
３．サービスシステムは、望ましくは、印字ヘッドノズルに対して損傷を及ぼす危険性を最小にする形で、印字ヘッドとのサービス係合に移動されなければならない。
さらに、キャッピングファシリティは、キャッピング機構タイプであれサービスステーションタイプであれ、有利に、含まれる湿気の消失および汚染材料の進入に対して保護されなければならない。すなわち、含まれる湿気は、キャッピング動作中のノズルブロックの危険性を最小にするために、キャッピング動作の間にキャッピングファシリティ内で維持されなければならないことが認められている。同様に、汚染材料は、キャッピング動作の間のインターバル中にキャッピングファシリティから除外されなければならない。
【発明の開示】
【００１６】
第１の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）
（ｉ）少なくとも１つの印字ヘッドの長さに実質的に対応する長さを有する少なくとも１つのキャッピング部材と、
（ｉｉ）少なくとも１つの印字ヘッドを円弧状の方向で第１位置から第２位置に移動するように配置された第１作動機構と、
（ｉｉｉ）少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有するキャッピング機構と
を備えるプリンタを提供する。
【００１７】
任意選択で、少なくとも１つのキャッピング部材は、効果的にワンピース部材として形成される。
【００１８】
任意選択で、少なくとも１つのキャッピング部材は、少なくとも１つの印字ヘッドの長さに実質的に対応する集合としての長さを有する連接されたキャッピング部材部分を備える。
【００１９】
任意選択で、少なくとも１つのキャッピング部材は、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【００２０】
任意選択で、印字ヘッドは、第１位置にある時に直面する関係で配置される。
【００２１】
さらなる態様で、本発明は、
（ａ）
（ｉ）２つの対向するページ幅印字ヘッドと、
（ｉｉ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドのめいめいの１つに隣接して置かれ、印字ヘッドの長さに実質的に対応する長さを有する２つのキャッピング部材と、
（ｉｉ）めいめいの印字ヘッドを円弧状の方向で第１位置から第２位置に移動するように配置された第１作動機構と、
（ｉｉｉ）めいめいの印字ヘッドが第２位置にある時に、めいめいの印字ヘッドの、ノズルをキャップする係合をもたらすために、キャッピング部材を直線的にめいめいの印字ヘッドに垂直な方向に移動するように配置された第２作動機構と
を有するキャッピング機構と
を備えるプリンタを提供する。
【００２２】
任意選択で、キャッピング部材のそれぞれは、効果的にワンピース部材として形成される。
【００２３】
任意選択で、キャッピング部材のそれぞれは、めいめいの印字ヘッドの長さに実質的に対応する集合としての長さを有する連接されたキャッピング部材部分を備える。
【００２４】
任意選択で、キャッピング部材のそれぞれは、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【００２５】
任意選択で、印字ヘッドは、第１位置にある時に直面する関係で配置される。
【００２６】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
第１作動機構が、印刷する第１位置から、離隔された第２位置への印字ヘッドの相対的な移動をもたらすように配置され、
第２作動機構が、印字ヘッドが第２位置にある時に、２つの印字ヘッドの、ノズルをキャップする係合をもたらすために印字ヘッドの間でキャッピング部材を間に挟むように配置される
プリンタが提供される。
【００２７】
さらなる態様では、
ページ幅印字ヘッドアセンブリが、単一のページ幅印字ヘッドを有し、
キャッピング部材が、印字ヘッドから離隔されているが印字ヘッドに直面するキャップしない第１位置に置かれ、
キャッピング機構が、さらに、キャップしない第１位置からキャッピング部材が印字ヘッドとのノズルをキャップする係合状態に置かれる第２位置へのキャッピング部材の直線推移をもたらすために、キャッピング部材とのカミング係合（ｃａｍｍｉｎｇ  ｅｎｇａｇｅｍｅｎｔ）のために配置されたモータードライブを有する
プリンタが提供される。
【００２８】
さらなる態様では、
キャッピング部材が、少なくとも１つの印字ヘッドに隣接するキャップしない第１位置に置かれ、
キャッピング機構が、さらに、キャッピング部材に関連する、少なくとも１つの印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれる第２位置へのキャッピング部材の推移をもたらすように配置される
プリンタが提供される。
【００２９】
さらなる態様では、
ページ幅印字ヘッドアセンブリが、２つのオフセットされたページ幅印字ヘッドと、印字ヘッドのそれぞれに沿って置かれた、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【００３０】
さらなる態様では、
ページ幅印字ヘッドアセンブリが、単一のページ幅印字ヘッドを有し、
キャッピング部材が、印字ヘッドから離隔されたキャップしない第１位置に置かれ、
第２作動機構が、キャップしない第１位置からキャッピング部材が印字ヘッドとのノズルをキャップする係合状態に置かれる第２位置へのキャッピング部材の円弧状の推移をもたらすように配置される
プリンタが提供される。
【００３１】
さらなる態様では、
ページ幅印字ヘッドアセンブリが、単一のページ幅印字ヘッドを有し、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれる第２位置へのキャッピング部材の円弧状の方向の推移をもたらすように配置される
プリンタが提供される。
【００３２】
さらなる態様では、第２作動機構が、少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置される、プリンタが提供される。
【００３３】
さらなる態様では、
第１作動機構が、少なくとも１つの印字ヘッドを円弧状の第１方向で第１位置から第２位置および第３位置に移動するように配置され、
第２作動機構が、少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置される
プリンタが提供される。
【００３４】
さらなる態様では、
キャッピング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【００３５】
さらなる態様では、
キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【００３６】
さらなる態様では、
キャッピング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【００３７】
さらなる態様では、
キャッピング部材が、柔軟なシート様材料から形成され、少なくとも１つの印字ヘッドの長さに実質的に対応する幅を有し、
第２作動機構が、キャッピング部材が少なくとも１つの印字ヘッドとのノズルをキャップする係合状態に置かれる位置へのキャッピング部材および少なくとも１つの印字ヘッドの相対的な移動をもたらすように配置される
プリンタが提供される。
【００３８】
さらなる態様では、キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【００３９】
さらなる態様では、
キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【００４０】
さらなる態様では、
キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【００４１】
第２の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）
（ｉ）少なくとも１つの印字ヘッドの長さに実質的に対応する長さを有する少なくとも１つのキャッピング部材と、
（ｉｉ）少なくとも１つの印字ヘッドを円弧状の方向で第１位置から第２位置に移動するように配置された第１作動機構と、
（ｉｉｉ）少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有するキャッピング機構と
を備えるプリンタを提供する。
【００４２】
任意選択で、少なくとも１つのキャッピング部材は、効果的にワンピース部材として形成される。
【００４３】
任意選択で、少なくとも１つのキャッピング部材は、少なくとも１つの印字ヘッドの長さに実質的に対応する集合としての長さを有する連接されたキャッピング部材部分を備える。
【００４４】
任意選択で、少なくとも１つのキャッピング部材は、堅い材料から形成される本体部分と、ａ）一体形成されたエラストマ材料リップ部分およびｂ）リップ部分によって囲まれた空洞を有するキャッピング部分とを備え、リップ部分が、ノズルを集合的に囲むように周囲に構成される。
【００４５】
任意選択で、印字ヘッドは、第１位置にある時に直面する関係で配置される。
【００４６】
さらなる態様では、
（ａ）
（ｉ）２つの対向するページ幅印字ヘッドと、
（ｉｉ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドのめいめいの１つに隣接して置かれ、印字ヘッドの長さに実質的に対応する長さを有する２つのキャッピング部材と、
（ｉｉ）めいめいの印字ヘッドを円弧状の方向で第１位置から第２位置に移動するように配置された第１作動機構と、
（ｉｉｉ）めいめいの印字ヘッドが第２位置にある時に、めいめいの印字ヘッドの、ノズルをキャップする係合をもたらすために、キャッピング部材をめいめいの印字ヘッドに対して相対的に横の方向に移動するように配置された第２作動機構と
を有するキャッピング機構と
を備えるプリンタが提供される。
【００４７】
任意選択で、キャッピング部材のそれぞれは、効果的にワンピース部材として形成される。
【００４８】
任意選択で、キャッピング部材のそれぞれは、めいめいの印字ヘッドの長さに実質的に対応する集合としての長さを有する連接されたキャッピング部材部分を備える。
【００４９】
任意選択で、キャッピング部材のそれぞれは、エラストマ材料から形成され、本体部分と、一体形成されたリップ部分と、リップ部分によって囲まれた空洞とを有し、リップ部分が、ノズルを集合的に囲むように周囲に構成される。
【００５０】
任意選択で、印字ヘッドは、第１位置にある時に直面する関係で配置される。
【００５１】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
第１作動機構が、印刷する第１位置から、離隔された第２位置への印字ヘッドの相対的な移動をもたらすように配置され、
第２作動機構が、印字ヘッドが第２位置にある時に、２つの印字ヘッドの、ノズルをキャップする係合をもたらすために印字ヘッドの間でキャッピング部材を間に挟むように配置される
プリンタが提供される。
【００５２】
さらなる態様では、
ページ幅印字ヘッドアセンブリが、単一のページ幅印字ヘッドを有し、
キャッピング部材が、印字ヘッドから離隔されているが印字ヘッドに直面するキャップしない第１位置に置かれ、
キャッピング機構が、さらに、キャップしない第１位置からキャッピング部材が印字ヘッドとのノズルをキャップする係合状態に置かれる第２位置へのキャッピング部材の直線推移をもたらすために、キャッピング部材とのカミング係合のために配置されたモータードライブを有する
プリンタが提供される。
【００５３】
さらなる態様では、
キャッピング部材が、少なくとも１つの印字ヘッドに隣接するキャップしない第１位置に置かれ、
キャッピング機構が、さらに、キャッピング部材に関連する、少なくとも１つの印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれる第２位置へのキャッピング部材の推移をもたらすように配置される
プリンタが提供される。
【００５４】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【００５５】
さらなる態様では、
ページ幅印字ヘッドアセンブリが、単一のページ幅印字ヘッドを有し、
キャッピング部材が、印字ヘッドから離隔されたキャップしない第１位置に置かれ、
第２作動機構が、キャップしない第１位置からキャッピング部材が印字ヘッドとのノズルをキャップする係合状態に置かれる第２位置へのキャッピング部材の円弧状の推移をもたらすように配置される
プリンタが提供される。
【００５６】
さらなる態様では、
ページ幅印字ヘッドアセンブリが、単一のページ幅印字ヘッドを有し、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれる第２位置へのキャッピング部材の円弧状の方向の推移をもたらすように配置される
プリンタが提供される。
【００５７】
さらなる態様では、第２作動機構が、少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置される、プリンタが提供される。
【００５８】
さらなる態様では、
第１作動機構が、少なくとも１つの印字ヘッドを円弧状の第１方向で第１位置から第２位置および第３位置に移動するように配置され、
第２作動機構が、少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置される
プリンタが提供される。
【００５９】
さらなる態様では、
キャッピング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【００６０】
さらなる態様では、
キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【００６１】
さらなる態様では、
キャッピング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【００６２】
さらなる態様では、
キャッピング部材が、柔軟なシート様材料から形成され、少なくとも１つの印字ヘッドの長さに実質的に対応する幅を有し、
第２作動機構が、キャッピング部材が少なくとも１つの印字ヘッドとのノズルをキャップする係合状態に置かれる位置へのキャッピング部材および少なくとも１つの印字ヘッドの相対的な移動をもたらすように配置される
プリンタが提供される。
【００６３】
さらなる態様では、キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【００６４】
さらなる態様では、
キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【００６５】
さらなる態様では、
キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【００６６】
第３の態様では、
（ａ）
（ｉ）２つの対向するページ幅印字ヘッドと、
（ｉｉ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドに隣接して置かれ、印字ヘッドの長さに実質的に対応する長さを有するキャッピング部材と、
（ｉｉ）印刷する第１位置から、離隔された第２位置への印字ヘッドの相対的な移動をもたらすように配置された第１作動機構と、
（ｉｉｉ）印字ヘッドが第２位置にある時に、２つの印字ヘッドの、ノズルをキャップする係合をもたらすために印字ヘッドの間でキャッピング部材を間に挟むように配置された第２作動機構と
を有するキャッピング機構と
を備えるプリンタが提供される。
【００６７】
任意選択で、第２作動機構は、キャッピング部材を印字ヘッドに隣接する位置からキャッピング部材が印字ヘッドの間に挟まれる位置に移動する時に、印字ヘッドに対する相対的に横の方向でのキャッピング部材の直線移動をもたらすように配置される。
【００６８】
任意選択で、キャッピング部材は、２つの反対に向けられたキャッピング部分を有し、キャッピング部分のめいめいの１つが、第２位置にある時に印字ヘッドのめいめいの１つとのノズルをキャップする係合状態で係合するように配置される。
【００６９】
任意選択で、キャッピング部材は、堅い材料から形成される、その上にキャッピング部分が置かれる本体部分を備え、各キャッピング部分は、ａ）一体形成されたエラストマ材料リップ部分およびｂ）リップ部分によって囲まれた空洞を有し、リップ部分は、めいめいの印字ヘッド上でノズルを集合的に囲むように周囲に構成される。
【００７０】
任意選択で、キャッピング部材は、効果的にワンピース部材として形成される。
【００７１】
任意選択で、印字ヘッドは、第１位置にある時に直面する関係で配置される。
【００７２】
さらなる態様では、
第１作動機構が、印字ヘッドを円弧状の方向で第１位置から第２位置に移動するように配置され、
第２作動機構が、印字ヘッドが第２位置にある時に、印字ヘッドの、ノズルをキャップする係合をもたらすために、キャッピング部材を印字ヘッドに垂直な方向に移動するように配置される
プリンタが提供される。
【００７３】
さらなる態様では、
第１作動機構が、印字ヘッドを円弧状の方向で第１位置から第２位置に移動するように配置され、
第２作動機構が、印字ヘッドが第２位置にある時に、印字ヘッドの、ノズルをキャップする係合をもたらすために、キャッピング部材を印字ヘッドに対して相対的に横の方向に移動するように配置される
プリンタが提供される。
【００７４】
さらなる態様では、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれるキャップする第２位置へのキャッピング部材の推移をもたらすように配置される
プリンタが提供される。
【００７５】
さらなる態様では、
第１作動機構が、印字ヘッドを円弧状の方向で第１位置から第２位置に移動するように配置され、
第２作動機構が、印字ヘッドが第２位置にある時に、印字ヘッドの、ノズルをキャップする係合をもたらすために、キャッピング部材を第１方向の方向と反対の円弧状の第２方向に移動するように配置される
プリンタが提供される。
【００７６】
さらなる態様では、
第１作動機構が、印字ヘッドを円弧状の第１方向で第１位置から第２位置および第３位置に移動するように配置され、
第２作動機構が、印字ヘッドが第２位置にある時に、印字ヘッドの、ノズルをキャップする係合をもたらすため、および印字ヘッドが第３位置にある時にノズルのパージングを可能にするために、キャッピング部材を第１方向の方向と反対の円弧状の第２方向に移動するように配置される
プリンタが提供される。
【００７７】
さらなる態様では、キャッピング機構が、
印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を印字ヘッドのノズルと位置合せして位置決めするために、タレットの回転を選択的にもたらすように配置された第１作動機構と、
これによってキャッピング部材およびパージング室のうちの位置合せされた１つが印字ヘッドと係合して選択的に位置決めされる、タレットの移動をもたらすように配置された第２作動機構と
を有する、プリンタが提供される。
【００７８】
さらなる態様では、キャッピング機構が、
印字ヘッドの長さに実質的に対応する縦の長さを有する回転可能なタレットと、
タレットによって担持される縦に延びるキャッピング部材と、
キャッピング部材を、キャップしない第１位置からキャッピング部材が印字ヘッドとのノズルをキャップする係合状態に置かれるキャップする第２位置へ移動するために、タレットの回転をもたらすように配置された作動機構と
を有する、プリンタが提供される。
【００７９】
さらなる態様では、キャッピング機構が、
印字ヘッドに隣接して位置決めされ、印字ヘッドの長さに実質的に対応する縦の長さを有するキャリアと、
キャリアにピボット式に取り付けられ、印字ヘッドの長さに実質的に対応する縦の長さを有する、縦に延びるキャッピング部材と、
キャップしない第１位置からキャッピング部材が印字ヘッドとのノズルをキャップする係合状態に置かれる第２のキャップする位置へのキャッピング部材のピボット回転をもたらすように配置された作動機構と
を有する、プリンタが提供される。
【００８０】
さらなる態様では、
キャッピング部材が、柔軟なシート様材料から形成され、印字ヘッドの長さに実質的に対応する幅を有し、
第２作動機構が、キャッピング部材が印字ヘッドとのノズルをキャップする係合状態に置かれる位置へのキャッピング部材および印字ヘッドの相対的な移動をもたらすように配置される
プリンタが提供される。
【００８１】
任意選択で、キャッピング部材は、柔軟なシート様材料から形成され、印字ヘッドの長さに実質的に対応する幅を有し、柔軟なシート様材料は、材料の一部がキャッピング部材として印字ヘッドとのノズルをキャップする係合状態に置かれるために使用中にそこから引き出される交換可能なロールとして設けられる。
【００８２】
さらなる態様では、
キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【００８３】
さらなる態様では、キャッピング部材が、
ａ）本体部分と一体に形成されたリップ部分と、
ｂ）リップ部分によって囲まれた空洞であって、リップ部分が、印字ヘッド上のノズルを囲むように周囲に構成され、本体部分が、印字ヘッドの長さに実質的に対応する長さを有する、空洞と
を備える、プリンタが提供される。
【００８４】
第４の態様で、本発明は、
（ａ）
（ｉ）単一のページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドの長さに実質的に対応する長さを有し、印字ヘッドから離隔されているが印字ヘッドに直面するキャップしない第１位置に置かれるキャッピング部材と、
（ｉｉ）第１位置からキャッピング部材が印字ヘッドとのノズルをキャップする係合状態に置かれる第２位置へのキャッピング部材の直線推移をもたらすために、キャッピング部材とのカミング係合のために配置されたモータードライブと
を有するキャッピング機構と
を備えるプリンタを提供する。
【００８５】
任意選択で、作動機構は、印字ヘッドを過ぎる印刷媒体の輸送の方向に垂直な方向でのキャッピング部材の推移をもたらすように配置される。
【００８６】
任意選択で、キャッピング部材は、第１位置にある時に印字ヘッドの下に置かれ、キャッピング部材は、印字ヘッドの、ノズルをキャップする係合をもたらすために第１位置から第２位置に持ち上げられる。
【００８７】
任意選択で、キャッピング部材は、堅い材料から形成される本体部分と、
ａ）一体形成されたエラストマ材料リップ部分および
ｂ）リップ部分によって囲まれた空洞
を有するキャッピング部分とを備え、リップ部分が、印字ヘッドノズルを囲むように周囲に構成される。
【００８８】
任意選択で、キャッピング部材は、効果的にワンピース部材として形成される。
【００８９】
任意選択で、キャッピング機構は、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに垂直な方向に移動するように配置された第２作動機構と
を有する。
【００９０】
任意選択で、キャッピング機構は、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに対して相対的に横の方向に移動するように配置された第２作動機構と
を有する。
【００９１】
任意選択で、キャッピング機構は、さらに、キャッピング部材に関連する、印字ヘッドのノズル環境からパージされた材料を受けるように配置されたパージング手段を有する。
【００９２】
任意選択で、キャッピング機構は、
印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を印字ヘッドのノズルと位置合せして位置決めするために、タレットの回転を選択的にもたらすように配置された第１作動機構と、
これによってキャッピング部材およびパージング室のうちの位置合せされた１つが印字ヘッドと係合して選択的に位置決めされる、タレットの移動をもたらすように配置された第２作動機構と
を有する。
【００９３】
任意選択で、キャッピング機構は、
印字ヘッドの長さに実質的に対応する縦の長さを有する回転可能なタレットと、
タレットによって担持される縦に延びるキャッピング部材と、
キャッピング部材をキャップしない第１位置からキャッピング部材が印字ヘッドとのノズルをキャップする係合状態に置かれる第２位置へ移動するために、タレットの回転をもたらすように配置された作動機構と
を有する。
【００９４】
さらなる態様では、
キャッピング部材が、柔軟なシート様材料から形成され、印字ヘッドの長さに実質的に対応する幅を有し、
第２作動機構が、キャッピング部材が印字ヘッドとのノズルをキャップする係合状態に置かれる位置へのキャッピング部材および印字ヘッドの相対的な移動をもたらすように配置される
プリンタが提供される。
【００９５】
さらなる態様では、キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられる、プリンタが提供される。
【００９６】
さらなる態様では、
キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【００９７】
さらなる態様では、キャッピング部材が、
ａ）本体部分と一体に形成されたリップ部分と、
ｂ）リップ部分によって囲まれた空洞であって、リップ部分が、印字ヘッド上のノズルを囲むように周囲に構成され、本体部分が、印字ヘッドの長さに実質的に対応する長さを有する、空洞と
を備える、プリンタが提供される。
【００９８】
第５の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）
（ｉ）少なくとも１つの印字ヘッドに関連するキャッピング部材であって、キャッピング部材が、少なくとも１つの印字ヘッドの長さに実質的に対応する長さを有し、少なくとも１つの印字ヘッドに隣接するキャップしない第１位置に置かれる、キャッピング部材と、
（ｉｉ）キャッピング部材に関連する、少なくとも１つの印字ヘッドのノズル環境からパージされた材料を受けるように配置されたパージング手段と、
（ｉｉｉ）第１位置からキャッピング部材が印字ヘッドとのノズルをキャップする係合状態に置かれる第２位置へのキャッピング部材の推移をもたらすように配置された作動機構と
を有するキャッピング／パージング機構と
を備えるプリンタを提供する。
【００９９】
さらなる態様では、
（ａ）
（ｉ）単一のページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドに関連するキャッピング部材であって、キャッピング部材が、印字ヘッドの長さに実質的に対応する長さを有し、印字ヘッドに隣接するキャップしない第１位置に置かれる、キャッピング部材と、
（ｉｉ）キャッピング部材に関連する、印字ヘッドのノズル環境からパージされた材料を受けるように配置されたパージング手段と、
（ｉｉｉ）第１位置からキャッピング部材が印字ヘッドとのノズルをキャップする係合状態に置かれる第２位置へのキャッピング部材の推移をもたらすように配置された作動機構と
を有するキャッピング／パージング機構と
を備えるプリンタが提供される。
【０１００】
任意選択で、キャッピング部材は、第１位置にある時に、印字ヘッドに対して離隔された直面する関係で置かれる。
【０１０１】
任意選択で、作動機構は、第１位置から第２位置へのキャッピング部材の直線推移をもたらすように配置される。
【０１０２】
任意選択で、パージング手段は、パージされた材料を印字ヘッドのノズル環境から吸引するように配置された吸引デバイスを含む。
【０１０３】
任意選択で、キャッピング部材は、
ａ）エラストマ材料リップ部分と、
ｂ）リップ部分によって囲まれた空洞と
を伴って形成され、リップ部分が、印字ヘッドノズルを囲むように周囲に構成される。
【０１０４】
任意選択で、キャッピング部材は、効果的にワンピース部材として形成される。
【０１０５】
任意選択で、室が、キャッピング部材内に置かれ、空洞に流体経路によって通じて接続され、室は、材料を印字ヘッドのノズル環境からこれによって吸引できる吸引デバイスに接続されるように配置される。
【０１０６】
任意選択で、作動機構が、印字ヘッドを過ぎる印刷媒体の輸送の方向に垂直な方向でのキャッピング部材の推移をもたらすように配置される。
【０１０７】
任意選択で、キャッピング部材は、第１位置にある時に印字ヘッドの下に置かれ、キャッピング部材は、印字ヘッドの、ノズルをキャップする係合をもたらすために第１位置から第２位置に持ち上げられる。
【０１０８】
さらなる態様では、キャッピング／パージング機構が、さらに、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、キャッピング部材を少なくとも１つの印字ヘッドに垂直な方向に移動するように配置された第２作動機構と
を有する、プリンタが提供される。
【０１０９】
さらなる態様では、キャッピング／パージング機構が、さらに、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、キャッピング部材を少なくとも１つの印字ヘッドに対して相対的に横の方向に移動するように配置された第２作動機構と
を有する、プリンタが提供される。
【０１１０】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
プリンタが提供される。
【０１１１】
さらなる態様では、
ページ幅印字ヘッドアセンブリが、単一のページ幅印字ヘッドを有し、
キャッピング機構が、さらに、キャップしない第１位置からキャッピング部材が印字ヘッドとのノズルをキャップする係合状態に置かれる第２位置へのキャッピング部材の直線推移をもたらすために、キャッピング部材とのカミング係合のために配置されたモータードライブを有する
プリンタが提供される。
【０１１２】
さらなる態様では、
ページ幅印字ヘッドアセンブリが、２つのオフセットされたページ幅印字ヘッドと、印字ヘッドに沿って置かれ、使用中に印刷媒体が印字ヘッドを過ぎて輸送される時に印刷媒体にインクを配送するように配置された複数のノズルとを有し、
キャッピング／パージング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれるキャップする第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０１１３】
さらなる態様では、
ページ幅印字ヘッドアセンブリが、単一のページ幅印字ヘッドを有し、
キャッピング部材が、印字ヘッドから離隔されたキャップしない第１位置に置かれ、
作動機構が、キャップしない第１位置からキャッピング部材が印字ヘッドとのノズルをキャップする係合状態に置かれる第２位置へのキャッピング部材の円弧状の推移をもたらすように配置される
プリンタが提供される。
【０１１４】
さらなる態様では、
ページ幅印字ヘッドアセンブリが、単一のページ幅印字ヘッドを有し、
作動機構が、キャップしない第１位置からキャッピング部材が印字ヘッドとのノズルをキャップする係合状態に置かれる第２位置へのキャッピング部材の円弧状の方向の推移をもたらすように配置される
プリンタが提供される。
【０１１５】
さらなる態様では、キャッピング／パージング機構が、さらに、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、キャッピング部材を第１方向の方向と反対の円弧状の第２方向に移動するように配置された第２作動機構と
を有する、プリンタが提供される。
【０１１６】
さらなる態様では、キャッピング／パージング機構が、さらに、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、キャッピング部材を第１方向の方向と反対の円弧状の第２方向に移動するように配置された第２作動機構と
を有する、プリンタが提供される。
【０１１７】
さらなる態様では、キャッピング／パージング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０１１８】
さらなる態様では、キャッピング／パージング機構が、
少なくとも１つの印字ヘッドの長さに実質的に対応する縦の長さを有する回転可能なタレットと、
タレットによって担持される縦に延びるキャッピング部材と、
キャッピング部材をキャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０１１９】
さらなる態様では、キャッピング／パージング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０１２０】
さらなる態様では、
キャッピング部材が、柔軟なシート様材料から形成され、少なくとも１つの印字ヘッドの長さに実質的に対応する幅を有し、
作動機構が、キャッピング部材が少なくとも１つの印字ヘッドとのノズルをキャップする係合状態に置かれる位置へのキャッピング部材および少なくとも１つの印字ヘッドの相対的な移動をもたらすように配置される
プリンタが提供される。
【０１２１】
さらなる態様では、キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【０１２２】
さらなる態様では、
キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられ、
キャッピング／パージング機構が、さらに、キャッピング動作の後に、費やされたキャッピング材料を巻き取るように配置された巻き取りリールを有する
プリンタが提供される。
【０１２３】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０１２４】
第６の態様で、本発明は、
（ａ）
（ｉ）２つのオフセットされたページ幅印字ヘッドと、
（ｉｉ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
（ｉｉ）キャッピング部材のそれぞれに関連する、キャッピング部材のそれぞれのその第１位置からその第２位置への推移をもたらすように配置された作動機構と
を有するキャッピング機構と
を備えるプリンタを提供する。
【０１２５】
任意選択で、印字ヘッドは、相互に対向する方向に向けられ、印刷媒体が印字ヘッドの間で輸送される時に印刷媒体の両面にインクを配送するように配置される。
【０１２６】
任意選択で、キャッピング機構は、第１位置にある時に、めいめいの印字ヘッドに対して垂直に間隔をおかれた関係で置かれ、プリンタを通る印刷媒体供給の平面の各側に１つずつ置かれる。
【０１２７】
任意選択で、めいめいの作動機構は、めいめいの印字ヘッドを通る印刷媒体の輸送の方向に垂直な方向での関連するキャッピング部材の推移をもたらすように配置される。
【０１２８】
任意選択で、各キャッピング部材は、
ａ）エラストマ材料リップ部分と、
ｂ）リップ部分によって囲まれた空洞と
を備え、リップ部分は、印字ヘッドノズルを囲むように周囲に構成される。
【０１２９】
任意選択で、各キャッピング部材は、効果的にワンピース部材として形成される。
【０１３０】
さらなる態様では、キャッピング機構が、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに垂直な方向に移動するように配置された第２作動機構と
を有する、プリンタが提供される。
【０１３１】
さらなる態様では、キャッピング機構が、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに対して相対的に横の方向に移動するように配置された第２作動機構と
を有する、プリンタが提供される。
【０１３２】
さらなる態様では、キャッピング機構が、さらに、キャッピング部材に関連する、印字ヘッドのノズル環境からパージされた材料を受けるように配置されたパージング手段を有する、プリンタが提供される。
【０１３３】
さらなる態様では、キャッピング機構が、さらに、
印字ヘッドを円弧状の第１方向で第１位置から第２位置に移動するように配置された第１作動機構と、
印字ヘッドが第２位置にある時に、印字ヘッドの、ノズルをキャップする係合をもたらすために、キャッピング部材を第１方向の方向と反対の円弧状の第２方向に移動するように配置された第２作動機構と
を有する、プリンタが提供される。
【０１３４】
さらなる態様では、キャッピング機構が、さらに、
印字ヘッドを円弧状の第１方向で第１位置から第２位置および第３位置に移動するように配置された第１作動機構と、
印字ヘッドが第２位置にある時に、印字ヘッドの、ノズルをキャップする係合をもたらすため、および印字ヘッドが第３位置にある時にノズルのパージングを可能にするために、キャッピング部材を第１方向の方向と反対の円弧状の第２方向に移動するように配置された第２作動機構と
を有する、プリンタが提供される。
【０１３５】
さらなる態様では、キャッピング機構が、
印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を印字ヘッドのノズルと位置合せして位置決めするために、タレットの回転を選択的にもたらすように配置された第１作動機構と、
これによってキャッピング部材およびパージング室のうちの位置合せされた１つが印字ヘッドと係合して選択的に位置決めされる、タレットの移動をもたらすように配置された第２作動機構と
を有する、プリンタが提供される。
【０１３６】
さらなる態様では、キャッピング機構が、
印字ヘッドの長さに実質的に対応する縦の長さを有する回転可能なタレットと、
タレットによって担持される縦に延びるキャッピング部材と、
キャッピング部材をキャップしない第１位置からキャッピング部材が印字ヘッドとのノズルをキャップする係合状態に置かれる第２位置へ移動するために、タレットの回転をもたらすように配置された作動機構と
を有する、プリンタが提供される。
【０１３７】
さらなる態様では、キャッピング機構が、
印字ヘッドに隣接して位置決めされ、印字ヘッドの長さに実質的に対応する縦の長さを有するキャリアと、
キャリアにピボット式に取り付けられ、印字ヘッドの長さに実質的に対応する縦の長さを有する、縦に延びるキャッピング部材と、
キャップしない第１位置からキャッピング部材が印字ヘッドとのノズルをキャップする係合状態に置かれる第２位置へのキャッピング部材のピボット回転をもたらすように配置された作動機構と
を有する、プリンタが提供される。
【０１３８】
さらなる態様では、
キャッピング部材が、柔軟なシート様材料から形成され、印字ヘッドの長さに実質的に対応する幅を有し、
作動機構が、キャッピング部材が印字ヘッドとのノズルをキャップする係合状態に置かれる位置へのキャッピング部材および印字ヘッドの相対的な移動をもたらすように配置される
プリンタが提供される。
【０１３９】
さらなる態様では、キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられる、プリンタが提供される。
【０１４０】
さらなる態様では、
キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【０１４１】
さらなる態様では、キャッピング部材が、
ａ）本体部分と一体に形成されたリップ部分と、
ｂ）リップ部分によって囲まれた空洞であって、リップ部分が、印字ヘッド上のノズルを囲むように周囲に構成され、本体部分が、印字ヘッドの長さに実質的に対応する長さを有する、空洞と
を備える、プリンタが提供される。
【０１４２】
第７の態様で、本発明は、
（ａ）
（ｉ）単一のページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドの長さに実質的に対応する長さを有し、印字ヘッドから離隔されたキャップしない第１位置に置かれるキャッピング部材と、
（ｉｉ）第１位置からキャッピング部材が印字ヘッドとのノズルをキャップする係合状態に置かれる第２位置へのキャッピング部材の円弧状の推移をもたらすように配置された作動機構と
を有するキャッピング機構と
を備えるプリンタを提供する。
【０１４３】
任意選択で、作動機構は、印字ヘッドを過ぎる印刷媒体の輸送の方向にほぼ垂直の方向でのキャッピング部材の推移をもたらすように配置される。
【０１４４】
任意選択で、キャッピング部材は、第１位置にある時に印字ヘッドの下に置かれ、キャッピング部材は、印字ヘッドの、ノズルをキャップする係合をもたらすために円弧状の方向で第１位置から第２位置に持ち上げられる。
【０１４５】
任意選択で、キャッピング部材は、
ａ）エラストマ材料リップ部分と、
ｂ）リップ部分によって囲まれた空洞と
を備え、リップ部分が、印字ヘッドノズルを囲むように周囲に構成される。
【０１４６】
任意選択で、キャッピング部材は、効果的にワンピース部材として形成される。
【０１４７】
任意選択で、キャッピング機構は、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに垂直な方向に移動するように配置された第２作動機構と
を有する。
【０１４８】
さらなる態様では、キャッピング機構が、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに対して相対的に横の方向に移動するように配置された第２作動機構と
を有する、プリンタが提供される。
【０１４９】
さらなる態様では、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有する
プリンタが提供される。
【０１５０】
さらなる態様では、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有し、
作動機構が、キャップしない第１位置からキャッピング部材が印字ヘッドとのノズルをキャップする係合状態に置かれる第２位置への円弧状の方向でのキャッピング部材の推移をもたらすように配置される
プリンタが提供される。
【０１５１】
さらなる態様では、キャッピング機構が、さらに、
印字ヘッドを円弧状の第１方向で第１位置から第２位置に移動するように配置された第１作動機構と、
印字ヘッドが第２位置にある時に、印字ヘッドの、ノズルをキャップする係合をもたらすために、キャッピング部材を第１方向の方向と反対の円弧状の第２方向に移動するように配置された第２作動機構と
を有する、プリンタが提供される。
【０１５２】
さらなる態様では、キャッピング機構が、さらに、
印字ヘッドを円弧状の第１方向で第１位置から第２位置および第３位置に移動するように配置された第１作動機構と、
印字ヘッドが第２位置にある時に、印字ヘッドの、ノズルをキャップする係合をもたらすため、および印字ヘッドが第３位置にある時にノズルのパージングを可能にするために、キャッピング部材を第１方向の方向と反対の円弧状の第２方向に移動するように配置された第２作動機構と
を有する、プリンタが提供される。
【０１５３】
さらなる態様では、キャッピング機構が、
印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を印字ヘッドのノズルと位置合せして位置決めするために、タレットの回転を選択的にもたらすように配置された第１作動機構と、
これによってキャッピング部材およびパージング室のうちの位置合せされた１つが印字ヘッドと係合して選択的に位置決めされる、タレットの移動をもたらすように配置された第２作動機構と
を有する、プリンタが提供される。
【０１５４】
さらなる態様では、キャッピング機構が、
印字ヘッドの長さに実質的に対応する縦の長さを有する回転可能なタレットと、
タレットによって担持される縦に延びるキャッピング部材と、
キャッピング部材をキャップしない第１位置からキャッピング部材が印字ヘッドとのノズルをキャップする係合状態に置かれる第２位置へ移動するために、タレットの回転をもたらすように配置された作動機構と
を有する、プリンタが提供される。
【０１５５】
さらなる態様では、キャッピング機構が、
印字ヘッドに隣接して位置決めされ、印字ヘッドの長さに実質的に対応する縦の長さを有するキャリアと、
キャリアにピボット式に取り付けられ、印字ヘッドの長さに実質的に対応する縦の長さを有する、縦に延びるキャッピング部材と、
キャップしない第１位置からキャッピング部材が印字ヘッドとのノズルをキャップする係合状態に置かれる第２位置へのキャッピング部材のピボット回転をもたらすように配置された作動機構と
を有する、プリンタが提供される。
【０１５６】
さらなる態様では、
キャッピング部材が、柔軟なシート様材料から形成され、印字ヘッドの長さに実質的に対応する幅を有し、
作動機構が、キャッピング部材が印字ヘッドとのノズルをキャップする係合状態に置かれる位置へのキャッピング部材および印字ヘッドの相対的な移動をもたらすように配置される
プリンタが提供される。
【０１５７】
さらなる態様では、キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられる、プリンタが提供される。
【０１５８】
さらなる態様では、
キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【０１５９】
さらなる態様では、キャッピング部材が、
ａ）本体部分と一体に形成されたリップ部分と、
ｂ）リップ部分によって囲まれた空洞であって、リップ部分が、印字ヘッド上のノズルを囲むように周囲に構成され、本体部分が、印字ヘッドの長さに実質的に対応する長さを有する、空洞と
を備える、プリンタが提供される。
【０１６０】
第８の態様で、本発明は、
（ａ）
（ｉ）単一のページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドに関連するキャッピング部材であって、キャッピング部材が、印字ヘッドの長さに実質的に対応する長さを有し、印字ヘッドに隣接するキャップしない第１位置に置かれる、キャッピング部材と、
（ｉｉ）キャッピング部材に関連する、印字ヘッドのノズル環境からパージされた材料を受けるように配置されたパージング手段と、
（ｉｉｉ）第１位置からキャッピング部材が印字ヘッドとのノズルをキャップする係合状態に置かれる第２位置への円弧状の方向でのキャッピング部材の推移をもたらすように配置された作動機構と
を有するキャッピング／パージング機構と
を備えるプリンタを提供する。
【０１６１】
任意選択で、キャッピング部材は、第１位置にある時に、印字ヘッドに対して間隔をおかれた実質的に直面する関係で置かれる。
【０１６２】
任意選択で、パージング手段は、パージされた材料を印字ヘッドのノズル環境から吸引するように配置された吸引デバイスを含む。
【０１６３】
任意選択で、キャッピング部材は、
ａ）エラストマ材料リップ部分と、
ｂ）リップ部分によって囲まれた空洞と
を備え、リップ部分は、印字ヘッドノズルを囲むように周囲に構成される。
【０１６４】
任意選択で、キャッピング部材は、効果的にワンピース部材として形成される。
【０１６５】
任意選択で、室が、キャッピング部材内に置かれ、空洞に流体経路によって通じて接続され、室は、材料を印字ヘッドのノズル環境からこれによって吸引できる吸引デバイスに接続されるように配置される。
【０１６６】
任意選択で、作動機構は、印字ヘッドを過ぎる印刷媒体の輸送の方向にほぼ垂直な方向でのキャッピング部材の推移をもたらすように配置される。
【０１６７】
さらなる態様では、キャッピング部材が、第１位置にある時に印字ヘッドの下に置かれ、キャッピング部材が、印字ヘッドの、ノズルをキャップする係合をもたらすために円弧状の方向で第１位置から第２位置に持ち上げられる、プリンタが提供される。
【０１６８】
さらなる態様では、キャッピング／パージング機構が、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに垂直な方向に移動するように配置された第２作動機構と
を有する、プリンタが提供される。
【０１６９】
さらなる態様では、キャッピング／パージング機構が、さらに、
印字ヘッドを円弧状の方向で第１位置から第２位置に移動するように配置された第１作動機構と、
印字ヘッドが第２位置にある時に、印字ヘッドの、ノズルをキャップする係合をもたらすために、キャッピング部材を印字ヘッドに対して相対的に横の方向に移動するように配置された第２作動機構と
を有する、プリンタが提供される。
【０１７０】
さらなる態様では、キャッピング部材が、印字ヘッドから離隔されたキャップしない第１位置に置かれる、プリンタが提供される。
【０１７１】
さらなる態様では、キャッピング／パージング機構が、さらに、
印字ヘッドを円弧状の第１方向で第１位置から第２位置に移動するように配置された第１作動機構と、
印字ヘッドが第２位置にある時に、印字ヘッドの、ノズルをキャップする係合をもたらすために、キャッピング部材を第１方向の方向と反対の円弧状の第２方向に移動するように配置された第２作動機構と
を有する、プリンタが提供される。
【０１７２】
さらなる態様では、キャッピング／パージング機構が、さらに、
印字ヘッドを円弧状の第１方向で第１位置から第２位置および第３位置に移動するように配置された第１作動機構と、
印字ヘッドが第２位置にある時に、印字ヘッドの、ノズルをキャップする係合をもたらすため、および印字ヘッドが第３位置にある時にノズルのパージングを可能にするために、キャッピング部材を第１方向の方向と反対の円弧状の第２方向に移動するように配置された第２作動機構と
を有する、プリンタが提供される。
【０１７３】
さらなる態様では、キャッピング／パージング機構が、
印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を印字ヘッドのノズルと位置合せして位置決めするために、タレットの回転を選択的にもたらすように配置された第１作動機構と、
これによってキャッピング部材およびパージング室のうちの位置合せされた１つが印字ヘッドと係合して選択的に位置決めされる、タレットの移動をもたらすように配置された第２作動機構と
を有する、プリンタが提供される。
【０１７４】
さらなる態様では、キャッピング／パージング機構が、
印字ヘッドの長さに実質的に対応する縦の長さを有する回転可能なタレットと、
タレットによって担持される縦に延びるキャッピング部材と、
キャッピング部材をキャップしない第１位置からキャッピング部材が印字ヘッドとのノズルをキャップする係合状態に置かれる第２位置へ移動するために、タレットの回転をもたらすように配置された作動機構と
を有する、プリンタが提供される。
【０１７５】
さらなる態様では、キャッピング／パージング機構が、
印字ヘッドに隣接して位置決めされ、印字ヘッドの長さに実質的に対応する縦の長さを有するキャリアと、
キャリアにピボット式に取り付けられ、印字ヘッドの長さに実質的に対応する縦の長さを有する、縦に延びるキャッピング部材と、
キャップしない第１位置からキャッピング部材が印字ヘッドとのノズルをキャップする係合状態に置かれる第２位置へのキャッピング部材のピボット回転をもたらすように配置された作動機構と
を有する、プリンタが提供される。
【０１７６】
さらなる態様では、
キャッピング部材が、柔軟なシート様材料から形成され、印字ヘッドの長さに実質的に対応する幅を有し、
作動機構が、キャッピング部材が印字ヘッドとのノズルをキャップする係合状態に置かれる位置へのキャッピング部材および印字ヘッドの相対的な移動をもたらすように配置される
プリンタが提供される。
【０１７７】
さらなる態様では、キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられる、プリンタが提供される。
【０１７８】
さらなる態様では、
キャッピング部材が、柔軟なシート様材料から形成され、印字ヘッドの長さに実質的に対応する幅を有し、柔軟なシート様材料が、材料の一部がキャッピング部材として印字ヘッドとのノズルをキャップする係合状態に置かれるために使用中にそこから引き出される交換可能なロールとして設けられ、
キャッピング／パージング機構が、さらに、キャッピング動作の後に、費やされたキャッピング材料を巻き取るように配置された巻き取りリールを有する
プリンタが提供される。
【０１７９】
さらなる態様では、キャッピング部材が、
ａ）本体部分と一体に形成されたリップ部分と、
ｂ）リップ部分によって囲まれた空洞であって、リップ部分が、印字ヘッド上のノズルを囲むように周囲に構成され、本体部分が、印字ヘッドの長さに実質的に対応する長さを有する、空洞と
を備える、プリンタが提供される。
【０１８０】
第９の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）
（ｉ）少なくとも１つの印字ヘッドの長さに実質的に対応する長さを有する少なくとも１つのキャッピング部材と、
（ｉｉ）少なくとも１つの印字ヘッドを円弧状の第１方向で第１位置から第２位置に移動するように配置された第１作動機構と、
（ｉｉｉ）少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有するキャッピング機構と
を備えるプリンタを提供する。
【０１８１】
任意選択で、少なくとも１つのキャッピング部材は、効果的にワンピース部材として形成される。
【０１８２】
任意選択で、少なくとも１つのキャッピング部材は、少なくとも１つの印字ヘッドの長さに実質的に対応する集合としての長さを有する連接されたキャッピング部材部分を備える。
【０１８３】
任意選択で、少なくとも１つのキャッピング部材は、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０１８４】
任意選択で、印字ヘッドは、第１位置にある時に直面する関係で配置される。
【０１８５】
さらなる態様では、
（ａ）
（ｉ）２つの対向するページ幅印字ヘッドと、
（ｉｉ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドのめいめいの１つに隣接して置かれ、印字ヘッドの長さに実質的に対応する長さを有する２つのキャッピング部材と、
（ｉｉ）めいめいの印字ヘッドを円弧状の第１方向で第１位置から第２位置に移動するように配置された第１作動機構と、
（ｉｉｉ）めいめいの印字ヘッドが第２位置にある時に、めいめいの印字ヘッドの、ノズルをキャップする係合をもたらすために、キャッピング部材を第１方向の方向と反対の円弧状の第２方向に移動するように配置された第２作動機構と
を有するキャッピング機構と
を備えるプリンタが提供される。
【０１８６】
任意選択で、キャッピング部材のそれぞれは、効果的にワンピース部材として形成される。
【０１８７】
任意選択で、キャッピング部材のそれぞれは、めいめいの印字ヘッドの長さに実質的に対応する集合としての長さを有する連接されたキャッピング部材部分を備える。
【０１８８】
任意選択で、キャッピング部材のそれぞれは、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０１８９】
任意選択で、印字ヘッドは、第１位置にある時に直面する関係で配置される。
【０１９０】
任意選択で、第２作動機構は、少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置される。
【０１９１】
任意選択で、第２作動機構は、少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置される。
【０１９２】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
第１作動機構が、印刷する第１位置から、離隔された第２位置への印字ヘッドの相対的な移動をもたらすように配置され、
第２作動機構が、印字ヘッドが第２位置にある時に、２つの印字ヘッドの、ノズルをキャップする係合をもたらすために印字ヘッドの間でキャッピング部材を間に挟むように配置される
プリンタが提供される。
【０１９３】
さらなる態様では、
キャッピング部材が、少なくとも１つの印字ヘッドに隣接するキャップしない第１位置に置かれ、
キャッピング機構が、さらに、キャッピング部材に関連する、少なくとも１つの印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれる第２位置へのキャッピング部材の推移をもたらすように配置される
プリンタが提供される。
【０１９４】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０１９５】
さらなる態様では、
ページ幅印字ヘッドアセンブリが、単一のページ幅印字ヘッドを有し、
キャッピング部材が、印字ヘッドから離隔されたキャップしない第１位置に置かれ、
第２作動機構が、キャップしない第１位置からキャッピング部材が印字ヘッドとのノズルをキャップする係合状態に置かれる第２位置へのキャッピング部材の円弧状の推移をもたらすように配置される
プリンタが提供される。
【０１９６】
さらなる態様では、
ページ幅印字ヘッドアセンブリが、単一のページ幅印字ヘッドを有し、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有し、
第２作動機構が、キャップしない第１位置からキャッピング部材が印字ヘッドとのノズルをキャップする係合状態に置かれる第２位置へのキャッピング部材の円弧状の方向の推移をもたらすように配置される
プリンタが提供される。
【０１９７】
さらなる態様では、
第１作動機構が、少なくとも１つの印字ヘッドを円弧状の第１方向で第１位置から第２位置および第３位置に移動するように配置され、
第２作動機構が、少なくとも１つの印字ヘッドが第３位置にある時にノズルのパージングを可能にするように配置される
プリンタが提供される。
【０１９８】
さらなる態様では、キャッピング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０１９９】
さらなる態様では、キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０２００】
さらなる態様では、キャッピング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０２０１】
さらなる態様では、
キャッピング部材が、柔軟なシート様材料から形成され、少なくとも１つの印字ヘッドの長さに実質的に対応する幅を有し、
第２作動機構が、キャッピング部材が少なくとも１つの印字ヘッドとのノズルをキャップする係合状態に置かれる位置へのキャッピング部材および少なくとも１つの印字ヘッドの相対的な移動をもたらすように配置される
プリンタが提供される。
【０２０２】
さらなる態様では、キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【０２０３】
さらなる態様では、
キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【０２０４】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０２０５】
第１０の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）
（ｉ）少なくとも１つの印字ヘッドの長さに実質的に対応する長さを有する少なくとも１つのキャッピング／パージング部材と、
（ｉｉ）少なくとも１つの印字ヘッドを円弧状の第１方向で第１位置から第２位置および第３位置に移動するように配置された第１作動機構と、
（ｉｉｉ）少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング／パージング部材を第１方向の方向と反対の円弧状の第２方向に移動するように配置された第２作動機構と
を有するキャッピング／パージング機構と
を備えるプリンタを提供する。
【０２０６】
任意選択で、少なくとも１つのキャッピング／パージング部材は、効果的にワンピース部材として形成される。
【０２０７】
任意選択で、少なくとも１つのキャッピング／パージング部材は、少なくとも１つの印字ヘッドの長さに実質的に対応する集合としての長さを有する連接された部材部分を備える。
【０２０８】
任意選択で、少なくとも１つのキャッピング／パージング部材は、本体部分と、エラストマ材料から形成されたリップ部分と、リップ部分によって囲まれたキャッピング空洞と、やはりリップ部分によって囲まれたパージング室とを備え、リップ部分は、印字ヘッドノズルを囲むように周囲に構成される。
【０２０９】
任意選択で、キャッピング空洞およびパージング室は、キャッピング／パージング部材の一体の部分を形成する。
【０２１０】
任意選択で、少なくとも１つのキャッピング／パージング部材内のパージング室は、吸引デバイスに接続される。
【０２１１】
任意選択で、パージング室は、エクストラクタチューブによって吸引デバイスに接続される。
【０２１２】
任意選択で、印字ヘッドは、第１位置にある時に直面する関係で配置される。
【０２１３】
さらなる態様では、
（ａ）
（ｉ）２つの対向するページ幅印字ヘッドと、
（ｉｉ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）
（ｉ）印字ヘッドのめいめいの１つに隣接して置かれ、印字ヘッドの長さに実質的に対応する長さを有する２つのキャッピング部材と、
（ｉｉ）めいめいの印字ヘッドを円弧状の第１方向で第１位置から第２位置および第３位置に移動するように配置された第１作動機構と、
（ｉｉｉ）めいめいの印字ヘッドが第２位置にある時に、めいめいの印字ヘッドの、ノズルをキャップする係合をもたらすため、および印字ヘッドが第３位置にある時にノズルのパージングを可能にするために、キャッピング部材を第１方向の方向と反対の円弧状の第２方向に移動するように配置された第２作動機構と
を有するキャッピング／パージング機構と
を備えるプリンタが提供される。
【０２１４】
任意選択で、各キャッピング／パージング部材は、効果的にワンピース部材として形成される。
【０２１５】
任意選択で、各キャッピング／パージング部材は、印字ヘッドのそれぞれの長さに実質的に対応する集合としての長さを有する連接されたキャッピング部材部分を備える。
【０２１６】
任意選択で、各キャッピング／パージング部材は、本体部分と、エラストマ材料から形成されたリップ部分と、リップ部分によって囲まれたキャッピング空洞と、やはりリップ部分によって囲まれたパージング室とを有し、リップ部分は、印字ヘッドノズルを囲むように周囲に構成される。
【０２１７】
任意選択で、キャッピング空洞およびパージング室は、キャッピング／パージング部材の一体の部分を形成する。
【０２１８】
任意選択で、各キャッピング／パージング部材内のパージング室は、吸引デバイスに接続される。
【０２１９】
任意選択で、パージング室は、エクストラクタチューブによって吸引デバイスに接続される。
【０２２０】
任意選択で、印字ヘッドは、第１位置にある時に直面する関係で配置される。
【０２２１】
任意選択で、第２作動機構は、少なくとも１つの印字ヘッドが第２位置にある時に、少なくとも１つの印字ヘッドの、ノズルをキャップする係合をもたらすために、少なくとも１つのキャッピング／パージング部材を少なくとも１つの印字ヘッドに垂直な方向に移動するように配置される。
【０２２２】
任意選択で、第２作動機構は、少なくとも１つの印字ヘッドが第２位置にある時に、少なくとも１つの印字ヘッドの、ノズルをキャップする係合をもたらすために、少なくとも１つのキャッピング／パージング部材を少なくとも１つの印字ヘッドに対して相対的に横の方向に移動するように配置される。
【０２２３】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング／パージング部材が、印字ヘッドに隣接して置かれ、印字ヘッドの長さに実質的に対応する長さを有し、
第１作動機構が、印刷する第１位置から、離隔された第２位置への印字ヘッドの相対的な移動をもたらすように配置され、
第２作動機構が、印字ヘッドが第２位置にある時に、２つの印字ヘッドの、ノズルをキャップする係合をもたらすために印字ヘッドの間にキャッピング／パージング部材を間に挟むように配置される
プリンタが提供される。
【０２２４】
さらなる態様では、
キャッピング／パージング部材が、少なくとも１つの印字ヘッドに隣接するキャップしない第１位置に置かれ、
キャッピング／パージング機構が、さらに、キャッピング／パージング部材に関連する、少なくとも１つの印字ヘッドのノズル環境からパージされた材料を受けるように配置されたパージング手段を有し、
第２作動機構が、キャップしない第１位置からキャッピング／パージング部材が印字ヘッドとのノズルをキャップする係合状態に置かれる第２位置へのキャッピング／パージング部材の推移をもたらすように配置される
プリンタが提供される。
【０２２５】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング／パージング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０２２６】
さらなる態様では、
ページ幅印字ヘッドアセンブリが、単一のページ幅印字ヘッドを有し、
キャッピング／パージング部材が、印字ヘッドから離隔されたキャップしない第１位置に置かれ、
第２作動機構が、キャップしない第１位置からキャッピング／パージング部材が印字ヘッドとのノズルをキャップする係合状態に置かれる第２位置へのキャッピング／パージング部材の円弧状の推移をもたらすように配置される
プリンタが提供される。
【０２２７】
さらなる態様では、
ページ幅印字ヘッドアセンブリが、単一のページ幅印字ヘッドを有し、
キャッピング／パージング部材が、印字ヘッドに隣接するキャップしない第１位置に置かれ、
キャッピング／パージング機構が、さらに、キャッピング／パージング部材に関連する、印字ヘッドのノズル環境からパージされた材料を受けるように配置されたパージング手段を有し、
第２作動機構が、キャップしない第１位置からキャッピング／パージング部材が印字ヘッドとのノズルをキャップする係合状態に置かれる第２位置へのキャッピング／パージング部材の円弧状の方向の推移をもたらすように配置される
プリンタが提供される。
【０２２８】
さらなる態様では、キャッピング／パージング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０２２９】
さらなる態様では、キャッピング／パージング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０２３０】
さらなる態様では、キャッピング／パージング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０２３１】
さらなる態様では、
キャッピング／パージング部材が、柔軟なシート様材料から形成され、少なくとも１つの印字ヘッドの長さに実質的に対応する幅を有し、
第２作動機構が、キャッピング／パージング部材が少なくとも１つの印字ヘッドとのノズルをキャップする係合状態に置かれる位置へのキャッピング／パージング部材および少なくとも１つの印字ヘッドの相対的な移動をもたらすように配置される
プリンタが提供される。
【０２３２】
さらなる態様では、キャッピング／パージング部材が、柔軟なシート様材料から形成され、少なくとも１つの印字ヘッドの長さに実質的に対応する幅を有し、柔軟なシート様材料が、材料の一部がキャッピング／パージング部材として少なくとも１つの印字ヘッドとのノズルをキャップする係合状態に置かれるために使用中にそこから引き出される交換可能なロールとして設けられる、プリンタが提供される。
【０２３３】
さらなる態様では、
キャッピング／パージング部材が、柔軟なシート様材料から形成され、少なくとも１つの印字ヘッドの長さに実質的に対応する幅を有し、柔軟なシート様材料が、材料の一部がキャッピング／パージング部材として少なくとも１つの印字ヘッドとのノズルをキャップする係合状態に置かれるために使用中にそこから引き出される交換可能なロールとして設けられ、
キャッピング／パージング機構が、さらに、キャッピング動作の後に、費やされたキャッピング材料を巻き取るように配置された巻き取りリールを有する
プリンタが提供される。
【０２３４】
さらなる態様では、キャッピング／パージング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０２３５】
第１１の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連し、
（ｉ）少なくとも１つの印字ヘッドの長さに実質的に対応する縦の長さを有する回転可能なタレットと、
（ｉｉ）タレットによって担持される縦に延びるキャッピング部材と、
（ｉｉｉ）タレットによって担持され、吸引デバイスに流体通路によって通じて接続されるパージング室と、
（ｉｖ）キャッピング部材またはパージング室を印字ヘッドのノズルと位置合せして位置決めするために、タレットの回転を選択的にもたらすように配置された第１作動機構と、
（ｖ）これによってキャッピング部材およびパージング室のうちの位置合せされた１つが少なくとも１つの印字ヘッドと係合して選択的に位置決めされる、タレットの移動をもたらすように配置された第２作動機構と
を具備するキャッピング／パージング機構と
を備えるプリンタを提供する。
【０２３６】
任意選択で、縦に延びるプラテンも、タレットによって担持され、第１作動機構は、プラテンが少なくとも１つの印字ヘッドとの位置合せされ離隔された関係で置かれる位置へのタレットの回転をもたらすように配置される。
【０２３７】
さらなる態様では、
（ａ）
（ｉ）ページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）印字ヘッドに関連し、
（ｉ）印字ヘッドの長さに実質的に対応する縦の長さを有する回転可能なタレットと、
（ｉｉ）タレットによって担持される縦に延びるキャッピング部材と、
（ｉｉｉ）タレットによって担持され、吸引デバイスに流体通路によって通じて接続されるパージング室と、
（ｉｖ）キャッピング部材またはパージング室を少なくとも１つの印字ヘッドのノズルと位置合せして位置決めするために、タレットの回転を選択的にもたらすように配置された第１作動機構と、
（ｖ）これによってキャッピング部材およびパージング室のうちの位置合せされた１つが印字ヘッドと係合して選択的に位置決めされる、タレットの移動をもたらすように配置された第２作動機構と
を具備するキャッピング／パージング機構と
を備えるプリンタが提供される。
【０２３８】
任意選択で、縦に延びるプラテンも、タレットによって担持され、第１作動機構は、プラテンが印字ヘッドとの位置合せされ離隔された関係で置かれる位置へのタレットの回転をもたらすように配置される。
【０２３９】
任意選択で、キャッピング部材は、効果的にワンピース部材として形成され、印字ヘッドの長さに実質的に対応する長さを有する。
【０２４０】
任意選択で、キャッピング部材は、印字ヘッドの長さに実質的に対応する集合としての長さを有する連接された部材部分を備える。
【０２４１】
任意選択で、キャッピング部材は、本体部分と、エラストマ材料から形成されたリップ部分と、リップ部分によって囲まれた空洞とを備え、リップ部分は、印字ヘッドノズルを囲むように周囲に構成される。
【０２４２】
任意選択で、パージング室は、縦に延びる部材を備え、印字ヘッドの長さに実質的に対応する縦の長さを有する。
【０２４３】
任意選択で、パージング室は、印字ヘッドの長さに実質的に対応する集合としての長さを有する連接された部材部分を備える。
【０２４４】
任意選択で、パージング室は、本体部分と、エラストマ材料から形成されたリップ部分と、リップ部分によって囲まれた空洞とを備え、リップ部分は、印字ヘッドノズルを囲むように周囲に構成される。
【０２４５】
任意選択で、タレットは、全般的に三角形の断面を有し、プラテン、キャッピング部材、およびパージング室は、タレットのめいめいの側面に置かれる。
【０２４６】
さらなる態様では、キャッピング／パージング機構が、
少なくとも１つの印字ヘッドの長さに実質的に対応する長さを有する少なくとも１つのキャッピング部材と、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有する、プリンタが提供される。
【０２４７】
さらなる態様では、キャッピング／パージング機構が、
少なくとも１つの印字ヘッドの長さに実質的に対応する長さを有する少なくとも１つのキャッピング部材と、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有する、プリンタが提供される。
【０２４８】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング／パージング機構が、
印字ヘッドに隣接して置かれ、印字ヘッドの長さに実質的に対応する長さを有するキャッピング部材と、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
を有する
プリンタが提供される。
【０２４９】
さらなる態様では、
ページ幅印字ヘッドアセンブリが、単一のページ幅印字ヘッドを有し、
キャッピング／パージング機構が、
印字ヘッドの長さに実質的に対応する長さを有し、印字ヘッドから離隔されているが印字ヘッドに直面するキャップしない第１位置に置かれるキャッピング部材と、
第１位置からキャッピング部材が印字ヘッドとのノズルをキャップする係合状態に置かれる第２位置へのキャッピング部材の直線推移をもたらすために、キャッピング部材とのカミング係合のために配置されたモータードライブと
を有する
プリンタが提供される。
【０２５０】
さらなる態様では、キャッピング／パージング機構が、
少なくとも１つの印字ヘッドに関連するキャッピング部材であって、キャッピング部材が、少なくとも１つの印字ヘッドの長さに実質的に対応する長さを有し、少なくとも１つの印字ヘッドに隣接するキャップしない第１位置に置かれる、キャッピング部材と、
キャッピング部材に関連する、少なくとも１つの印字ヘッドのノズル環境からパージされた材料を受けるように配置されたパージング手段と、
第１位置からキャッピング部材が印字ヘッドとのノズルをキャップする係合状態に置かれる第２位置へのキャッピング部材の推移をもたらすように配置された作動機構と
を有する、プリンタが提供される。
【０２５１】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング／パージング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
のプリンタが提供される。
【０２５２】
さらなる態様では、
ページ幅印字ヘッドアセンブリが、単一のページ幅印字ヘッドを有し、
キャッピング／パージング機構が、
印字ヘッドの長さに実質的に対応する長さを有し、印字ヘッドから離隔されたキャップしない第１位置に置かれるキャッピング部材と、
第１位置からキャッピング部材が印字ヘッドとのノズルをキャップする係合状態に置かれる第２位置へのキャッピング部材の円弧状の推移をもたらすように配置された作動機構と
を有する
プリンタが提供される。
【０２５３】
さらなる態様では、
ページ幅印字ヘッドアセンブリが、単一のページ幅印字ヘッドを有し、
キャッピング／パージング機構が、
印字ヘッドに関連するキャッピング部材であって、キャッピング部材が、印字ヘッドの長さに実質的に対応する長さを有し、印字ヘッドに隣接するキャップしない第１位置に置かれる、キャッピング部材と、
キャッピング部材に関連する、印字ヘッドのノズル環境からパージされた材料を受けるように配置されたパージング手段と、
第１位置からキャッピング部材が印字ヘッドとのノズルをキャップする係合状態に置かれる第２位置への円弧状の方向でのキャッピング部材の推移をもたらすように配置された作動機構と
を有する
プリンタが提供される。
【０２５４】
さらなる態様では、キャッピング／パージング機構が、
少なくとも１つの印字ヘッドの長さに実質的に対応する長さを有する少なくとも１つのキャッピング部材と、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有する、プリンタが提供される。
【０２５５】
さらなる態様では、キャッピング／パージング機構が、
少なくとも１つの印字ヘッドの長さに実質的に対応する長さを有する少なくとも１つのキャッピング／パージング部材と、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング／パージング部材を第１方向の方向と反対の円弧状の第２方向に移動するように配置された第２作動機構と
を有する、プリンタが提供される。
【０２５６】
さらなる態様では、第２作動機構が、キャッピング部材を、キャップしない第１位置からキャッピング部材が少なくとも１つの印字ヘッドとのノズルをキャップする係合状態に置かれる第２位置へ移動するために、タレットの回転をもたらすように配置される、プリンタが提供される。
【０２５７】
さらなる態様では、キャッピング／パージング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０２５８】
さらなる態様では、キャッピング／パージング機構が、
柔軟なシート様材料から形成され、少なくとも１つの印字ヘッドの長さに実質的に対応する幅を有するキャッピング部材と、
キャッピング部材が少なくとも１つの印字ヘッドとのノズルをキャップする係合状態に置かれる位置へのキャッピング部材および少なくとも１つの印字ヘッドの相対的な移動をもたらすように配置された作動機構と
を有する、プリンタが提供される。
【０２５９】
さらなる態様では、キャッピング／パージング機構が、柔軟なシート様材料から形成された、少なくとも１つの印字ヘッドの長さに実質的に対応する幅を有するキャッピング部材を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【０２６０】
さらなる態様では、キャッピング／パージング機構が、
柔軟なシート様材料から形成され、少なくとも１つの印字ヘッドの長さに実質的に対応する幅を有するキャッピング部材であって、柔軟なシート様材料が、材料の一部がキャッピング部材として少なくとも１つの印字ヘッドとのノズルをキャップする係合状態に置かれるために使用中にそこから引き出される交換可能なロールとして設けられる、キャッピング部材と、
キャッピング動作の後に、費やされたキャッピング材料を巻き取るように配置された巻き取りリールと
を有する、プリンタが提供される。
【０２６１】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０２６２】
第１２の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連し、
（ｉ）少なくとも１つの印字ヘッドの長さに実質的に対応する縦の長さを有する回転可能なタレットと、
（ｉｉ）タレットによって担持される縦に延びるキャッピング部材と、
（ｉｉｉ）キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を具備するキャッピング機構と
を備えるプリンタを提供する。
【０２６３】
任意選択で、タレットは、キャッピング部材が第１位置にある時に印字ヘッドノズルと位置合せされるパージング室を組み込む。
【０２６４】
さらなる態様では、
（ａ）
（ｉ）ページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）印字ヘッドに関連し、
（ｉ）印字ヘッドの長さに実質的に対応する縦の長さを有する回転可能なタレットと、
（ｉｉ）タレットによって担持される縦に延びるキャッピング部材と、
（ｉｉｉ）キャッピング部材を、キャップしない第１位置からキャッピング部材が印字ヘッドとのノズルをキャップする係合状態に置かれる第２位置へ移動するために、タレットの回転をもたらすように配置された作動機構と
を具備するキャッピング機構と
を備えるプリンタが提供される。
【０２６５】
任意選択で、タレットは、キャッピング部材が第１位置にある時に印字ヘッドノズルと位置合せされるパージング室を組み込む。
【０２６６】
任意選択で、タレットは、キャッピング部材がキャップしない第１位置にある時に印字ヘッドに隣接して位置する縦に延びる実質的に平らなランド部分を有する。
【０２６７】
任意選択で、キャッピング部材は、タレットの偏心ランド部分によって担持される。
【０２６８】
任意選択で、パージング室は、タレットの内部に置かれる。
【０２６９】
任意選択で、パージング室は、ポートによってタレットの平らなランド部分に開いている。
【０２７０】
任意選択で、パージング室は、吸引デバイスに接続される。
【０２７１】
任意選択で、タレットの平らなランド部分は、キャッピング部材が第１位置にある時に効果的にプラテンを形成する。
【０２７２】
任意選択で、キャッピング部材は、効果的にワンピース部材として形成され、印字ヘッドの長さに実質的に対応する長さを有する。
【０２７３】
任意選択で、キャッピング部材は、本体部分と、エラストマ材料から形成されたリップ部分と、リップ部分によって囲まれた空洞とを備え、リップ部分は、印字ヘッドノズルを囲むように周囲に構成される。
【０２７４】
任意選択で、キャッピング部材は、印字ヘッドの長さに実質的に対応する集合としての長さを有する連接された部材部分を備える。
【０２７５】
任意選択で、キャッピング部材は、タレットの偏心ランド部分によって担持される。
【０２７６】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有する、プリンタが提供される。
【０２７７】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有する、プリンタが提供される。
【０２７８】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドに隣接して置かれ、印字ヘッドの長さに実質的に対応する長さを有するキャッピング部材と、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
を有する
プリンタが提供される。
【０２７９】
さらなる態様では、
ページ幅印字ヘッドアセンブリが、単一のページ幅印字ヘッドを有し、
キャッピング機構が、
印字ヘッドの長さに実質的に対応する長さを有し、印字ヘッドから離隔されているが印字ヘッドに直面するキャップしない第１位置に置かれるキャッピング部材と、
第１位置からキャッピング部材が印字ヘッドとのノズルをキャップする係合状態に置かれる第２位置へのキャッピング部材の直線推移をもたらすために、キャッピング部材とのカミング係合のために配置されたモータードライブと
を有する
プリンタが提供される。
【０２８０】
さらなる態様では、キャッピング機構が、
少なくとも１つの印字ヘッドに関連するキャッピング部材であって、キャッピング部材が、少なくとも１つの印字ヘッドの長さに実質的に対応する長さを有し、少なくとも１つの印字ヘッドに隣接するキャップしない第１位置に置かれる、キャッピング部材と、
キャッピング部材に関連する、少なくとも１つの印字ヘッドのノズル環境からパージされた材料を受けるように配置されたパージング手段と、
第１位置からキャッピング部材が印字ヘッドとのノズルをキャップする係合状態に置かれる第２位置へのキャッピング部材の推移をもたらすように配置された作動機構と
を有する、プリンタが提供される。
【０２８１】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０２８２】
さらなる態様では、
ページ幅印字ヘッドアセンブリが、単一のページ幅印字ヘッドを有し、
キャッピング機構が、
印字ヘッドの長さに実質的に対応する長さを有し、印字ヘッドから離隔されたキャップしない第１位置に置かれるキャッピング部材と、
第１位置からキャッピング部材が印字ヘッドとのノズルをキャップする係合状態に置かれる第２位置へのキャッピング部材の円弧状の推移をもたらすように配置された作動機構と
を有する
プリンタが提供される。
【０２８３】
さらなる態様では、
ページ幅印字ヘッドアセンブリが、単一のページ幅印字ヘッドを有し、
キャッピング機構が、
印字ヘッドに関連するキャッピング部材であって、キャッピング部材が、印字ヘッドの長さに実質的に対応する長さを有し、印字ヘッドに隣接するキャップしない第１位置に置かれる、キャッピング部材と、
キャッピング部材に関連する、印字ヘッドのノズル環境からパージされた材料を受けるように配置されたパージング手段と、
第１位置からキャッピング部材が印字ヘッドとのノズルをキャップする係合状態に置かれる第２位置への円弧状の方向でのキャッピング部材の推移をもたらすように配置された作動機構と
を有する
プリンタが提供される。
【０２８４】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有する、プリンタが提供される。
【０２８５】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置された第２作動機構と
を有する、プリンタが提供される。
【０２８６】
さらなる態様では、キャッピング機構が、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０２８７】
さらなる態様では、キャッピング機構が、
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０２８８】
さらなる態様では、キャッピング機構が、
柔軟なシート様材料から形成され、少なくとも１つの印字ヘッドの長さに実質的に対応する幅を有するキャッピング部材と、
キャッピング部材が少なくとも１つの印字ヘッドとのノズルをキャップする係合状態に置かれる位置へのキャッピング部材および少なくとも１つの印字ヘッドの相対的な移動をもたらすように配置された作動機構と
を有する、プリンタが提供される。
【０２８９】
さらなる態様では、キャッピング機構が、柔軟なシート様材料から形成された、少なくとも１つの印字ヘッドの長さに実質的に対応する幅を有するキャッピング部材を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【０２９０】
さらなる態様では、キャッピング機構が、
柔軟なシート様材料から形成され、少なくとも１つの印字ヘッドの長さに実質的に対応する幅を有するキャッピング部材であって、柔軟なシート様材料が、材料の一部がキャッピング部材として少なくとも１つの印字ヘッドとのノズルをキャップする係合状態に置かれるために使用中にそこから引き出される交換可能なロールとして設けられる、キャッピング部材と、
キャッピング動作の後に、費やされたキャッピング材料を巻き取るように配置された巻き取りリールと
を有する、プリンタが提供される。
【０２９１】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０２９２】
第１３の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連し、
（ｉ）少なくとも１つの印字ヘッドに隣接して位置決めされ、少なくとも１つの印字ヘッドの長さに実質的に対応する縦の長さを有するキャリアと、
（ｉｉ）キャリアにピボット式に取り付けられ、少なくとも１つの印字ヘッドの長さに実質的に対応する縦の長さを有する、縦に延びるキャッピング部材と、
（ｉｉｉ）キャップしない第１位置からキャッピング部材が少なくとも１つの印字ヘッドとのノズルをキャップする係合状態に置かれる第２位置へのキャッピング部材のピボット回転をもたらすように配置された作動機構と
を具備するキャッピング機構と
を備えるプリンタを提供する。
【０２９３】
任意選択で、キャリアは、材料を印字ヘッドノズルからその中にパージすることのできるパージング室を組み込む。
【０２９４】
さらなる態様では、
（ａ）
（ｉ）ページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）印字ヘッドに関連し、
（ｉ）印字ヘッドに隣接して位置決めされ、印字ヘッドの長さに実質的に対応する縦の長さを有するキャリアと、
（ｉｉ）キャリアにピボット式に取り付けられ、印字ヘッドの長さに実質的に対応する縦の長さを有する、縦に延びるキャッピング部材と、
（ｉｉｉ）キャップしない第１位置からキャッピング部材が印字ヘッドとのノズルをキャップする係合状態に置かれる第２位置へのキャッピング部材のピボット回転をもたらすように配置された作動機構と
を具備するキャッピング機構と
を備えるプリンタが提供される。
【０２９５】
任意選択で、キャリアは、材料を印字ヘッドノズルからその中にパージすることのできるパージング室を組み込む。
【０２９６】
任意選択で、パージング室は、吸引デバイスに接続される。
【０２９７】
任意選択で、キャリアは、印字ヘッドに対して直面する関係で位置決めされ、使用中に印字ヘッドを過ぎて輸送される印刷媒体の通路の下側マージンを形成するために印字ヘッドから間隔をおかれる。
【０２９８】
任意選択で、キャッピング部材は、本体部分と、エラストマ材料から形成されたリップ部分と、リップ部分によって囲まれた空洞とを備え、リップ部分は、印字ヘッドノズルを囲むように周囲に構成される。
【０２９９】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有する、プリンタが提供される。
【０３００】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有する、プリンタが提供される。
【０３０１】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドに隣接して置かれ、印字ヘッドの長さに実質的に対応する長さを有するキャッピング部材と、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
を有する、プリンタが提供される。
【０３０２】
さらなる態様では、
ページ幅印字ヘッドアセンブリが、単一のページ幅印字ヘッドを有し、
キャッピング機構が、
印字ヘッドの長さに実質的に対応する長さを有し、印字ヘッドから離隔されているが印字ヘッドに直面するキャップしない第１位置に置かれるキャッピング部材と、
第１位置からキャッピング部材が印字ヘッドとのノズルをキャップする係合状態に置かれる第２位置へのキャッピング部材の直線推移をもたらすために、キャッピング部材とのカミング係合のために配置されたモータードライブと
を有する
プリンタが提供される。
【０３０３】
さらなる態様では、キャッピング機構が、
少なくとも１つの印字ヘッドに関連するキャッピング部材であって、キャッピング部材が、少なくとも１つの印字ヘッドの長さに実質的に対応する長さを有し、少なくとも１つの印字ヘッドに隣接するキャップしない第１位置に置かれる、キャッピング部材と、
キャッピング部材に関連する、少なくとも１つの印字ヘッドのノズル環境からパージされた材料を受けるように配置されたパージング手段と、
第１位置からキャッピング部材が印字ヘッドとのノズルをキャップする係合状態に置かれる第２位置へのキャッピング部材の推移をもたらすように配置された作動機構と
を有する、プリンタが提供される。
【０３０４】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０３０５】
さらなる態様では、
ページ幅印字ヘッドアセンブリが、単一のページ幅印字ヘッドを有し、
キャッピング機構が、
印字ヘッドの長さに実質的に対応する長さを有し、印字ヘッドから離隔されたキャップしない第１位置に置かれるキャッピング部材と、
第１位置からキャッピング部材が印字ヘッドとのノズルをキャップする係合状態に置かれる第２位置へのキャッピング部材の円弧状の推移をもたらすように配置された作動機構と
を有する
プリンタが提供される。
【０３０６】
さらなる態様では、
ページ幅印字ヘッドアセンブリが、単一のページ幅印字ヘッドを有し、
キャッピング機構が、
印字ヘッドに関連するキャッピング部材であって、キャッピング部材が、印字ヘッドの長さに実質的に対応する長さを有し、印字ヘッドに隣接するキャップしない第１位置に置かれる、キャッピング部材と、
キャッピング部材に関連する、印字ヘッドのノズル環境からパージされた材料を受けるように配置されたパージング手段と、
第１位置からキャッピング部材が印字ヘッドとのノズルをキャップする係合状態に置かれる第２位置への円弧状の方向でのキャッピング部材の推移をもたらすように配置された作動機構と
を有する
プリンタが提供される。
【０３０７】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有する、プリンタが提供される。
【０３０８】
さらなる態様では、キャッピング機構が、
少なくとも１つの印字ヘッドの長さに実質的に対応する長さを有する少なくとも１つのキャッピング部材と、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置された第２作動機構と
を有する、プリンタが提供される。
【０３０９】
さらなる態様では、キャッピング機構が、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０３１０】
さらなる態様では、キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０３１１】
さらなる態様では、キャッピング機構が、
柔軟なシート様材料から形成され、少なくとも１つの印字ヘッドの長さに実質的に対応する幅を有するキャッピング部材と、
キャッピング部材が少なくとも１つの印字ヘッドとのノズルをキャップする係合状態に置かれる位置へのキャッピング部材および少なくとも１つの印字ヘッドの相対的な移動をもたらすように配置された作動機構と
を有する、プリンタが提供される。
【０３１２】
さらなる態様では、キャッピング機構が、柔軟なシート様材料から形成された、少なくとも１つの印字ヘッドの長さに実質的に対応する幅を有するキャッピング部材を有し、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【０３１３】
さらなる態様では、キャッピング機構が、
柔軟なシート様材料から形成され、少なくとも１つの印字ヘッドの長さに実質的に対応する幅を有するキャッピング部材であって、柔軟なシート様材料が、材料の一部がキャッピング部材として少なくとも１つの印字ヘッドとのノズルをキャップする係合状態に置かれるために使用中にそこから引き出される交換可能なロールとして設けられる、キャッピング部材と、
キャッピング動作の後に、費やされたキャッピング材料を巻き取るように配置された巻き取りリールと
を有する、プリンタが提供される。
【０３１４】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０３１５】
第１４の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連し、
ｉ）柔軟なシート様材料から形成され、少なくとも１つの印字ヘッドの長さに実質的に対応する幅を有するキャッピング部材と、
ｉｉ）キャッピング部材が少なくとも１つの印字ヘッドとのノズルをキャップする係合状態に置かれる位置へのキャッピング部材および少なくとも１つの印字ヘッドの相対的な移動をもたらすように配置された作動機構と
を具備するキャッピング機構と
を備えるプリンタを提供する。
【０３１６】
さらなる態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連し、
ｉ）柔軟なシート様材料から形成され、少なくとも１つの印字ヘッドの長さに実質的に対応する幅を有するキャッピング部材と、
ｉｉ）キャッピング部材を少なくとも１つの印字ヘッドとのノズルをキャップする係合状態で位置決めするように配置された作動機構と
を具備するキャッピング機構と
を備えるプリンタを提供する。
【０３１７】
さらなる態様で、本発明は、
（ａ）
（ｉ）２つのページ幅印字ヘッドと、
（ｉｉ）印字ヘッドのそれぞれに沿って置かれ、使用中に印刷媒体が印字ヘッドの間で輸送される時に印刷媒体にインクを配送するように配置された複数のノズルと
を有するページ幅印字ヘッドアセンブリと、
（ｂ）印字ヘッドに関連し、
ｉ）柔軟なシート様材料から形成され、印字ヘッドの長さに実質的に対応する幅を有するキャッピング部材と、
ｉｉ）キャッピング部材を２つの印字ヘッドの間で印字ヘッドとのノズルをキャップする係合状態で位置決めするように配置された作動機構と
を具備するキャッピング機構と
を備えるプリンタを提供する。
【０３１８】
任意選択で、キャッピング部材は、単一層シート様材料を備える。
【０３１９】
任意選択で、キャッピング部材は、複数層シート様材料を備える。
【０３２０】
任意選択で、キャッピング部材は、圧縮可能シート様材料を備える。
【０３２１】
任意選択で、流体配送手段は、キャッピング材料の複数層の間の領域に流体を配送するために設けられる。
【０３２２】
任意選択で、キャッピング部材は、疎水性特性を有するシート様材料から形成される。
【０３２３】
任意選択で、キャッピング部材は、独立気泡熱可塑性材料から形成される。
【０３２４】
任意選択で、キャッピング部材は、親水性特性を有するシート様材料から形成される。
【０３２５】
任意選択で、キャッピング部材は、開放気泡シリコン材料から形成される。
【０３２６】
さらなる態様では、キャッピング機構が、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有する、プリンタが提供される。
【０３２７】
さらなる態様では、キャッピング機構が、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有する、プリンタが提供される。
【０３２８】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
キャッピング機構が、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
を有する
プリンタが提供される。
【０３２９】
さらなる態様では、
ページ幅印字ヘッドアセンブリが、単一のページ幅印字ヘッドを有し、
キャッピング部材が、印字ヘッドから離隔されているが印字ヘッドに直面するキャップしない第１位置に置かれ、
キャッピング機構が、さらに、キャップしない第１位置からキャッピング部材が印字ヘッドとのノズルをキャップする係合状態に置かれる第２位置へのキャッピング部材の直線推移をもたらすために、キャッピング部材とのカミング係合のために配置されたモータードライブを有する
プリンタが提供される。
【０３３０】
さらなる態様では、
キャッピング部材が、少なくとも１つの印字ヘッドに隣接するキャップしない第１位置に置かれ、
キャッピング機構が、さらに、キャッピング部材に関連する、少なくとも１つの印字ヘッドのノズル環境からパージされた材料を受けるように配置されたパージング手段を有し、
作動機構が、キャップしない第１位置からキャッピング部材が印字ヘッドとのノズルをキャップする係合状態に置かれる第２位置へのキャッピング部材の推移をもたらすように配置される
プリンタが提供される。
【０３３１】
さらなる態様では、
ページ幅印字ヘッドアセンブリが、２つのオフセットされたページ幅印字ヘッドと、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０３３２】
さらなる態様では、
ページ幅印字ヘッドアセンブリが、単一のページ幅印字ヘッドを有し、
キャッピング部材が、印字ヘッドから離隔されたキャップしない第１位置に置かれ、
作動機構が、キャップしない第１位置からキャッピング部材が印字ヘッドとのノズルをキャップする係合状態に置かれる第２位置へのキャッピング部材の円弧状の推移をもたらすように配置される
プリンタが提供される。
【０３３３】
さらなる態様では、
ページ幅印字ヘッドアセンブリが、単一のページ幅印字ヘッドを有し、
キャッピング部材が、印字ヘッドに隣接するキャップしない第１位置に置かれ、
キャッピング機構が、さらに、キャッピング部材に関連する、印字ヘッドのノズル環境からパージされた材料を受けるように配置されたパージング手段を有し、
作動機構が、キャップしない第１位置からキャッピング部材が印字ヘッドとのノズルをキャップする係合状態に置かれる第２位置への円弧状の方向でのキャッピング部材の推移をもたらすように配置される
プリンタが提供される。
【０３３４】
さらなる態様では、キャッピング機構が、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有する、プリンタが提供される。
【０３３５】
さらなる態様では、キャッピング機構が、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置された第２作動機構と
を有する、プリンタが提供される。
【０３３６】
さらなる態様では、キャッピング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０３３７】
さらなる態様では、キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０３３８】
さらなる態様では、キャッピング機構が
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０３３９】
さらなる態様では、柔軟なシート様材料が、材料の一部がキャッピング部材として少なくとも１つの印字ヘッドとのノズルをキャップする係合状態に置かれるために使用中にそこから引き出される交換可能なロールとして設けられる、プリンタが提供される。
【０３４０】
さらなる態様では、
柔軟なシート様材料が、材料の一部がキャッピング部材として少なくとも１つの印字ヘッドとのノズルをキャップする係合状態に置かれるために使用中にそこから引き出される交換可能なロールとして設けられ、
キャッピング機構が、さらに、キャッピング動作の後に、費やされたキャッピング材料を巻き取るように配置された巻き取りリールを有する
プリンタが提供される。
【０３４１】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０３４２】
第１５の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連するキャッピング機構であって、キャッピング機構が、柔軟なシート様材料から形成され、少なくとも１つの印字ヘッドの長さに実質的に対応する幅を有するキャッピング部材を具備し、柔軟なシート様材料が、材料の一部がキャッピング部材として少なくとも１つの印字ヘッドとのノズルをキャップする係合状態に置かれるために使用中にそこから引き出される交換可能なロールとして設けられる、キャッピング機構と
を備えるプリンタを提供する。
【０３４３】
任意選択で、キャッピング部材は、単一層シート様材料を備える。
【０３４４】
任意選択で、キャッピング部材は、複数層シート様材料を備える。
【０３４５】
任意選択で、キャッピング部材は、圧縮可能シート様材料を備える。
【０３４６】
任意選択で、キャッピング部材は、疎水性特性を有するシート様材料から形成される。
【０３４７】
任意選択で、キャッピング部材は、独立気泡熱可塑性材料から形成される。
【０３４８】
任意選択で、キャッピング部材は、親水性特性を有するシート様材料から形成される。
【０３４９】
任意選択で、キャッピング部材は、開放気泡シリコン材料から形成される。
【０３５０】
任意選択で、カッター機構が、交換可能なロールから材料の部分を選択的に切断するために設けられる。
【０３５１】
さらなる態様では、
（ａ）
（ｉ）ページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）印字ヘッドに関連し、
（ｉ）柔軟なシート様材料から形成され、印字ヘッドの長さに実質的に対応する幅を有するキャッピング部材であって、柔軟なシート様材料が、材料の部分がキャッピング部材を形成するために使用中にそこから引き出される交換可能なロールとして設けられる、キャッピング部材と、
ｉｉ）印字ヘッドに隣接して位置決めされ、キャッピング部材と係合し印字ヘッドとのノズルをキャップする係合状態でキャッピング部材を位置決めするように配置された、プラテンと
を具備するキャッピング機構と
を備えるプリンタが提供される。
【０３５２】
任意選択で、キャッピング部材は、単一層シート様材料を備える。
【０３５３】
任意選択で、キャッピング部材は、複数層シート様材料を備える。
【０３５４】
任意選択で、キャッピング部材は、圧縮可能シート様材料を備える。
【０３５５】
任意選択で、キャッピング部材は、疎水性特性を有するシート様材料から形成される。
【０３５６】
任意選択で、キャッピング部材は、独立気泡熱可塑性材料から形成される。
【０３５７】
任意選択で、キャッピング部材は、親水性特性を有するシート様材料から形成される。
【０３５８】
任意選択で、キャッピング部材は、開放気泡シリコン材料から形成される。
【０３５９】
任意選択で、カッター機構が、交換可能なロールから材料の部分を選択的に切断するために設けられる。
【０３６０】
任意選択で、作動機構が、プラテンの移動もたらし、これによってキャッピング部材に印字ヘッドとのノズルをキャップする係合状態に移動させるために設けられる。
【０３６１】
さらなる態様では、キャッピング機構が、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有する、プリンタが提供される。
【０３６２】
さらなる態様では、キャッピング機構が、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有する、プリンタが提供される。
【０３６３】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
キャッピング機構が、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
を有する
プリンタが提供される。
【０３６４】
さらなる態様では、
ページ幅印字ヘッドアセンブリが、単一のページ幅印字ヘッドを有し、
キャッピング部材が、印字ヘッドから離隔されているが印字ヘッドに直面するキャップしない第１位置に置かれ、
キャッピング機構が、さらに、キャップしない第１位置からキャッピング部材が印字ヘッドとのノズルをキャップする係合状態に置かれる第２位置へのキャッピング部材の直線推移をもたらすために、キャッピング部材とのカミング係合のために配置されたモータードライブを有する
プリンタが提供される。
【０３６５】
さらなる態様では、
キャッピング部材が、少なくとも１つの印字ヘッドに隣接するキャップしない第１位置に置かれ、
キャッピング機構が、さらに、
キャッピング部材に関連する、少なくとも１つの印字ヘッドのノズル環境からパージされた材料を受けるように配置されたパージング手段と、
キャップしない第１位置からキャッピング部材が印字ヘッドとのノズルをキャップする係合状態に置かれる第２位置へのキャッピング部材の推移をもたらすように配置された作動機構と
を有する
プリンタが提供される。
【０３６６】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０３６７】
さらなる態様では、
ページ幅印字ヘッドアセンブリが、単一のページ幅印字ヘッドを有し、
キャッピング部材が、印字ヘッドから離隔されたキャップしない第１位置に置かれ、
キャッピング機構が、キャップしない第１位置からキャッピング部材が印字ヘッドとのノズルをキャップする係合状態に置かれる第２位置へのキャッピング部材の円弧状の推移をもたらすように配置された作動機構を有する
プリンタが提供される。
【０３６８】
さらなる態様では、
ページ幅印字ヘッドアセンブリが、単一のページ幅印字ヘッドを有し、
キャッピング部材が、印字ヘッドに隣接するキャップしない第１位置に置かれ、
キャッピング機構が、さらに、
キャッピング部材に関連する、印字ヘッドのノズル環境からパージされた材料を受けるように配置されたパージング手段と、
キャップしない第１位置からキャッピング部材が印字ヘッドとのノズルをキャップする係合状態に置かれる第２位置への円弧状の方向でのキャッピング部材の推移をもたらすように配置された作動機構と
を有する
プリンタが提供される。
【０３６９】
さらなる態様では、キャッピング機構が、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有する、プリンタが提供される。
【０３７０】
さらなる態様では、キャッピング機構が、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置された第２作動機構と
を有する、プリンタが提供される。
【０３７１】
さらなる態様では、キャッピング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０３７２】
さらなる態様では、キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０３７３】
さらなる態様では、キャッピング機構が
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０３７４】
さらなる態様では、キャッピング機構が、さらに、キャッピング部材が少なくとも１つの印字ヘッドとのノズルをキャップする係合状態に置かれる位置へのキャッピング部材および少なくとも１つの印字ヘッドの相対的な移動をもたらすように配置された作動機構を有する、プリンタが提供される。
【０３７５】
さらなる態様では、キャッピング機構が、さらに、キャッピング動作の後に、費やされたキャッピング材料を巻き取るように配置された巻き取りリールを有する、プリンタが提供される。
【０３７６】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０３７７】
第１６の態様で、本発明は、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）少なくとも１つの印字ヘッドに関連し、
（ｉ）柔軟なシート様材料から形成され、少なくとも１つの印字ヘッドの長さに実質的に対応する幅を有するキャッピング部材であって、柔軟なシート様材料が、材料の一部がキャッピング部材として少なくとも１つの印字ヘッドとのノズルをキャップする係合状態に置かれるために使用中にそこから引き出される交換可能なロールとして設けられる、キャッピング部材と、
（ｉｉ）キャッピング動作の後に、費やされたキャッピング材料を巻き取るように配置された巻き取りリールと
を具備するキャッピング機構と
を備えるプリンタを提供する。
【０３７８】
任意選択で、キャッピング部材は、単一層シート様材料を備える。
【０３７９】
任意選択で、キャッピング部材は、複数層シート様材料を備える。
【０３８０】
任意選択で、キャッピング部材は、圧縮可能シート様材料を備える。
【０３８１】
任意選択で、キャッピング部材は、疎水性特性を有するシート様材料から形成される。
【０３８２】
任意選択で、キャッピング部材は、独立気泡熱可塑性材料から形成される。
【０３８３】
任意選択で、キャッピング部材は、親水性特性を有するシート様材料から形成される。
【０３８４】
任意選択で、キャッピング部材は、開放気泡シリコン材料から形成される。
【０３８５】
さらなる態様では、
（ａ）
（ｉ）ページ幅印字ヘッドと、
（ｉｉ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリと、
（ｂ）印字ヘッドに関連し、
（ｉ）柔軟なシート様材料から形成され、印字ヘッドの長さに実質的に対応する幅を有するキャッピング部材であって、柔軟なシート様材料が、材料の一部がキャッピング部材として印字ヘッドとのノズルをキャップする係合状態に置かれるために使用中にそこから引き出される交換可能なロールとして設けられる、キャッピング部材と
ｉｉ）印字ヘッドに隣接して位置決めされ、キャッピング部材と係合し印字ヘッドとのノズルをキャップする係合状態でキャッピング部材を位置決めするように配置された、プラテンと
（ｉｉｉ）キャッピング動作の後に、費やされたキャッピング材料を巻き取るように配置された巻き取りリールと
を具備するキャッピング機構と
を備えるプリンタが提供される。
【０３８６】
任意選択で、キャッピング部材は、単一層シート様材料を備える。
【０３８７】
任意選択で、キャッピング部材は、複数層シート様材料を備える。
【０３８８】
任意選択で、キャッピング部材は、圧縮可能シート様材料を備える。
【０３８９】
任意選択で、キャッピング部材は、疎水性特性を有するシート様材料から形成される。
【０３９０】
任意選択で、キャッピング部材は、独立気泡熱可塑性材料から形成される。
【０３９１】
任意選択で、キャッピング部材は、親水性特性を有するシート様材料から形成される。
【０３９２】
任意選択で、キャッピング部材は、開放気泡シリコン材料から形成される。
【０３９３】
さらなる態様では、キャッピング機構が、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに垂直な方向に移動するように配置された第２作動機構と
を有する、プリンタが提供される。
【０３９４】
さらなる態様では、キャッピング機構が、
少なくとも１つの印字ヘッドを円弧状の方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を少なくとも１つの印字ヘッドに対して相対的に横の方向に移動するように配置された第２作動機構と
を有する、プリンタが提供される。
【０３９５】
さらなる態様では、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれ、印字ヘッドの長さに実質的に対応する長さを有し、
キャッピング機構が、
印刷する第１位置から、離隔された第２位置への印字ヘッドの相対的な移動をもたらすように配置された第１作動機構と、
印字ヘッドが第２位置にある時に、２つの印字ヘッドの、ノズルをキャップする係合をもたらすために印字ヘッドの間でキャッピング部材を間に挟むように配置された第２作動機構と
を有する
プリンタが提供される。
【０３９６】
さらなる態様では、
ページ幅印字ヘッドアセンブリが、単一のページ幅印字ヘッドを有し、
キャッピング部材が、印字ヘッドから離隔されているが印字ヘッドに直面するキャップしない第１位置に置かれ、
キャッピング機構が、さらに、キャップしない第１位置からキャッピング部材が印字ヘッドとのノズルをキャップする係合状態に置かれる第２位置へのキャッピング部材の直線推移をもたらすために、キャッピング部材とのカミング係合のために配置されたモータードライブを有する
プリンタが提供される。
【０３９７】
さらなる態様では、
キャッピング部材が、少なくとも１つの印字ヘッドに隣接するキャップしない第１位置に置かれ、
キャッピング機構が、さらに、
キャッピング部材に関連する、少なくとも１つの印字ヘッドのノズル環境からパージされた材料を受けるように配置されたパージング手段と、
キャップしない第１位置からキャッピング部材が印字ヘッドとのノズルをキャップする係合状態に置かれる第２位置へのキャッピング部材の推移をもたらすように配置された作動機構と
を有する
プリンタが提供される。
【０３９８】
さらなる態様では、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング機構が、
印字ヘッドのそれぞれに関連するキャッピング部材であって、キャッピング部材が、印字ヘッドの長さに実質的に対応する長さを有し、各キャッピング部材が、キャップしない第１位置とキャッピング部材が関連する印字ヘッドとのノズルをキャップする係合状態に置かれる第２位置との間で移動可能である、キャッピング部材と、
キャッピング部材のそれぞれに関連する、キャッピング部材のそれぞれのその第１位置からその第２位置への推移をもたらすように配置された作動機構と
を有する
プリンタが提供される。
【０３９９】
さらなる態様では、
ページ幅印字ヘッドアセンブリが、単一のページ幅印字ヘッドを有し、
キャッピング部材が、印字ヘッドから離隔されたキャップしない第１位置に置かれ、
キャッピング機構が、キャップしない第１位置からキャッピング部材が印字ヘッドとのノズルをキャップする係合状態に置かれる第２位置へのキャッピング部材の円弧状の推移をもたらすように配置された作動機構を有する
プリンタが提供される。
【０４００】
さらなる態様では、
ページ幅印字ヘッドアセンブリが、単一のページ幅印字ヘッドを有し、
キャッピング部材が、印字ヘッドに隣接するキャップしない第１位置に置かれ、
キャッピング機構が、さらに、
キャッピング部材に関連する、印字ヘッドのノズル環境からパージされた材料を受けるように配置されたパージング手段と、
キャップしない第１位置からキャッピング部材が印字ヘッドとのノズルをキャップする係合状態に置かれる第２位置への円弧状の方向でのキャッピング部材の推移をもたらすように配置された作動機構と
を有する
プリンタが提供される。
【０４０１】
さらなる態様では、キャッピング機構が、
少なくとも１つの印字ヘッドを円弧状の第１方向で第１位置から第２位置に移動するように配置された第１作動機構と、
少なくとも１つの印字ヘッドが第２位置にある時に、少なくとも１つの印字ヘッドの、ノズルをキャップする係合をもたらすために、少なくとも１つのキャッピング部材を第１方向の方向と反対の円弧状の第２方向に移動するように配置された第２作動機構と
を有する、プリンタが提供される。
【０４０２】
さらなる態様では、キャッピング機構が、
少なくとも１つの印字ヘッドを円弧状の第１方向で第１位置から第２位置および第３位置に移動するように配置された第１作動機構と、
少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、少なくとも１つのキャッピング部材を第１方向の方向と反対の円弧状の第２方向に移動するように配置された第２作動機構と
を有する、プリンタが提供される。
【０４０３】
さらなる態様では、キャッピング機構が、
少なくとも１つの印字ヘッドの長さに実質的に対応する縦の長さを有する回転可能なタレットと、
タレットによって担持される縦に延びるキャッピング部材と、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を有する、プリンタが提供される。
【０４０４】
さらなる態様では、キャッピング機構が、
少なくとも１つの印字ヘッドの長さに実質的に対応する縦の長さを有する回転可能なタレットと、
タレットによって担持される縦に延びるキャッピング部材と、
キャッピング部材を、キャップしない第１位置からキャッピング部材が少なくとも１つの印字ヘッドとのノズルをキャップする係合状態に置かれる第２位置へ移動するために、タレットの回転をもたらすように配置された作動機構と
を有する、プリンタが提供される。
【０４０５】
さらなる態様では、キャッピング機構が
少なくとも１つの印字ヘッドに隣接して位置決めされ、少なくとも１つの印字ヘッドの長さに実質的に対応する縦の長さを有するキャリアと、
キャリアにピボット式に取り付けられ、少なくとも１つの印字ヘッドの長さに実質的に対応する縦の長さを有する、縦に延びるキャッピング部材と、
キャップしない第１位置からキャッピング部材が少なくとも１つの印字ヘッドとのノズルをキャップする係合状態に置かれる第２位置へのキャッピング部材のピボット回転をもたらすように配置された作動機構と
を有する、プリンタが提供される。
【０４０６】
さらなる態様では、キャッピング機構が、さらに、キャッピング部材が少なくとも１つの印字ヘッドとのノズルをキャップする係合状態に置かれる位置へのキャッピング部材および少なくとも１つの印字ヘッドの相対的な移動をもたらすように配置された作動機構を有する、プリンタが提供される。
【０４０７】
さらなる態様では、キャッピング部材が、
ａ）本体部分と一体に形成されたリップ部分と、
ｂ）リップ部分によって囲まれた空洞であって、リップ部分が、少なくとも１つの印字ヘッド上のノズルを囲むように周囲に構成され、本体部分が、少なくとも１つの印字ヘッドの長さに実質的に対応する長さを有する、空洞と
を備える、プリンタが提供される。
【０４０８】
第１７の態様で、本発明は、
（ｉ）少なくとも１つのページ幅印字ヘッドと、
（ｉｉ）少なくとも１つの印字ヘッドに沿って置かれた複数のノズルと
を有するページ幅印字ヘッドアセンブリ用のキャッピング部材であって、
ａ）本体部分と一体に形成されたリップ部分と、
ｂ）リップ部分によって囲まれた空洞と
を備え、リップ部分が、少なくとも１つの印字ヘッド上のノズルを囲むように周囲に構成され、本体部分が、少なくとも１つの印字ヘッドの長さに実質的に対応する長さを有する、キャッピング部材を提供する。
【０４０９】
任意選択で、リップ部分は、エラストマ材料から形成される。
【０４１０】
任意選択で、本体部分は、堅い材料から形成される。
【０４１１】
任意選択で、本体部分は、金属から形成される。
【０４１２】
任意選択で、本体部分は、プラスチック材料から形成される。
【０４１３】
任意選択で、本体部分およびリップ部分は、部材の全長について一体の構造として形成される。
【０４１４】
任意選択で、キャッピング部分は、本体部分の２つの側面のそれぞれに接して形成される。
【０４１５】
任意選択で、パージング室が、部材内に形成される。
【０４１６】
さらなる態様では、
ページ幅印字ヘッドアセンブリを備えるプリンタのキャッピング機構に組み込まれるキャッピング部材であって、
キャッピング部材が、少なくとも１つの印字ヘッドの長さに実質的に対応する長さを有し、
キャッピング機構が、
少なくとも１つの印字ヘッドを円弧状の方向で第１位置から第２位置に移動するように配置された第１作動機構と、
第２作動機構であって、キャッピング部材が、少なくとも１つの印字ヘッドが第２位置にある時に、少なくとも１つの印字ヘッドの、ノズルをキャップする係合をもたらすために、少なくとも１つの印字ヘッドに垂直な方向で第２作動機構によって移動されるように適合される、第２作動機構と
を有する
キャッピング部材が提供される。
【０４１７】
さらなる態様では、
ページ幅印字ヘッドアセンブリを備えるプリンタのキャッピング機構に組み込まれるキャッピング部材であって、
キャッピング部材が、少なくとも１つの印字ヘッドの長さに実質的に対応する長さを有し、
キャッピング機構が、
少なくとも１つの印字ヘッドを円弧状の方向で第１位置から第２位置に移動するように配置された第１作動機構と、
第２作動機構であって、キャッピング部材が、少なくとも１つの印字ヘッドが第２位置にある時に、少なくとも１つの印字ヘッドの、ノズルをキャップする係合をもたらすために、少なくとも１つの印字ヘッドに対して相対的に横の方向で第２作動機構によって移動されるように適合される、第２作動機構と
を有する
キャッピング部材が提供される。
【０４１８】
さらなる態様では、
ページ幅印字ヘッドアセンブリを備えるプリンタのキャッピング機構に組み込まれるキャッピング部材であって、
ページ幅印字ヘッドアセンブリが、２つの対向するページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドに隣接して置かれるように適合され、印字ヘッドの長さに実質的に対応する長さを有し、
キャッピング機構が、
印刷する第１位置から、離隔された第２位置への印字ヘッドの相対的な移動をもたらすように配置された第１作動機構と、
第２作動機構であって、キャッピング部材が、印字ヘッドが第２位置にある時に、２つの印字ヘッドの、ノズルをキャップする係合をもたらすために印字ヘッドの間に第２作動機構によって間に挟まれるように適合される、第２作動機構と
を有する
キャッピング部材が提供される。
【０４１９】
さらなる態様では、
ページ幅印字ヘッドアセンブリを備えるプリンタのキャッピング機構に組み込まれるキャッピング部材であって、
ページ幅印字ヘッドアセンブリが、単一のページ幅印字ヘッドを有し、
キャッピング部材が、印字ヘッドの長さに実質的に対応する長さを有し、印字ヘッドから離隔されているが印字ヘッドに直面するキャップしない第１位置に置かれるように適合され、
キャッピング機構が、キャッピング部材とのカミング係合のために配置されたモータードライブを有し、キャッピング部材が、第１位置からキャッピング部材が印字ヘッドとのノズルをキャップする係合状態に置かれる第２位置へモータードライブによって直線推移されるように適合される
キャッピング部材が提供される。
【０４２０】
さらなる態様では、
ページ幅印字ヘッドアセンブリを備えるプリンタのキャッピング／パージング機構に組み込まれるキャッピング部材であって、
キャッピング部材が、印字ヘッドの長さに実質的に対応する長さを有し、少なくとも１つの印字ヘッドに隣接するキャップしない第１位置に置かれるように適合され、
キャッピング／パージング機構が、
キャッピング部材に関連する、少なくとも１つの印字ヘッドのノズル環境からパージされた材料を受けるように配置されたパージング手段と、
作動機構であって、キャッピング部材が、第１位置からキャッピング部材が印字ヘッドとのノズルをキャップする係合状態に置かれる第２位置へ作動機構によって推移されるように適合される、作動機構と
を有する
キャッピング部材が提供される。
【０４２１】
さらなる態様では、
ページ幅印字ヘッドアセンブリを備えるプリンタのキャッピング機構に組み込まれるキャッピング部材であって、
ページ幅印字ヘッドアセンブリが、２つのオフセットされたページ幅印字ヘッドと、印字ヘッドのそれぞれに沿って置かれ、使用中に印刷媒体が印字ヘッドを過ぎて輸送される時に印刷媒体にインクを配送するように配置された複数のノズルとを有し、
キャッピング部材が、印字ヘッドの長さに実質的に対応する長さを有し、印字ヘッドの１つに関連付けられるように適合され、キャップしない第１位置とキャッピング部材が関連する印字ヘッドとのノズルをキャップする係合状態に置かれる第２位置との間で移動可能になるように適合され、
キャッピング機構が、キャッピング部材に関連する作動機構を有し、キャッピング部材が、その第１位置からその第２位置へ作動機構によって推移されるように適合される
キャッピング部材が提供される。
【０４２２】
さらなる態様では、
ページ幅印字ヘッドアセンブリを備えるプリンタのキャッピング機構に組み込まれるキャッピング部材であって、
ページ幅印字ヘッドアセンブリが、単一のページ幅印字ヘッドを有し、
キャッピング部材が、印字ヘッドの長さに実質的に対応する長さを有し、印字ヘッドから離隔されたキャップしない第１位置に置かれ、
キャッピング機構が、作動機構を有し、キャッピング部材が、第１位置からキャッピング部材が印字ヘッドとのノズルをキャップする係合状態に置かれる第２位置への作動機構による円弧状の推移を受けるように適合される
キャッピング部材が提供される。
【０４２３】
さらなる態様では、
ページ幅印字ヘッドアセンブリを備えるプリンタのキャッピング／パージング機構に組み込まれるキャッピング部材であって、
ページ幅印字ヘッドアセンブリが、単一のページ幅印字ヘッドを有し、
キャッピング部材が、印字ヘッドの長さに実質的に対応する長さを有し、印字ヘッドに隣接するキャップしない第１位置に置かれるように適合され、
キャッピング／パージング機構が、
キャッピング部材に関連する、印字ヘッドのノズル環境からパージされた材料を受けるように配置されたパージング手段と、
作動機構であって、キャッピング部材が、第１位置からキャッピング部材が印字ヘッドとのノズルをキャップする係合状態に置かれる第２位置への円弧状の方向で作動機構によって推移されるように適合される、作動機構と
を有する
キャッピング部材が提供される。
【０４２４】
さらなる態様では、
ページ幅印字ヘッドアセンブリを備えるプリンタのキャッピング機構に組み込まれるキャッピング部材であって、
キャッピング部材が、少なくとも１つの印字ヘッドの長さに実質的に対応する長さを有し、
キャッピング機構が、
少なくとも１つの印字ヘッドを円弧状の第１方向で第１位置から第２位置に移動するように配置された第１作動機構と、
第２作動機構であって、キャッピング部材が、少なくとも１つの印字ヘッドが第２位置にある時に、少なくとも１つの印字ヘッドの、ノズルをキャップする係合をもたらすために、第１方向の方向と反対の円弧状の第２方向で第２作動機構によって移動されるように適合される、第２作動機構と
を有する
キャッピング部材が提供される。
【０４２５】
さらなる態様では、
ページ幅印字ヘッドアセンブリを備えるプリンタのキャッピング／パージング機構に組み込まれるキャッピング部材であって、
キャッピング部材が、少なくとも１つの印字ヘッドの長さに実質的に対応する長さを有し、
キャッピング／パージング機構が、
少なくとも１つの印字ヘッドを円弧状の第１方向で第１位置から第２位置および第３位置に移動するように配置された第１作動機構と、
第２作動機構であって、キャッピング部材が、少なくとも１つの印字ヘッドが第２位置にある時に、少なくとも１つの印字ヘッドの、ノズルをキャップする係合をもたらすため、および少なくとも１つの印字ヘッドが第３位置にある時にノズルのパージングを可能にするために、第１方向の方向と反対の円弧状の第２方向で第２作動機構によって移動されるように適合される、第２作動機構と
を有する
キャッピング部材が提供される。
【０４２６】
さらなる態様では、
ページ幅印字ヘッドアセンブリを備えるプリンタのキャッピング／パージング機構に組み込まれるキャッピング部材であって、キャッピング／パージング機構が、少なくとも１つの印字ヘッドに関連し、キャッピング／パージング機構が、少なくとも１つの印字ヘッドの長さに実質的に対応する縦の長さを有する回転可能なタレットを具備し、
キャッピング部材が、タレットによって担持されるように適合された縦に延びるキャッピング部材であり、
キャッピング／パージング機構が、さらに、
タレットによって担持され、吸引デバイスに流体通路によって通じて接続されるパージング室と、
キャッピング部材またはパージング室を少なくとも１つの印字ヘッドのノズルと位置合せして位置決めするために、タレットの回転を選択的にもたらすように配置された第１作動機構と、
これによってキャッピング部材およびパージング室のうちの位置合せされた１つが少なくとも１つの印字ヘッドと係合して選択的に位置決めされる、タレットの移動をもたらすように配置された第２作動機構と
を具備する
キャッピング部材が提供される。
【０４２７】
さらなる態様では、
ページ幅印字ヘッドアセンブリを備えるプリンタのキャッピング機構に組み込まれるキャッピング部材であって、キャッピング機構が、少なくとも１つの印字ヘッドに関連し、キャッピング機構が、少なくとも１つの印字ヘッドの長さに実質的に対応する縦の長さを有する回転可能なタレットを具備し、
キャッピング部材が、タレットによって担持されるように適合された縦に延びるキャッピング部材であり、
キャッピング機構が、さらに、タレットの回転をもたらすように配置された作動機構を具備し、キャッピング部材が、キャップしない第１位置からキャッピング部材が少なくとも１つの印字ヘッドとのノズルをキャップする係合状態に置かれる第２位置へタレットと共に移動するように適合される
キャッピング部材が提供される。
【０４２８】
さらなる態様では、
ページ幅印字ヘッドアセンブリを備えるプリンタのキャッピング機構に組み込まれるキャッピング部材であって、キャッピング機構が、少なくとも１つの印字ヘッドに関連し、キャッピング機構が、少なくとも１つの印字ヘッドに隣接して位置決めされた、少なくとも１つの印字ヘッドの長さに実質的に対応する縦の長さを有するキャリアを具備し、
キャッピング部材が、キャリアにピボット式に取り付けられるように適合される、少なくとも１つの印字ヘッドの長さに実質的に対応する縦の長さを有するように適合される、縦に延びるキャッピング部材であり、
キャッピング機構が、さらに、作動機構を具備し、キャッピング部材が、キャップしない第１位置からキャッピング部材が少なくとも１つの印字ヘッドとのノズルをキャップする係合状態に置かれる第２位置へ作動機構によってピボット回転されるように適合される
キャッピング部材が提供される。
【０４２９】
さらなる態様では、
ページ幅印字ヘッドアセンブリを備えるプリンタのキャッピング機構に組み込まれるキャッピング部材であって、
キャッピング部材が、柔軟なシート様材料から形成され、少なくとも１つの印字ヘッドの長さに実質的に対応する幅を有し、
キャッピング機構が、少なくとも１つの印字ヘッドに関連し、作動機構を具備し、キャッピング部材および少なくとも１つの印字ヘッドが、キャッピング部材が少なくとも１つの印字ヘッドとのノズルをキャップする係合状態に置かれる位置へ作動機構によって相対的に移動されるように適合される
キャッピング部材が提供される。
【０４３０】
さらなる態様では、
ページ幅印字ヘッドアセンブリを備えるプリンタのキャッピング機構に組み込まれるキャッピング部材であって、
キャッピング機構が、少なくとも１つの印字ヘッドに関連し、
キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられる
キャッピング部材が提供される。
【０４３１】
さらなる態様では、
ページ幅印字ヘッドアセンブリを備えるプリンタのキャッピング機構に組み込まれるキャッピング部材であって、
キャッピング部材が、柔軟なシート様材料から形成され、少なくとも１つの印字ヘッドの長さに実質的に対応する幅を有し、柔軟なシート様材料が、材料の一部がキャッピング部材として少なくとも１つの印字ヘッドとのノズルをキャップする係合状態に置かれるために使用中にそこから引き出される交換可能なロールとして設けられ、
キャッピング機構が、少なくとも１つの印字ヘッドに関連し、キャッピング動作の後に、費やされたキャッピング材料を巻き取るように配置された巻き取りリールを具備する
キャッピング部材が提供される。
【０４３２】
第１８の態様で、本発明は、
ａ）少なくとも１つのページ幅印字ヘッドと、
ｂ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリ用のキャッピング機構であって、
ｉ）少なくとも１つの印字ヘッドの長さに実質的に対応する長さを有する少なくとも１つのキャッピング部材と、
ｉｉ）ノズルをキャップする係合が少なくとも１つのキャッピング部材と少なくとも１つの印字ヘッドとの間でもたらされる位置への少なくとも１つのキャッピング部材および少なくとも１つの印字ヘッドの直線相対推移をもたらすように配置された作動手段と
を備えるキャッピング機構を提供する。
【０４３３】
任意選択で、作動手段は、キャップしない第１位置から少なくとも１つのキャッピング部材が少なくとも１つの印字ヘッドとのノズルをキャップする係合状態に置かれる第２位置への少なくとも１つのキャッピング部材の直線推移をもたらすように配置される。
【０４３４】
さらなる態様では、
ａ）ページ幅印字ヘッドと、
ｂ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）印字ヘッドの長さに実質的に対応する長さを有するキャッピング部材と、
ｉｉ）キャップしない第１位置からキャッピング部材が印字ヘッドとのノズルをキャップする係合状態に置かれる第２位置へのキャッピング部材の直線推移をもたらすように配置された作動機構と
を備えるキャッピング機構が提供される。
【０４３５】
任意選択で、キャッピング部材は、効果的にワンピース部材として形成される。
【０４３６】
任意選択で、キャッピング部材は、印字ヘッドの長さに実質的に対応する集合としての長さを有する連接されたキャッピング部材部分を備える。
【０４３７】
任意選択で、キャッピング部材は、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０４３８】
任意選択で、キャッピング部材は、材料を印字ヘッドのノズル環境からこれによって吸引できる吸引デバイスに接続されるように配置される。
【０４３９】
任意選択で、室が、キャッピング部材内に置かれ、空洞に流体経路によって通じて接続され、室は、材料を印字ヘッドのノズル環境からこれによって吸引できる吸引デバイスに接続されるように配置される。
【０４４０】
任意選択で、第２作動機構が、第２位置への印字ヘッドの移動をもたらすために設けられる。
【０４４１】
任意選択で、第２作動機構は、印字ヘッドに直線移動を与えるように配置される。
【０４４２】
任意選択で、第２作動機構は、印字ヘッドに円弧状の移動を与えるように配置される。
【０４４３】
任意選択で、キャッピング部材は、印字ヘッドと直面する関係で位置決めされ、作動機構は、第１位置から第２位置へのキャッピング部材の直線推移をもたらす時に、印字ヘッドに垂直な方向でキャッピング部材を移動するように配置される。
【０４４４】
さらなる態様では、
ａ）２つの直面するページ幅印字ヘッドと、
ｂ）使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）印字ヘッドのそれぞれに関連し、印字ヘッドの長さに実質的に対応する長さを有するキャッピング部材と、
ｉｉ）キャップしない第１位置から各キャッピング部材が関連する印字ヘッドとのノズルをキャップする係合状態に置かれる第２位置へのキャッピング部材のそれぞれの直線推移をもたらすように配置された作動機構と
を備えるキャッピング機構が提供される。
【０４４５】
任意選択で、キャッピング部材のそれぞれは、効果的にワンピース部材として形成される。
【０４４６】
任意選択で、キャッピング部材のそれぞれは、印字ヘッドの長さに実質的に対応する集合としての長さを有する連接されたキャッピング部材部分を備える。
【０４４７】
任意選択で、キャッピング部材のそれぞれは、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０４４８】
任意選択で、さらなる作動機構が、第２位置への印字ヘッドの移動をもたらすために設けられる。
【０４４９】
任意選択で、さらなる作動機構は、印字ヘッドに直線移動を与えるように配置される。
【０４５０】
任意選択で、さらなる作動機構は、印字ヘッドに円弧状の移動を与えるように配置される。
【０４５１】
任意選択で、キャッピング部材は、めいめいの印字ヘッドが第２位置にある時に印字ヘッドと直面する関係で位置決めされ、作動機構は、第１位置から第２位置へのキャッピング部材の直線推移をもたらす時に、関連する印字ヘッドに垂直な方向でめいめいのキャッピング部材を移動するように配置される。
【０４５２】
任意選択で、キャッピング部材は、めいめいの印字ヘッドが第２位置にある時に印字ヘッドに関して横に位置決めされ、作動機構は、第１位置から第２位置へのキャッピング部材の直線推移をもたらす時に、横の方向でめいめいのキャッピング部材を移動するように配置される。
【０４５３】
任意選択で、さらなる作動機構は、印字ヘッドの少なくとも１つに直線移動を与えるために設けられ、キャッピング部材は、印字ヘッドが第１位置にある時に印字ヘッドに関して横に位置決めされ、キャッピング部材が、第１位置から第２位置へ直線的に推移する時に印字ヘッドの間の位置に横に移動される。
【０４５４】
さらなる態様では、
ａ）２つのオフセットされたページ幅印字ヘッドと、
ｂ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）印字ヘッドのそれぞれに関連し、印字ヘッドの長さに実質的に対応する長さを有するキャッピング部材と、
ｉｉ）キャッピング部材が関連する印字ヘッドとのノズルをキャップする係合状態に置かれる位置への関連するキャッピング部材および印字ヘッドのそれぞれの直線相対推移をもたらすように配置された作動機構と
を備えるキャッピング機構が提供される。
【０４５５】
任意選択で、作動機構は、キャップしない第１位置から各キャッピング部材が関連する印字ヘッドとのノズルをキャップする係合状態に置かれる第２位置へのキャッピング部材のそれぞれの直線推移をもたらすように配置される。
【０４５６】
任意選択で、キャッピング部材は、めいめいの印字ヘッドと直面する関係で位置決めされ、作動機構は、第１位置から第２位置へのキャッピング部材の直線推移をもたらす時に、関連する印字ヘッドに垂直な方向でめいめいのキャッピング部材を移動するように配置される。
【０４５７】
さらなる態様で、本発明は、
ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有する印字ヘッドアセンブリと、
ｂ）
ｉ）少なくとも１つの印字ヘッドの長さに実質的に対応する長さを有する少なくとも１つのキャッピング部材と、
ｉｉ）ノズルをキャップする係合が少なくとも１つのキャッピング部材と少なくとも１つの印字ヘッドとの間でもたらされる位置への少なくとも１つのキャッピング部材および少なくとも１つの印字ヘッドの直線相対推移をもたらすように配置された作動機構と
を有するキャッピング機構と
を備えるプリンタを提供する。
【０４５８】
さらなる態様では、
ａ）少なくとも１つのページ幅印字ヘッドと、
ｂ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリをキャップする方法であって、
少なくとも１つの印字ヘッドおよび少なくとも１つの関連するキャッピング部材の、少なくとも１つのキャッピング部材が少なくとも１つの印字ヘッドとのノズルをキャップする係合状態に置かれる位置への直線相対推移をもたらすステップ
を含む方法が提供される。
【０４５９】
第１９の態様で、本発明は、使用中に印字ヘッドを過ぎて輸送される印刷媒体にインクを配送するように配置された複数のノズルを有する印字ヘッド用のキャッピング機構であって、印字ヘッドを、印刷媒体の輸送平面から離れる円弧状の方向で、印刷する第１位置からキャップする第２位置へ移動するように配置された作動手段と、印字ヘッドが第２位置にある時にノズルをキャップする係合状態で印字ヘッドと係合するように配置されたキャッピング部材とを備えるキャッピング機構を提供する。
【０４６０】
もう１つの態様では、
ａ）少なくとも１つの印字ヘッドであって、使用中に印字ヘッドを過ぎて輸送される印刷媒体にインクを配送するように配置された複数のノズルを有する少なくとも１つの印字ヘッドと、
ｂ）印字ヘッドを、印刷媒体の輸送平面から離れる円弧状の方向で、印刷する第１位置からキャップする第２位置へ移動するように配置された作動手段と、印字ヘッドが第２位置にある時にノズルをキャップする係合状態で印字ヘッドと係合するように配置されたキャッピング部材とを有するキャッピング機構と
を備えるプリンタが提供される。
【０４６１】
さらなる態様では、
ａ）少なくとも１つのページ幅印字ヘッドと、
ｂ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）少なくとも１つの印字ヘッドの長さに実質的に対応する長さを有する少なくとも１つのキャッピング部材と、
ｉｉ）少なくとも１つの印字ヘッドを、印刷媒体の輸送平面から離れる円弧状の方向で、印刷する第１位置から少なくとも１つのキャッピング部材がノズルをキャップする係合状態で少なくとも１つの印字ヘッドと係合する第２位置へ移動するように配置された作動手段と
を備えるキャッピング機構が提供される。
【０４６２】
任意選択で、少なくとも１つのキャッピング部材は、効果的にワンピース部材として形成される。
【０４６３】
任意選択で、少なくとも１つのキャッピング部材は、少なくとも１つの印字ヘッドの長さに実質的に対応する集合としての長さを有する連接されたキャッピング部材部分を備える。
【０４６４】
任意選択で、少なくとも１つのキャッピング部材は、堅い材料から形成される本体部分と、ａ）一体形成されたエラストマ材料リップ部分およびｂ）リップ部分によって囲まれた空洞を有するキャッピング部分とを備え、リップ部分は、関連する印字ヘッドのノズルを集合的に囲むように周囲に構成される。
【０４６５】
任意選択で、少なくとも１つのキャッピング部材は、材料を関連する印字ヘッドのノズル環境からこれによって吸引できる吸引デバイスに接続されるように配置される。
【０４６６】
任意選択で、パージング室が、少なくとも１つのキャッピング部材内に置かれ、吸引デバイスに接続されるように配置され、これによって、材料を印字ヘッドのノズル環境から吸引することができる。
【０４６７】
任意選択で、さらなる作動機構が、キャップしない位置から第２位置への少なくとも１つのキャッピング部材の移動をもたらすために設けられる。
【０４６８】
任意選択で、さらなる作動機構は、少なくとも１つのキャッピング部材に直線移動を与えるように配置される。
【０４６９】
任意選択で、さらなる作動機構は、少なくとも１つのキャッピング部材に円弧状の移動を与えるように配置される。
【０４７０】
任意選択で、少なくとも１つのキャッピング部材は、印字ヘッドが第２位置にある時に関連する印字ヘッドと直面する関係で位置決めされ、さらなる作動機構は、キャップしない位置から第２位置への少なくとも１つのキャッピング部材の直線移動をもたらす時に、関連する印字ヘッドに垂直な方向で少なくとも１つのキャッピング部材を移動するように配置される。
【０４７１】
任意選択で、少なくとも１つのキャッピング部材は、少なくとも１つの印字ヘッドに隣接して、少なくとも１つの印字ヘッドに関して横に位置決めされ、さらなる作動機構は、少なくとも１つのキャッピング部材を横方向で第２位置に移動するように配置される。
【０４７２】
さらなる態様では、
ａ）２つのページ幅印字ヘッドと、
ｂ）印字ヘッドのそれぞれに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）印字ヘッドのそれぞれに関連する、印字ヘッドの長さに実質的に対応する長さを有するキャッピング部材と、
ｉｉ）印字ヘッドのそれぞれを、印刷媒体の輸送平面から離れる円弧状の方向で、印刷する第１位置からキャッピング部材がノズルをキャップする係合状態で関連する印字ヘッドと係合する第２位置へ移動するように配置された作動手段と
を備えるキャッピング機構が提供される。
【０４７３】
任意選択で、各キャッピング部材は、効果的にワンピース部材として形成される。
【０４７４】
任意選択で、各キャッピング部材は、印字ヘッドの長さに実質的に対応する集合としての長さを有する連接されたキャッピング部材部分を備える。
【０４７５】
任意選択で、各キャッピング部材は、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０４７６】
任意選択で、各キャッピング部材は、材料を関連する印字ヘッドのノズル環境からこれによって吸引できる吸引デバイスに接続されるように配置される。
【０４７７】
任意選択で、パージング室が、各キャッピング部材内に置かれ、吸引デバイスに接続されるように配置され、これによって、材料を関連する印字ヘッドのノズル環境から吸引することができる。
【０４７８】
任意選択で、さらなる作動機構が、キャップしない位置から第２位置へのキャッピング部材のそれぞれの移動をもたらすために設けられる。
【０４７９】
任意選択で、さらなる作動機構は、キャッピング部材のそれぞれに直線移動を与えるように配置される。
【０４８０】
任意選択で、さらなる作動機構は、キャッピング部材のそれぞれに円弧状の移動を与えるように配置される。
【０４８１】
任意選択で、キャッピング部材のそれぞれは、関連する印字ヘッドが第２位置にある時に関連する印字ヘッドと直面する関係で位置決めされ、さらなる作動機構は、キャップしない位置から第２位置へのキャッピング部材の直線移動をもたらす時に、関連する印字ヘッドに垂直な方向でキャッピング部材のそれぞれを移動するように配置される。
【０４８２】
任意選択で、キャッピング部材のそれぞれは、印字ヘッドの関連する１つに隣接して、印字ヘッドの関連する１つに関して横に位置決めされ、さらなる作動機構は、キャッピング部材のそれぞれを横方向で第２位置に移動するように配置される。
【０４８３】
一態様で、本発明は、
（ａ）
（ｉ）少なくとも１つのページ幅印字ヘッドと、
（ｉｉ）少なくとも１つの印字ヘッドに沿って置かれ、使用中に印刷媒体が印字ヘッドを過ぎて輸送される時に印刷媒体にインクを配送するように配置された複数のノズルと
を有する印字ヘッドアセンブリと、
（ｂ）
（ｉ）少なくとも１つの印字ヘッドの長さに実質的に対応する長さを有する少なくとも１つのキャッピング部材と、
ｉｉ）少なくとも１つの印字ヘッドを、印刷媒体の輸送平面から離れる円弧状の方向で、印刷する第１位置から少なくとも１つのキャッピング部材がノズルをキャップする係合状態で少なくとも１つの印字ヘッドと係合する第２位置へ移動するように配置された作動手段と
を有するキャッピング機構と
を備えるプリンタを提供する。
【０４８４】
さらなる態様で、本発明は、使用中に印字ヘッドを過ぎて輸送される印刷媒体にインクを配送するように配置された複数のノズルを有する印字ヘッドをキャップする方法であって、印字ヘッドを、印刷媒体の輸送平面から離れる円弧状の方向で、印刷する第１位置からキャップする第２位置に移動するステップと、印字ヘッドを、印字ヘッドが第２位置にある時にノズルをキャップする係合状態であるキャッピング部材と係合させるステップとを含む方法を提供する。
【０４８５】
もう１つの態様で、本発明は、
ａ）少なくとも１つのページ幅印字ヘッドと、
ｂ）使用中に印刷媒体が印字ヘッドを過ぎて輸送される時に印刷媒体にインクを配送するように配置された複数のノズルと
を有するページ幅印字ヘッドアセンブリをキャップする方法であって、
少なくとも１つの印字ヘッドを、印刷媒体の輸送平面から離れる円弧状の方向で、印刷する第１位置からキャッピング部材がノズルをキャップする係合状態で少なくとも１つの印字ヘッドと係合される第２位置へ移動するステップ
を含む方法を提供する。
【０４８６】
第２０の態様で、本発明は、
ａ）少なくとも１つのページ幅印字ヘッドと、
ｂ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリ用のキャッピング／パージング機構であって、
ｉ）少なくとも１つの印字ヘッドの長さに実質的に対応する長さを有する少なくとも１つのキャッピング部材と、
ｉｉ）少なくとも１つの印字ヘッドおよび／または少なくとも１つのキャッピング部材を、少なくとも１つのキャッピング部材が少なくとも１つの印字ヘッドとのノズルをキャップする係合状態に置かれる位置へ移動するように配置された手段と、
ｉｉｉ）少なくとも１つの印字ヘッドからパージされた材料を受けるように配置された少なくとも１つのパージング室と
を備えるキャッピング／パージング機構を提供する。
【０４８７】
任意選択で、少なくとも１つのキャッピング部材は、効果的にワンピース部材として形成される。
【０４８８】
任意選択で、少なくとも１つのキャッピング部材は、印字ヘッドの長さに実質的に対応する集合としての長さを有する連接されたキャッピング部材部分を備える。
【０４８９】
任意選択で、少なくとも１つのキャッピング部材は、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０４９０】
任意選択で、少なくとも１つのパージング室は、吸引デバイスに接続可能である。
【０４９１】
任意選択で、少なくとも１つのパージング室は、エクストラクタチューブによって吸引デバイスに接続可能である。
【０４９２】
任意選択で、少なくとも１つのパージング室は、少なくとも１つのキャッピング部材に一体化される。
【０４９３】
任意選択で、少なくとも１つのパージング室が、少なくとも１つのキャッピング部材に流体通路によって通じて接続される。
【０４９４】
任意選択で、少なくとも１つのパージング室は、少なくとも１つのキャッピング部材をも担持する支持体によって担持される。
【０４９５】
任意選択で、少なくとも１つのキャッピング部材および少なくとも１つのパージング室は、キャッピング／パージング部材の一体の部分を形成する。
【０４９６】
任意選択で、少なくとも１つの印字ヘッドおよび／または少なくとも１つのキャッピング部材を移動するように配置された手段は、少なくとも１つの印字ヘッドを印字ヘッドアセンブリを通る印刷媒体供給の平面から離れる円弧状の方向で、ノズルをキャップする係合状態の位置へ移動するように配置された第１作動手段を備える。
【０４９７】
任意選択で、少なくとも１つの印字ヘッドおよび／または少なくとも１つのキャッピング部材を移動するように配置された手段は、少なくとも１つの印字ヘッドおよび少なくとも１つのキャッピング部材を円弧状の方向でノズルをキャップする係合状態の位置へ移動するように配置された第１および第２の作動手段を備える。
【０４９８】
任意選択で、第１作動手段は、少なくとも１つの印字ヘッドを、パージング室が少なくとも１つの印字ヘッドからパージされた材料を受けるように配置されるさらなる位置へ移動するように配置される。
【０４９９】
任意選択で、第２作動手段は、少なくとも１つのキャッピング部材を、パージング室が少なくとも１つの印字ヘッドからパージされた材料を受けるように配置されるさらなる位置へ移動するように配置される。
【０５００】
任意選択で、少なくとも１つの印字ヘッドおよび／または少なくとも１つのキャッピング部材を移動するように配置された手段は、少なくとも１つのキャッピング部材および少なくとも１つのパージング室を直線方向でノズルをキャップする係合状態の位置に移動するように配置された作動手段を備える。
【０５０１】
さらなる態様では、
ａ）ページ幅印字ヘッドと、
ｂ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング／パージング機構であって、
ｉ）印字ヘッドの長さに実質的に対応する長さを有するキャッピング部材と、
ｉｉ）キャッピング部材および／または印字ヘッドを、キャッピング部材が印字ヘッドとのノズルをキャップする係合状態に置かれる位置へ移動するように配置された手段と、
ｉｉｉ）印字ヘッドからパージされた材料を受けるように配置されたパージング室と
を備えるキャッピング／パージング機構が提供される。
【０５０２】
任意選択で、キャッピング部材は、効果的にワンピース部材として形成される。
【０５０３】
任意選択で、キャッピング部材は、印字ヘッドの長さに実質的に対応する集合としての長さを有する連接されたキャッピング部材部分を備える。
【０５０４】
任意選択で、キャッピング部材は、堅い材料から形成される本体部分と、ａ）一体形成されたエラストマ材料リップ部分およびｂ）リップ部分によって囲まれた空洞を有するキャッピング部分とを備え、リップ部分は、ノズルを集合的に囲むように周囲に構成される。
【０５０５】
任意選択で、パージング室は、吸引デバイスに接続可能である。
【０５０６】
任意選択で、パージング室は、エクストラクタチューブによって吸引デバイスに接続可能である。
【０５０７】
任意選択で、パージング室は、キャッピング部材に一体化される。
【０５０８】
任意選択で、パージング室は、キャッピング部材に流体通路によって通じて接続される。
【０５０９】
任意選択で、パージング室は、キャッピング部材をも担持する支持体によって担持される。
【０５１０】
任意選択で、キャッピング部材およびパージング室は、キャッピング／パージング部材の一体の部分を形成する。
【０５１１】
任意選択で、印字ヘッドおよび／またはキャッピング部材を移動するように配置された手段は、印字ヘッドを印字ヘッドアセンブリを通る印刷媒体供給の平面から離れる円弧状の方向で、ノズルをキャップする係合状態の位置へ移動するように配置された第１作動手段を備える。
【０５１２】
任意選択で、印字ヘッドおよび／またはキャッピング部材を移動するように配置された手段は、キャッピング部材を円弧状の方向でノズルをキャップする係合状態の位置へ移動するように配置された作動手段を備える。
【０５１３】
任意選択で、印字ヘッドおよび／またはキャッピング部材を移動するように配置された手段は、キャッピング部材およびのパージング室を直線方向でノズルをキャップする係合状態の位置に移動するように配置された作動手段を備える。
【０５１４】
任意選択で、キャッピング部材とパージング室との両方は、回転可能タレットによって担持される。
【０５１５】
さらなる態様では、
ａ）２つの直面するページ幅印字ヘッドと、
ｂ）印字ヘッドに沿って置かれ、使用中に印刷媒体が印字ヘッドを過ぎて輸送される時に印刷媒体にインクを配送するように配置された、複数のノズルと
を有するページ幅印字ヘッドアセンブリ用のキャッピング／パージング機構であって、
ｉ）印字ヘッドのそれぞれに関連し、印字ヘッドの長さに実質的に対応する長さを有するキャッピング部材と、
ｉｉ）印字ヘッドおよびキャッピング部材を、キャッピング部材が印字ヘッドとのノズルをキャップする係合状態に置かれる位置へ移動するように配置された手段と、
ｉｉｉ）キャッピング部材のそれぞれに関連する、印字ヘッドからパージされた材料を受けるように配置された、パージング室と
を備えるキャッピング／パージング機構が提供される。
【０５１６】
任意選択で、印字ヘッドおよびキャッピング部材を移動するように配置された手段は、キャッピング部材および印字ヘッドを円弧状の方向でノズルをキャップする係合状態の位置に移動するように配置された作動手段を備える。
【０５１７】
さらなる態様では、
（ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
（ｂ）
（ｉ）少なくとも１つの印字ヘッドの長さに実質的に対応する長さを有する少なくとも１つのキャッピング部材と、
（ｉｉ）少なくとも１つの印字ヘッドおよび／または少なくとも１つのキャッピング部材を、少なくとも１つのキャッピング部材が少なくとも１つの印字ヘッド上の複数のチップとのノズルをキャップする係合状態に置かれる位置へ移動するように配置された手段と、
（ｉｉｉ）少なくとも１つの印字ヘッドからパージされた材料を受けるように配置された少なくとも１つのパージング室と
を有するキャッピング／パージング機構と
を備えるプリンタが提供される。
【０５１８】
もう１つの態様では、
ａ）少なくとも１つのページ幅印字ヘッドと、
ｂ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリをキャップし、パージする方法であって、
ｉ）少なくとも１つの印字ヘッドおよび／または少なくとも１つの関連するキャッピング部材を、キャッピング部材が少なくとも１つの印字ヘッドとのノズルをキャップする係合状態に置かれる位置へ移動するステップ、および、同時にまたは別々にいずれかで、
ｉｉ）少なくとも１つのキャッピング部材に関連するパージング室による少なくとも１つの印字ヘッドからの材料のパージングをもたらすステップ
を含む方法が提供される。
【０５１９】
第２１の態様で、本発明は、
ａ）少なくとも１つのページ幅印字ヘッドと、
ｂ）少なくとも１つの印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）柔軟なシート様材料から形成され、少なくとも１つの印字ヘッドの長さに実質的に対応する幅を有するキャッピング部材と、
ｉｉ）キャッピング部材および／または少なくとも１つの印字ヘッドを、キャッピング部材が少なくとも１つの印字ヘッドとのノズルをキャップする係合状態に置かれる位置に移動するように配置された手段と
を備えるキャッピング機構を提供する。
【０５２０】
さらなる態様では、
ａ）少なくとも１つのページ幅印字ヘッドと、
ｂ）少なくとも１つの印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）柔軟なシート様材料から形成され、少なくとも１つの印字ヘッドの長さに実質的に対応する幅を有するキャッピング部材と、
ｉｉ）キャッピング部材を、少なくとも１つの印字ヘッドとのノズルをキャップする係合状態に位置決めするように配置された手段と
を備えるキャッピング機構が提供される。
【０５２１】
任意選択で、キャッピング部材は、単一層シート様材料を備える。
【０５２２】
任意選択で、キャッピング部材は、複数層シート様材料を備える。
【０５２３】
任意選択で、キャッピング部材は、圧縮可能シート様材料を備える。
【０５２４】
任意選択で、手段が、キャッピング材料の複数層の間の領域に流体を配送するために設けられる。
【０５２５】
任意選択で、キャッピング部材は、疎水性特性を有するシート様材料から形成される。
【０５２６】
任意選択で、キャッピング部材は、独立気泡熱可塑性材料から形成される。
【０５２７】
任意選択で、キャッピング部材は、親水性特性を有するシート様材料から形成される。
【０５２８】
任意選択で、キャッピング部材は、開放気泡シリコン材料から形成される。
【０５２９】
任意選択で、キャッピング部材は、個々のキャッピング部材を備える。
【０５３０】
任意選択で、キャッピング部材は、キャッピング部材材料のロールの一部を備える。
【０５３１】
さらなる態様では、キャッピング部材が使用中に少なくとも１つの印字ヘッドとのノズルをキャップする係合の位置にそこから供給されるキャッピング部材材料のロールを含む、キャッピング機構が提供される。
【０５３２】
さらなる態様では、キャッピング動作の後に、費やされたキャッピング部材材料を受けるスプールを含む、キャッピング機構が提供される。
【０５３３】
もう１つの態様で、本発明は、
ａ）ページ幅印字ヘッドと、
ｂ）印字ヘッドに沿って置かれ、使用中に印刷媒体が印字ヘッドを過ぎて輸送される時に印刷媒体にインクを配送するように配置された複数のノズルと
を有するページ幅印字ヘッドアセンブリ用のキャッピング機構であって、
ｉ）柔軟なシート様材料から形成され、印字ヘッドの長さに実質的に対応する幅を有するキャッピング部材と、
ｉｉ）印字ヘッドに隣接して位置決めされ、印字ヘッドとのノズルをキャップする係合状態でキャッピング部材を位置決めするように配置されたプラテンと
を備えるキャッピング機構を提供する。
【０５３４】
任意選択で、キャッピング部材は、単一層シート様材料を備える。
【０５３５】
任意選択で、キャッピング部材は、複数層シート様材料を備える。
【０５３６】
任意選択で、キャッピング部材は、圧縮可能シート様材料を備える。
【０５３７】
任意選択で、手段が、キャッピング材料の複数層の間の領域に流体を配送するために設けられる。
【０５３８】
任意選択で、キャッピング部材は、疎水性特性を有するシート様材料から形成される。
【０５３９】
任意選択で、キャッピング部材は、独立気泡熱可塑性材料から形成される。
【０５４０】
任意選択で、キャッピング部材は、親水性特性を有するシート様材料から形成される。
【０５４１】
任意選択で、キャッピング部材は、開放気泡シリコン材料から形成される。
【０５４２】
任意選択で、キャッピング部材は、個々のキャッピング部材を備える。
【０５４３】
任意選択で、キャッピング部材は、キャッピング部材材料のロールの一部を備える。
【０５４４】
もう１つの態様で、本発明は、キャッピング部材が使用中に少なくとも１つの印字ヘッドとのノズルをキャップする係合の位置にそこから供給されるキャッピング部材材料のロールを含む、キャッピング機構を提供する。
【０５４５】
もう１つの態様で、本発明は、キャッピング動作の後に、費やされたキャッピング部材材料を受けるスプールを含む、キャッピング機構を提供する。
【０５４６】
もう１つの態様では、
ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
ｂ）
（ｉ）柔軟なシート様材料から形成され、少なくとも１つの印字ヘッドの長さに実質的に対応する幅を有するキャッピング部材と、
（ｉｉ）キャッピング部材および／または少なくとも１つの印字ヘッドを、キャッピング部材が少なくとも１つの印字ヘッドとのノズルをキャップする係合状態に置かれる位置に移動するように配置された手段と
を有するキャッピング機構と
を備えるプリンタが提供される。
【０５４７】
さらなる態様では、
ａ）
（ｉ）少なくとも１つのページ幅印字ヘッドと、
（ｉｉ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリと、
ｂ）
（ｉ）柔軟なシート様材料から形成され、少なくとも１つの印字ヘッドの長さに実質的に対応する幅を有するキャッピング部材と、
（ｉｉ）キャッピング部材を、少なくとも１つの印字ヘッドとのノズルをキャップする係合状態に位置決めするように配置された手段と
を有するキャッピング機構と
を備えるプリンタが提供される。
【０５４８】
さらなる態様では、
ａ）少なくとも１つのページ幅印字ヘッドと、
ｂ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリをキャップする方法であって、
少なくとも１つの印字ヘッドおよび／または柔軟なシート様の形を有するキャッピング部材を、キャッピング部材が少なくとも１つの印字ヘッドとのノズルをキャップする係合状態に置かれる位置に移動するステップ
を含む方法が提供される。
【０５４９】
もう１つの態様では、
ａ）少なくとも１つのページ幅印字ヘッドと、
ｂ）少なくとも１つの印字ヘッドに沿って置かれ、使用中に印刷媒体が少なくとも１つの印字ヘッドを過ぎて輸送される時に印刷媒体にインクを配送するように配置された複数のノズルと
を有するページ幅印字ヘッドアセンブリをキャップする方法であって、
柔軟なシート様の形材料を有するキャッピング部材を、少なくとも１つの印字ヘッドとのノズルをキャップする係合状態に位置決めするステップ
を含む方法が提供される。
【０５５０】
第２２の態様で、本発明は、
使用中に印字ヘッドを過ぎて輸送される印刷媒体にインクを配送するように配置された複数のノズルを有する印字ヘッド用のキャッピング機構であって、
ａ）ノズルをキャップする係合状態で印字ヘッドに接触するように構成されたキャッピング部材と、
ｂ）キャッピング部材を支持するキャリアと、
ｃ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれる
キャッピング機構を提供する。
【０５５１】
もう１つの態様では、
使用中に印字ヘッドを過ぎて輸送される印刷媒体にインクを配送するように配置された複数のノズルを有する印字ヘッドをキャップする方法であって、
ｉ）キャリアおよびキャリアによって担持されるキャッピング部材の、印字ヘッドから離れた第１位置からキャッピング部材が印字ヘッドとのノズルをキャップする係合状態に移動される第２位置への移動をもたらすステップと、
ｉｉ）キャリアおよびキャッピング部材を第１位置から第２位置への移動中に推移位置にわたって移動するステップと、
ｉｉｉ）推移位置と第２位置との間でキャリアによって行われる推移移動中に、キャリアに対する相対的なキャッピング部材のピボット回転移動をもたらすステップと
を含む方法が提供される。
【０５５２】
任意選択で、キャリアによって行われる推移移動は、第１位置と第２位置との間でキャリアによって行われる移動に対して相対的に小さい。
【０５５３】
もう１つの態様では、
ページ幅印字ヘッドに沿って置かれ、使用中に印字ヘッドを過ぎて輸送される印刷媒体にインクを配送するように配置された複数のノズルを有するページ幅印字ヘッド用のキャッピング機構であって、
ａ）印字ヘッドの長さに実質的に対応する長さを有し、ノズルをキャップする係合状態で印字ヘッドに接触するように構成されたキャッピング部材と、
ｂ）キャッピング部材を支持するキャリアと、
ｃ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれる
キャッピング機構が提供される。
【０５５４】
任意選択で、作動機構は、キャリアをキャッピング動作中に第１位置と第２位置との間でピボット式に移動するように配置される。
【０５５５】
任意選択で、キャリアは、第１ピボット軸を有するピボット要素によって支持体にピボット式に取り付けられ、キャッピング部材は、第１ピボット軸に平行に置かれ第１ピボット軸から間隔をおかれた第２ピボット軸を有するピボット回転配置によってキャリアにピボット式に取り付けられる。
【０５５６】
任意選択で、キャッピング部材は、第２ピボット軸から半径方向に変位されたキャッピング要素を有し、キャッピング要素の第２ピボット軸からの半径方向変位は、第１ピボット軸と第２ピボット軸との間の間隔に対して相対的に小さい。
【０５５７】
任意選択で、第１ピボット軸と第２ピボット軸との間の間隔は、第２ピボット軸からのキャッピング要素の半径方向変位の３倍程度である。
【０５５８】
任意選択で、推移位置は、第２位置から、第１位置と第２位置との間の距離に対して相対的に小さい距離に置かれる。
【０５５９】
任意選択で、第１位置と第２位置との間のキャリアの総ピボット移動に対するキャリアの推移的ピボット移動の比率は、１：１２から１：２０までの範囲内にある。
【０５６０】
任意選択で、キャッピング要素は、実質的に堅いチャネル形要素を備える。
【０５６１】
任意選択で、キャッピング要素は、エラストマ材料から形成されたリップを組み込む。
【０５６２】
任意選択で、キャッピング要素は、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０５６３】
任意選択で、キャッピング要素は、エラストマ材料から形成されたリップを組み込み、リップは、キャッピング部材が第２位置にある時に印字ヘッドノズルの上に置かれるように構成され、リップは、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０５６４】
任意選択で、キャッピング部材には、印字ヘッドに接触し、これによってキャリアが推移位置から第２位置への推移移動を行う時にキャリアに対する相対的なキャッピング部材のピボット回転をもたらすように配置された少なくとも１つの第１止め部材が設けられる。
【０５６５】
任意選択で、キャッピング部材には、キャリアに接触し、これによってキャリアが推移位置から第１位置へ移動する時にキャリアに対する相対的なキャッピング部材のピボット回転を防ぐように配置された少なくとも１つの第２止め部材が設けられる。
【０５６６】
任意選択で、キャッピング部材は、キャリアの末端エッジ部分に沿って延びるピボットシャフトによってキャリアにピボット式に取り付けられる。
【０５６７】
任意選択で、バイアシングデバイスは、キャッピング部材に取り付けられ、印字ヘッドとのノズルをキャップする係合状態から離れる方向にキャッピング部材を偏らせる形でキャリアと係合する。
【０５６８】
任意選択で、バイアシングデバイスは、ねじりばねを備える。
【０５６９】
任意選択で、キャリアは、印字ヘッドに取り付けられた離隔された鏡板によって支持体に取り付けられる。
【０５７０】
任意選択で、作動機構は、キャリアに結合された、クランクおよび動き変換機構によってキャリアにピボット回転する動きを与えるように配置された電気モーターを備える。
【０５７１】
任意選択で、少なくとも１つの迫台が、印字ヘッドに隣接して置かれ、キャリアが第１位置に接近する時にキャッピング部材のピボット回転をもたらすように機能し、これによって、キャッピング部材が、印刷媒体供給経路から離れて移動される。
【０５７２】
任意選択で、キャッピング部材のキャッピング要素部分が、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０５７３】
任意選択で、キャッピング機構および印字ヘッドは、インクジェットプリンタ内で動作するように配置される。
【０５７４】
任意選択で、キャッピング機構は、キャッピング機構が印字ヘッドと係合していないインターバル中にキャッピング機構と係合するように配置されたカバリング部材を備えるキャッピング機構プロテクタとの機能的係合のために構成される。
【０５７５】
さらなる態様では、
ａ）キャッピング機構が、キャッピング機構が印字ヘッドと係合していないインターバル中にキャッピング機構と係合するように配置されたカバリング部材を備えるキャッピング機構プロテクタとの機能的係合のために構成され、
ｂ）キャッピング機構、キャッピング機構プロテクタ、および印字ヘッドが、インクジェットプリンタ内で動作するように配置される
キャッピング機構が提供される。
【０５７６】
第２３の態様で、本発明は、
ａ）使用中に印字ヘッドを過ぎて輸送される印刷媒体にインクを配送するように配置された複数のノズルを有する印字ヘッドと、
ｂ）印字ヘッド用のキャッピング機構であって、
ｉ）ノズルをキャップする係合状態で印字ヘッドに接触するように構成されたキャッピング部材と、
ｉｉ）キャッピング部材を支持するキャリアと、
ｉｉｉ）キャッピング部材が印字ヘッドに関して離れて置かれる第１位置とキャッピング部材が印字ヘッドに接触して置かれる第２位置との間で往復するキャリアの移動をもたらすように配置された作動機構と
を具備し、キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれる、キャッピング機構と
を備えるインクジェットプリンタを提供する。
【０５７７】
もう１つの態様で、本発明は、
ａ）印字ヘッドに沿って置かれ、使用中に印字ヘッドを過ぎて輸送される印刷媒体にインクを配送するように配置された複数のノズルを有するページ幅印字ヘッドと、
ｂ）印字ヘッド用のキャッピング機構であって、
ｉ）印字ヘッドの長さに実質的に対応する長さを有し、ノズルをキャップする係合状態で印字ヘッドに接触するように構成されたキャッピング部材と、
ｉｉ）キャッピング部材を支持するキャリアと、
ｉｉｉ）キャッピング部材が印字ヘッドに関して離れて置かれる第１位置とキャッピング部材が印字ヘッドに接触して置かれる第２位置との間で往復するキャリアの移動をもたらすように配置された作動機構と
を具備し、キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれる、キャッピング機構と
を備えるインクジェットプリンタを提供する。
【０５７８】
任意選択で、作動機構は、キャリアをキャッピング動作中に第１位置と第２位置との間でピボット式に移動するように配置される。
【０５７９】
任意選択で、キャリアは、第１ピボット軸を有するピボット要素によって支持体にピボット式に取り付けられ、キャッピング部材は、第１ピボット軸に平行に置かれ第１ピボット軸から間隔をおかれた第２ピボット軸を有するピボット回転配置によってキャリアにピボット式に取り付けられる。
【０５８０】
任意選択で、キャッピング部材は、第２ピボット軸から半径方向に変位されたキャッピング要素を有し、キャッピング要素の第２ピボット軸からの半径方向変位は、第１ピボット軸と第２ピボット軸との間の間隔に対して相対的に小さい。
【０５８１】
任意選択で、第１ピボット軸と第２ピボット軸との間の間隔は、第２ピボット軸からのキャッピング要素の半径方向変位の３倍程度である。
【０５８２】
任意選択で、推移位置は、第２位置から、第１位置と第２位置との間の距離に対して相対的に小さい距離に置かれる。
【０５８３】
任意選択で、第１位置と第２位置との間のキャリアの総ピボット移動に対するキャリアの推移的ピボット移動の比率は、１：１２から１：２０までの範囲内にある。
【０５８４】
任意選択で、キャッピング要素は、実質的に堅いチャネル形要素を備える。
【０５８５】
任意選択で、キャッピング要素は、エラストマ材料から形成されたリップを組み込む。
【０５８６】
任意選択で、キャッピング要素は、キャリアが第１位置に置かれている時にキャリアの正面部分と係合するように配置され、これによって、キャッピング要素のチャネル部分が、含まれる湿気の消失および汚染材料の進入に対して効果的に閉じられる。
【０５８７】
任意選択で、キャッピング要素は、エラストマ材料から形成されたリップを組み込み、リップが、キャッピング部材が第２位置にある時に印字ヘッドノズルの上に置かれるように構成され、リップは、キャリアが第１位置に置かれている時にキャリアの正面部分と係合するように配置され、これによって、キャッピング要素のチャネル部分が、含まれる湿気の消失および汚染材料の進入に対して効果的に閉じられる。
【０５８８】
任意選択で、キャッピング部材には、印字ヘッドに接触し、これによってキャリアが推移位置から第２位置への推移移動を行う時にキャリアに対する相対的なキャッピング部材のピボット回転をもたらすように配置された第１止め部材が設けられる。
【０５８９】
任意選択で、キャッピング部材には、キャリアに接触し、これによってキャリアが推移位置から第１位置へ移動する時にキャリアに対する相対的なキャップ部材のピボット回転を防ぐように配置された第２止め部材が設けられる。
【０５９０】
任意選択で、キャッピング部材は、キャリアの末端エッジ部分に沿って延びるピボットシャフトによってキャリアにピボット式に取り付けられる。
【０５９１】
任意選択で、バイアシングデバイスが、キャッピング部材に取り付けられ、印字ヘッドとのノズルをキャップする係合状態から離れる方向にキャッピング部材を偏らせる形でキャリアと係合する。
【０５９２】
任意選択で、バイアシングデバイスは、ねじりばねを備える。
【０５９３】
任意選択で、キャリアは、印字ヘッドに取り付けられた離隔された鏡板によって支持体に取り付けられる。
【０５９４】
任意選択で、作動機構は、キャリアに結合された、クランクおよび動き変換機構によってキャリアにピボット回転する動きを与えるように配置された電気モーターを備える。
【０５９５】
任意選択で、迫台が、印字ヘッドに隣接して置かれ、キャリアが第２位置に接近する時にキャッピング部材のピボット回転をもたらすように機能し、これによって、キャッピング部材が、印刷媒体供給経路から離れて移動される。
【０５９６】
任意選択で、キャッピング部材のキャッピング要素部分が、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０５９７】
任意選択で、プリンタは、キャッピング機構用のプロテクタをさらに備え、プロテクタは、キャッピング機構が印字ヘッドと係合していないインターバル中にキャッピング機構と係合するように配置されたカバリング部材を具備する。
【０５９８】
第２４の態様で、本発明は、印字ヘッド用のキャッピングファシリティ用のプロテクタであって、キャッピングファシリティが印字ヘッドと係合していないインターバル中にキャッピングファシリティと係合するように配置されたカバリング部材を備える、プロテクタを提供する。
【０５９９】
さらなる態様では、プリンタキャッピングファシリティを湿気の消失および／または汚染材料の進入に対して保護する方法であって、キャッピングファシリティが印字ヘッドと係合していないインターバル中にキャッピングファシリティをカバリング部材と係合させるステップを含む方法が提供される。
【０６００】
もう１つの態様では、
複数のインク配送ノズルを有する印字ヘッド用のキャッピング機構の形のキャッピングファシリティ用のプロテクタであって、
ａ）キャッピング機構が、
ｉ）ノズルをキャップする係合状態で印字ヘッドに接触するように構成されたキャッピング部材と、
ｉｉ）キャッピング部材を支持するキャリアと、
ｉｉｉ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
ｂ）プロテクタが、キャッピング部材が第１位置に置かれている時にキャッピング部材によって係合されるように配置されたカバリング部材を備える
プロテクタが提供される。
【０６０１】
もう１つの態様では、
印字ヘッドに沿って置かれた複数のノズルを有するページ幅印字ヘッド用のキャッピング機構の形のキャッピングファシリティ用のプロテクタであって、
ａ）キャッピング機構が、
ｉ）印字ヘッドの長さに実質的に対応する長さを有し、ノズルをキャップする係合状態で印字ヘッドに接触するように構成されたキャッピング部材と、
ｉｉ）キャッピング部材を支持するキャリアと、
ｉｉｉ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
ｂ）キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれ、
ｃ）プロテクタが、キャッピング部材が第１位置に置かれている時にキャッピング部材によって係合されるように配置されたカバリング部材を備える
プロテクタが提供される。
【０６０２】
任意選択で、カバリング部材は、キャリアによって構成される。
【０６０３】
任意選択で、作動機構は、キャリアをキャッピング動作中に第１位置と第２位置との間でピボット式に移動するように配置される。
【０６０４】
任意選択で、キャリアは、第１ピボット軸を有するピボット要素によって支持体にピボット式に取り付けられ、キャッピング部材は、第１ピボット軸に平行に置かれ第１ピボット軸から間隔をおかれた第２ピボット軸を有するピボット回転配置によってキャリアにピボット式に取り付けられる。
【０６０５】
任意選択で、キャッピング部材は、第２ピボット軸から半径方向に変位されたキャッピング要素を有し、キャッピング要素の第２ピボット軸からの半径方向変位は、第１ピボット軸と第２ピボット軸との間の間隔に対して相対的に小さい。
【０６０６】
任意選択で、第１ピボット軸と第２ピボット軸との間の間隔は、第２ピボット軸からのキャッピング要素の半径方向変位の３倍程度である。
【０６０７】
任意選択で、推移位置は、第２位置から、第１位置と第２位置との間の距離に対して相対的に小さい距離に置かれる。
【０６０８】
任意選択で、第１位置と第２位置との間のキャリアの総ピボット移動に対するキャリアの推移的ピボット移動の比率は、１：１２から１：２０までの範囲内にある。
【０６０９】
任意選択で、キャッピング要素は、実質的に堅いチャネル形要素を備える。
【０６１０】
任意選択で、キャッピング要素は、エラストマ材料から形成されたリップを組み込む。
【０６１１】
任意選択で、キャッピング要素は、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０６１２】
任意選択で、キャッピング要素は、エラストマ材料から形成されたリップを組み込み、リップは、キャッピング部材が第２位置にある時に印字ヘッドノズルの上に置かれるように構成され、リップは、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０６１３】
任意選択で、キャッピング部材には、印字ヘッドに接触し、これによってキャリアが推移位置から第２位置への推移移動を行う時にキャリアに対する相対的なキャッピング部材のピボット回転をもたらすように配置された少なくとも１つの第１止め部材が設けられる。
【０６１４】
任意選択で、キャッピング部材には、キャリアに接触し、これによってキャリアが推移位置から第１位置へ移動する時にキャリアに対する相対的なキャップ部材のピボット回転を防ぐように配置された少なくとも１つの第２止め部材が設けられる。
【０６１５】
任意選択で、キャッピング部材は、キャリアの末端エッジ部分に沿って延びるピボットシャフトによってキャリアにピボット式に取り付けられる。
【０６１６】
任意選択で、バイアシングデバイスは、キャッピング部材に取り付けられ、印字ヘッドとのノズルをキャップする係合状態から離れる方向にキャッピング部材を偏らせる形でキャリアと係合する。
【０６１７】
任意選択で、バイアシングデバイスは、ねじりばねを備える。
【０６１８】
任意選択で、作動機構は、キャリアに結合された、クランクおよび動き変換機構によってキャリアにピボット回転する動きを与えるように配置された電気モーターを備える。
【０６１９】
任意選択で、少なくとも１つの迫台が、印字ヘッドに隣接して置かれ、キャリアが第１位置に接近する時にキャッピング部材のピボット回転をもたらすように機能し、これによって、キャッピング部材が、印刷媒体供給経路から離れて移動される。
【０６２０】
さらなる態様では、
印字ヘッドが、使用中に印字ヘッドを過ぎて輸送される印刷媒体にインクを配送するように配置された複数のノズルを有し、
キャッピング機構が、
ａ）ノズルをキャップする係合状態で印字ヘッドに接触するように構成されたキャッピング部材と、
ｂ）キャッピング部材を支持するキャリアと、
ｃ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれる
プロテクタが提供される。
【０６２１】
さらなる態様では、
印字ヘッドが、使用中に印字ヘッドを過ぎて輸送される印刷媒体にインクを配送するように配置された複数のノズルを有し、
キャッピング機構が、
ａ）ノズルをキャップする係合状態で印字ヘッドに接触するように構成されたキャッピング部材と、
ｂ）キャッピング部材を支持するキャリアと、
ｃ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれ、
印字ヘッド、キャッピング機構、およびプロテクタが、インクジェットプリンタ内での使用のために配置される
プロテクタが提供される。
【０６２２】
任意選択で、キャッピング機構および印字ヘッドは、インクジェットプリンタ内での使用のために配置される。
【０６２３】
第２５の態様で、本発明は、プリンタ内の印字ヘッド用のキャッピングファシリティ用のプロテクタを有するインクジェットプリンタであって、プロテクタが、キャッピングファシリティが印字ヘッドと係合していないインターバル中にキャッピングファシリティと係合するように配置されたカバリング部材を備える、インクジェットプリンタを提供する。
【０６２４】
もう１つの態様で、本発明は、
複数のインク配送ノズルを有する印字ヘッド用のキャッピング機構の形のキャッピングファシリティ用のプロテクタを有するインクジェットプリンタであって、
ａ）キャッピング機構が、
ｉ）ノズルをキャップする係合状態で印字ヘッドに接触するように構成されたキャッピング部材と、
ｉｉ）キャッピング部材を支持するキャリアと、
ｉｉｉ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
ｂ）プロテクタが、キャッピング部材が第１位置に置かれている時にキャッピング部材によって係合されるように配置されたカバリング部材を備える
インクジェットプリンタを提供する。
【０６２５】
さらなる態様で、本発明は、
印字ヘッドに沿って配置された複数のノズルを有するページ幅印字ヘッド用のキャッピング機構の形のキャッピングファシリティ用のプロテクタを有するインクジェットプリンタであって、
ａ）キャッピング機構が、
ｉ）印字ヘッドの長さに実質的に対応する長さを有し、ノズルをキャップする係合状態で印字ヘッドに接触するように構成されたキャッピング部材と、
ｉｉ）キャッピング部材を支持するキャリアと、
ｉｉｉ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
ｂ）キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれ、
ｃ）プロテクタが、キャッピング部材が第１位置に置かれている時にキャッピング部材によって係合されるように配置されたカバリング部材を備える
インクジェットプリンタを提供する。
【０６２６】
任意選択で、カバリング部材は、キャリアによって構成される。
【０６２７】
任意選択で、作動機構は、キャリアをキャッピング動作中に第１位置と第２位置との間でピボット式に移動するように配置される。
【０６２８】
任意選択で、キャリアは、第１ピボット軸を有するピボット要素によって支持体にピボット式に取り付けられ、キャッピング部材は、第１ピボット軸に平行に置かれ第１ピボット軸から間隔をおかれた第２ピボット軸を有するピボット回転配置によってキャリアにピボット式に取り付けられる。
【０６２９】
任意選択で、キャッピング部材は、第２ピボット軸から半径方向に変位されたキャッピング要素を有し、キャッピング要素の第２ピボット軸からの半径方向変位は、第１ピボット軸と第２ピボット軸との間の間隔に対して相対的に小さい。
【０６３０】
任意選択で、第１ピボット軸と第２ピボット軸との間の間隔は、第２ピボット軸からのキャッピング要素の半径方向変位の３倍程度である。
【０６３１】
任意選択で、推移位置は、第２位置から、第１位置と第２位置との間の距離に対して相対的に小さい距離に置かれる。
【０６３２】
任意選択で、第１位置と第２位置との間のキャリアの総ピボット移動に対するキャリアの推移的ピボット移動の比率は、１：１２から１：２０までの範囲内にある。
【０６３３】
任意選択で、キャッピング要素は、実質的に堅いチャネル形要素を備える。
【０６３４】
任意選択で、キャッピング要素は、エラストマ材料から形成されたリップを組み込む。
【０６３５】
任意選択で、キャッピング要素は、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０６３６】
任意選択で、キャッピング要素は、エラストマ材料から形成されたリップを組み込み、リップは、キャッピング部材が第２位置にある時に印字ヘッドノズルの上に置かれるように構成され、リップは、キャリアが第１位置に置かれている時にキャリアの正面部分と係合するように配置され、これによって、キャッピング要素のくぼんだ部分が、含まれる湿気の消失および汚染材料の進入に対して効果的に閉じられる。
【０６３７】
任意選択で、キャッピング部材には、印字ヘッドに接触し、これによってキャリアが推移位置から第２位置への推移移動を行う時にキャリアに対する相対的なキャッピング部材のピボット回転をもたらすように配置された少なくとも１つの第１止め部材が設けられる。
【０６３８】
任意選択で、キャッピング部材には、キャリアに接触し、これによってキャリアが推移位置から第１位置へ移動する時にキャリアに対する相対的なキャップ部材のピボット回転を防ぐように配置された少なくとも１つの第２止め部材が設けられる。
【０６３９】
任意選択で、キャッピング部材は、キャリアの末端エッジ部分に沿って延びるピボットシャフトによってキャリアにピボット式に取り付けられる。
【０６４０】
任意選択で、バイアシングデバイスが、キャッピング部材に取り付けられ、印字ヘッドとのノズルをキャップする係合状態から離れる方向にキャッピング部材を偏らせる形でキャリアと係合する。
【０６４１】
任意選択で、バイアシングデバイスは、ねじりばねを備える。
【０６４２】
任意選択で、作動機構は、キャリアに結合された、クランクおよび動き変換機構によってキャリアにピボット回転する動きを与えるように配置された電気モーターを備える。
【０６４３】
任意選択で、少なくとも１つの迫台が、印字ヘッドに隣接して置かれ、キャリアが第１位置に接近する時にキャッピング部材のピボット回転をもたらすように機能し、これによって、キャッピング部材が、印刷媒体供給経路から離れて移動される。
【０６４４】
さらなる態様では、
印字ヘッドが、使用中に印字ヘッドを過ぎて輸送される印刷媒体にインクを配送するように配置された複数のノズルを有し、
キャッピング機構が、
ａ）ノズルをキャップする係合状態で印字ヘッドに接触するように構成されたキャッピング部材と、
ｂ）キャッピング部材を支持するキャリアと、
ｃ）キャッピング部材が印字ヘッドに関して離れて置かれる第１位置とキャッピング部材が印字ヘッドに接触して置かれる第２位置との間で往復するキャリアの移動をもたらすように配置された作動機構と
を備え、
キャッピング部材が、キャリアにピボット式に取り付けられ、推移位置と第２位置との間のキャリアの往復する推移的移動中にキャリアに対して相対的にピボット回転するように配置され、推移位置が、第１位置および第２位置の中間に置かれるインクジェットプリンタが提供される。
【発明を実施するための最良の形態】
【０６４５】
本発明は、さまざまな構成で実施することができ、それらのいくつかを、これから、添付図面を参照して例として説明する。
【０６４６】
図１〜図４及び図３４に、ページ幅印字ヘッド２０、キャッピング機構２１、および取付け板２２のアセンブリ１８を示す。アセンブリ１８は、図１に概略的に示されたプリンタ１９の取付け構造またはシャーシから取り外されて図示されている。
【０６４７】
図１のプリンタ１９は、デスクトッププリンタ、オフィスプリンタ、商用プリンタ、およびワイドフォーマットプリンタを含む多数のプリンタタイプのいずれか１つによって構成され得るので、概略的に示されている。また、プリンタは、印刷媒体に関するシングルシートフィードシステムまたはロールフィードシステム（やはり図示せず）を組み込むことができ、英数字、グラフィカルイメージ、または装飾イメージの印刷のために配置されることができる。
【０６４８】
印字ヘッド２０は、当技術分野で既知の熱アクティブ化または圧電アクティブ化されるバブルジェット（登録商標）印字ヘッドを含む多数の異なるタイプの印字ヘッドの特徴を組み込むか、それらの印字ヘッドのいずれかを含むことができる。
【０６４９】
印字ヘッド２０のそれぞれは、たとえば、上の相互参照セクションにリストされ、すべてが参照によって本明細書に組み込まれている本出願人の同時係属の米国特許出願に記載された印字ヘッドの形とすることができる。しかし、当技術分野で既知の他のタイプのページ幅印字ヘッド（熱アクティブ化または圧電アクティブ化されるバブルジェット（登録商標）プリンタを含む）を、その代わりに使用することができる。
【０６５０】
例示のために図１６から２０に示されているように、印字ヘッド２０は、ケーシング２４内に取り付けられた４つの印字ヘッドモジュール２３を含み、印字ヘッドモジュール２３のそれぞれは、
ａ）プラスチック材料支持部材２５と、
ｂ）４つの印字ヘッド微細電気機械システム（ＭＥＭＳ）集積回路チップ２６（本明細書では単に「印字ヘッドチップ」と称する）と、
ｃ）印字ヘッドチップ２６のそれぞれを支持部材２５に取り付ける流体分配配置５８と、
ｄ）印字ヘッドチップ２６のそれぞれに電力および信号を接続するフレキシブルプリント回路コネクタ５９と
の一体の配置を含む。
【０６５１】
しかし、印字ヘッド２０のそれぞれが実質的に４つを超えるモジュール２３を含むことができること、および／または実質的に４つを超える印字ヘッドチップ２６を各モジュールに取り付けることができることを理解されたい。
【０６５２】
チップのそれぞれは（後でより詳細に説明するように）、印刷媒体の表面に印刷液を配送するためにその中に形成された７６８０個までのノズルと、おそらくは、加圧された空気または他の気体を印刷媒体に向けて配送するためのさらなる６４０個のノズルとを有することができる。
【０６５３】
４つの印字ヘッドモジュール２３は、支持部材２５によってケーシング２４のチャネル部分２７内に取外し可能に置かれ、ケーシングは、印字ヘッドチップ２６へのフレキシブルＰＣＢコネクタ６３ａによるコンピュータ調整された電力および駆動信号の配送を制御するための４つのプリント回路基板６２（印字ヘッドモジュール２３ごとに１つ）に取り付けられた電気回路網６３を含む。図１６に示されているように、電力および印刷アクティブ化信号は、導体６４によって印字ヘッド５１に配送され、印刷インクおよび空気は、流体配送ライン６５によって配送される。
【０６５４】
プリント回路基板６２は、プラスチック材料モールディング６６によって担持され、プラスチック材料モールディング６６は、ケーシング２４内に置かれ、このモールディングは、母線６７をも担持し、母線６７は、印字ヘッドチップ２６および電気回路網に電力を与えるための電流を運ぶ。カバー６８は、通常はケーシング２４を閉じ、閉じられた時に、このカバーは、ローディング要素６９に作用し、ローディング要素６９は、フレキシブルプリント回路コネクタ５９を母線６７に追い立てるように機能する。
【０６５５】
４つの印字ヘッドモジュール２３に、４つの連接された支持部材２５を組み込むことができ、あるいはその代わりに、印字ヘッド５１の全長に沿って延び、４つすべての印字ヘッドモジュールによって共用されるように、単一の支持部材２５を設けることができる。すなわち、単一の支持部材２５が、１６個すべての印字ヘッドチップ２６を担持することができる。
【０６５６】
図１７および１８に示されているように、支持部材２５は、７つの縦に延びる閉じたチャネル７０と共に形成される突き出しを含み、支持部材には、その上面にミリメートルのサイズの穴のグループ７１が設けられる。各グループは、７つの別々の穴７２を含み、穴７２は、チャネル７０のうちのめいめいの１つの中に延び、穴の各グループは、印字ヘッドチップ２６のうちの１つに関連する。また、各グループの穴７２は、支持部材の縦方向で支持部材２５にまたがって斜めに位置決めされる。
【０６５７】
結合デバイス７３は、流体を流体配送ライン６５のめいめいの１つから７つのチャネル７０に結合するために設けられる。
流体分配配置５８は、流体（印刷インクおよび空気）を穴の各グループ７１から印字ヘッドチップ２６の関連する１つにチャネリングするために設けられる。７つのチャネル７０のうちの６つからの印刷液は、各印字ヘッドチップ２６の１２個の行に配送され（すなわち、２つの行への１つの流体）、流体のミリメートルからマイクロメートル的な分配は、流体分配配置５８によってもたらされる。このプロセスを達成する１つの配置のより詳細な説明について、前に参照した同時係属の米国特許出願を参照することができる。
【０６５８】
１つの印字ヘッドチップ２６の例示的実施形態を、図２１から３０を参照して、印字ヘッド２０用の印刷エンジンコントローラの例示的実施形態と同様に、以下により詳細に説明する。印刷エンジンコントローラも、図３１から３３を参照して、後で説明する。
【０６５９】
印刷媒体ガイド２８は、印字ヘッド２０に取り付けられ、印刷媒体が印字ヘッドチップのノズルに接触することを除外する形で、印字ヘッドチップ２６によって集合的に画定される印刷ゾーンを過ぎる印刷媒体を案内するために、形状を定められ配置される。
【０６６０】
印字ヘッド２０に配送される流体は、プリンタの機能性によって決定される。しかし、図示されているように、６つの印刷液および空気を、支持部材２５内の７つのチャネル７０によって印字ヘッドチップ２６に配送する備えが作られる。６つの印刷液には、
シアン（Ｃ）印刷インク
マゼンタ（Ｍ）印刷インク
イエロー（Ｙ）印刷インク
ブラック（Ｋ）印刷インク
赤外（ＩＲ）インク
定着剤
を含めることができる。ろ過された空気が、使用中に、プリンタ内に一体化された加圧された源（図示せず）から、大気よりわずかに高い圧力で配送される。
【０６６１】
印字ヘッドチップ２６の１つを、これから、図２１から３０を参照してより詳細に説明する。
【０６６２】
上で示したように、各印字ヘッドチップ２６には、７６８０個の印刷液配送ノズル１５０が設けられる。ノズルは、１２個の行１５１に配列され、各行は、６４０個のノズルを有し、３２μのノズル間間隔Ｘを有する。隣接する行は、ノズル間間隔の半分と等しい距離だけ千鳥に配置され、その結果、ある行内のノズルは、隣接行内の２つのノズルの間の中間に位置決めされるようになる。また、ノズルの隣接する行の間に８０μのノズル間間隔Ｙがある。
【０６６３】
ノズル１５０の２つの隣接する行は、印刷液の共通の供給から供給される。これは、千鳥にされた配置と共に、ノズルの単一行を用いて可能であるはずのものより狭い、印刷中のインクドットの間隔を可能にし、ノズル故障に対処する、あるレベルの冗長性をも可能にする。
【０６６４】
印字ヘッドチップ２６は、集積回路製造技法を使用して製造され、前に示したように、微細電気機械システム（ＭＥＭＳ）を実施する。各印字ヘッドチップ２６は、シリコンウエハ基板１５２を含み、０．４２μ１  Ｐ４Ｍ  １２Ｖ  ＣＭＯＳマイクロ処理回路が、このウエハ上に形成される。したがって、二酸化珪素層１５３が、誘電層として基板１５２上に堆積され、アルミニウム電極接点層１５４が、二酸化珪素層１５３の上に堆積される。基板１５２と層１５３との両方が、インクチャネル１５５を画定するためにエッチングされ、アルミニウム拡散バリヤ１５６が、インクチャネル１５５の上に位置決めされる。
【０６６５】
窒化珪素の不活性化層１５７が、アルミニウム接点層１５４および層１５３の上に堆積される。不活性化層１５７のうちで接点層１５４の上に位置決めされた部分は、接点層へのアクセスをもたらすためにその中に開口１５８を有する。
【０６６６】
各ノズル１５０は、ノズル室１５９を含み、ノズル室１５９は、ノズル壁１６０、ノズルルーフ１６１、および半径方向に内側のノズルリム１６２によって画定される。インクチャネル１５５は、室１５９と流体的に通じている。
【０６６７】
移動可能シールリップ１６４を含む移動可能なリム１６３が、ノズル壁１６０の下端に置かれる。包囲壁１６５が、ノズルを囲み、静止シールリップ１６６を提供し、静止シールリップ１６６は、ノズル１５０が図２５に示されているように休んでいる時に、移動可能なリム１６３に隣接する。流体シール１６７は、静止シール１６６と移動可能シールリップ１６４との間にトラップされたインクの表面張力に起因して形成される。これは、室からのインクの漏れを防ぐと同時に、包囲壁１６５とノズル壁１６０との間の低抵抗の結合をもたらす。
【０６６８】
ノズル壁１６０は、基部１６９が層１５７に取り付けられた、全体的にＵ字形のプロファイルを有するキャリア１６８に取り付けられるレバー配置の一部を形成する。このレバー配置には、ノズル壁から延び、横補強ビーム１７１を組み込まれたレバーアーム１７０も含まれる。レバーアーム１７０は、受動ビーム１７２の対に取り付けられ、受動ビーム１７２は、窒化チタンから形成され、図２５および２８に最もよく示されているように、ノズルの各側に位置決めされる。受動ビーム１７２の他端は、キャリア１６８に取り付けられる。
【０６６９】
レバーアーム１７０は、ＴｉＮから形成されるアクチュエータビーム１７３にも取り付けられる。アクチュエータビームへのこの取付けは、ある点で、受動ビーム１７２への取付けより長い、短いがクリティカルな距離で行われる。
【０６７０】
図２５および２８から最もよくわかるように、アクチュエータビーム１７３は、平面において実質的にＵ字形であり、電極１７４と反対の電極１７５との間の電流経路を画定する。電極１７４および１７５のそれぞれは、接点層１５４内のめいめいの点に電気的に接続される。アクチュエータビーム１７３は、アンカ１７６にも機械的にアンカリングされ、アンカ１７６は、ノズル配置がアクティブ化されている時に、アクチュエータビーム１７３の動きを図２２から２４の左側に制限するように構成される。
【０６７１】
アクチュエータビーム１７３は、ＴｉＮから構成され、導電性であるが、電流が電極１７４と１７５との間に流される時に自己加熱を生成するのに十分に高い電気抵抗を有する。受動ビーム１７２を通る電流はなく、したがって、これらは熱膨張を経験しない。
【０６７２】
動作時に、ノズルは、インク１７７で充たされ、このインク１７７が、表面張力の影響の下でメニスカス１７８を画定する。インクは、メニスカスによって室１５９内に保持され、一般に、他の物理的影響がない時には漏れない。
【０６７３】
ノズルからインクを発射するために、電流が、接点１７４と１７５の間に流され、アクチュエータビーム１７３を通る。ビーム１７３の自己加熱が、このビームを膨張させ、アクチュエータビーム１７３は、このビームが主に図２２から２４に関して水平方向に膨張するように寸法および形状を定められている。この膨張は、アンカ１７６によって左側に制限され、したがって、アクチュエータビーム１７３の、レバーアーム１７０に隣接する端が、右に駆り立てられる。
【０６７４】
受動ビーム１７２の相対的な水平方向の非柔軟性が、レバーアーム１７０の大きい水平方向の移動を可能にさせない。しかし、それぞれレバーアームに対する受動ビームおよびアクチュエータビームの取付け点の相対変位が、ねじる移動を作り、これが、レバーアーム１７０に、ピボット回転するまたはヒンジ回転する動きを伴って全体的に下向きに移動させる。しかし、真のピボット点の不在は、この回転が、受動ビーム１７２の曲げによって画定されるピボット領域の回りの回転であることを意味する。
【０６７５】
レバーアーム１７０の下向きの移動（およびわずかな回転）は、受動ビーム１７２からのノズル壁１６０の距離によって増幅される。ノズル壁およびルーフの下向きの移動は、室１５９内の圧力増加を引き起こして、図２３に示されているようにメニスカス１７８をふくれさせるが、インクの表面張力は、流体シール１６７が、インクを漏らさずにこの動きによって引き延ばされることを引き起こす。
【０６７６】
図３０に示されているように、適当な時に、駆動電流が停止され、アクチュエータビーム１７３が、すばやく冷え、収縮する。この収縮は、レバーアームにその静止位置に戻ることを開始させ、これが、室１５９内の圧力減少を引き起こす。ふくらむインクの運動量とそのインクの固有の表面張力の相互作用、ならびにノズル室１５９の上向きの移動によって引き起こされる負圧が、ふくらむメニスカス１７８を薄くし、最終的にちぎれさせて、通過する印刷媒体に接触するまで外向きに継続するインク滴１７９が画定される。
【０６７７】
滴１７９が離れた直後に、メニスカス１７８は、図２４に示された凹形状を形成する。表面張力が、インクが入口１５５を介して上向きに吸引されるまで室１５９内の圧力を比較的低く保ち、この吸引が、ノズル配置およびインクを図２４に示された静止状況に戻す。
【０６７８】
図２５から最もよくわかるように、印字ヘッドチップ２６は、製造後と印字ヘッドアセンブリがインストールされた後に周期的にとの両方で使用できるテスト機構をも組み込まれている。このテスト機構は、回路網（図示せず）をテストするために接続された接点の対１８０を含む。ブリッジする接点１８１が、レバーアーム１７０から延びる指１８２上に設けられる。ブリッジする接点１８１は、受動ビーム１７２の対向する側にあるので、ノズルの作動は、ブリッジする接点１８１に上向きに、接点１８０に接触するように移動させる。テスト回路網は、作動が、このように接点１８０および１８１によって形成される回路を閉じることを引き起こすことを確認するのに使用することができる。回路が適当に閉じられる場合には、一般に、ノズルが動作していると仮定することができる。
【０６７９】
前に述べたように、印字ヘッドチップ２６の集積回路は、駆動エレクトロニクス６３の印刷エンジンコントローラ（ＰＥＣ）集積回路によって制御される。１つまたは複数のＰＥＣ集積回路１９０（必要な印刷速度に応じて）が、さまざまな異なるサイズのページまたは連続シートの上でのページ幅印刷を可能にするために設けられる。前に説明したように、支持モールディング６６によって担持されるプリント回路基板６２のそれぞれは、１つのＰＥＣ集積回路１９０（図４１）を担持し、ＰＥＣ集積回路１９０は、４つの印字ヘッドチップ２６とインターフェースし、ＰＥＣ集積回路１９０は、本質的に、印字ヘッドチップ２６の集積回路を駆動し、受け取った印刷データを、印刷をもたらすのに適切な形態で印字ヘッドチップ２６に転送する。
【０６８０】
印字ヘッドチップを駆動するのに適切なＰＥＣ集積回路の例が、本出願人の同時係属の米国特許出願第０９／５７５１０８号（整理番号第ＰＥＣ０１ＵＳ号）、米国特許出願第０９／５７５１０９号（整理番号第ＰＥＣ０２ＵＳ号）、米国特許出願第０９／５７５１１０号（整理番号第ＰＥＣ０３ＵＳ号）、米国特許出願第０９／６０７９８５号（整理番号第ＰＥＣ０４ＵＳ号）、米国特許出願第０９／６０７９９０号（整理番号第ＰＥＣ０５ＵＳ号）、および米国特許出願第０９／６０６９９９号（整理番号第ＰＥＣ０７ＵＳ号）に記載されており、これらは、参照によって本明細書に組み込まれている。しかし、この回路の短い説明を、次のように、図３１から３３を参照して提供する。
【０６８１】
ＰＥＣ集積回路１９０によって実行されるデータフローおよび機能を、ＰＥＣ集積回路が複数の印字ヘッドモジュール２３すなわち上で説明したように４つのモジュールを有するページ幅印字ヘッド２０の駆動のために設けられる情況に関して説明する。やはり上で説明したように、各印字ヘッドモジュール２３は、印刷のために流体の６つのチャネルを提供し、これらは、
・通常のカラー印刷用のシアン、マゼンタ、およびイエロー（ＣＭＹ）と、
・黒テキストまたは他の黒もしくはグレイスケール印刷用のブラック（Ｋ）と、
・タグ対応応用のための赤外（ＩＲ）と、
・高速での印刷を可能にするための定着剤（Ｆ）と
である。
【０６８２】
図３１に示されているように、イメージは、コンピュータによってＰＥＣ集積回路１９０に供給され、このコンピュータは、ＰＥＣ集積回路１９０への伝送の前にイメージの印刷にかかわるさまざまな処理ステップ１９１から１９４を実行するようにプログラムされる。これらのステップは、通常、イメージデータを受け取ること（ステップ１９１）と、コンピュータシステムのメモリバッファにこのデータを保管すること（ステップ１９２）とを伴い、このイメージバッファ内で、イメージレイアウトを作り、すべての必要なオブジェクトを追加することができる。メモリバッファからのページを、ラスタ化し（ステップ１９３）、次に、ＰＥＣ集積回路１９０への伝送の前に圧縮する（ステップ１９４）。イメージデータを受け取った時に、ＰＥＣ集積回路１９０は、印字ヘッドチップ２６の集積回路を駆動するためにそのデータを処理する。
【０６８３】
印字ヘッドアセンブリのページ幅形態に起因して、各イメージは、視覚的アーチファクトの作成を避けるために、一定の速度で印刷されなければならない。これは、印刷速度を、入力データレートと一致するように変更しなければならないことを意味する。したがって、文書のラスタ化と文書の印刷は、印字ヘッドアセンブリがデータの一定の供給を有することを保証するために分離される。この配置では、イメージは、それが完全にラスタ化されるまでは印刷されず、高い一定の印刷速度を達成するために、各ラスタ化されたページイメージの圧縮された版が、メモリに保管される。
【０６８４】
コントーンカラーイメージは、確率的ディザリングによって再現されるが、黒のテキストおよび座標図形処理は、直接にドットを使用して再現されるので、圧縮イメージフォーマットは、別々のフォアグラウンドバイレベル黒レイヤおよびバックグラウンドコントーンカラーレイヤを含む。黒レイヤは、コントーンレイヤがディザリングされた後に、コントーンレイヤの上に合成される。必要な場合に、タグの最終レイヤ（ＩＲインクまたは黒インクの）が、任意選択で、プリントアウト用のイメージに追加される。
【０６８５】
イメージ記述内のディザマトリックス選択領域は、コントーン分解能バイレベルビットマップにラスタ化され、このコントーン分解能バイレベルビットマップは、無視できるサイズにロスレスに圧縮され、圧縮イメージの一部を形成する。印刷されるページのＩＲレイヤは、任意選択で、プログラム可能な密度でのエンコードされたタグを含む。
【０６８６】
各圧縮イメージは、ＰＥＣ集積回路１９０に転送され、ここで、メモリバッファ１９５に保管される。圧縮イメージは、その後、取り出され、イメージエクスパンダ１９６に供給され、イメージエクスパンダ１９６内で、イメージが取り出される。必要な場合に、任意のディザをディザリング手段１９７によって任意のコントーンレイヤに適用することができ、任意の黒バイレベルレイヤを、コンポジタ１９８によって、レンダリング手段１９９によってレンダリングできる任意の赤外タグと一緒にコントーンレイヤの上に合成することができる。次に、ＰＥＣ集積回路１９０は、印字ヘッドチップ２６の集積回路を駆動して、ステップ２００で合成イメージデータを印刷して、印刷されたイメージ２０１を作る。
【０６８７】
ＰＥＣ集積回路１９０によって実行されるプロセスは、複数の別個のステージからなると考えることができる。第１ステージは、ＪＰＥＧ圧縮されたコントーンＣＭＹレイヤを展開する能力を有する。これと平行に、バイレベルＩＲタグデータを、圧縮イメージからエンコードすることができる。第２ステージは、ディザマトリックス選択マップによって選択されたディザマトリックスを使用してコントーンＣＭＹＫレイヤをディザリングし、必要な場合に、結果のバイレベルＫレイヤにバイレベル黒レイヤを合成し、イメージにＩＲレイヤを追加する。定着剤レイヤも、Ｃチャネル、Ｍチャネル、Ｙチャネル、Ｋチャネル、またはＩＲチャネルのいずれかで必要がある時に必ず、各ドット位置で生成される。最後のステージでは、印字ヘッドアセンブリ２０を介してバイレベルＣＭＹＫ＋ＩＲデータを印刷する。
【０６８８】
図３２に、全体的な印刷システムアーキテクチャのコンテキストでＰＥＣ集積回路１９０を示す。このアーキテクチャのさまざまなコンポーネントに、下記が含まれる。
【０６８９】
・メモリバッファ２０２に保管するために圧縮されたページイメージを受け取り、ページ展開を実行し、黒レイヤを合成し、印字ヘッドチップ２６にドットデータを送る責任を負う、ＰＥＣ集積回路１９０。ＰＥＣ集積回路１９０は、マスタ品質保証（ＱＡ）集積回路２０３およびインクカートリッジ品質保証（ＱＡ）集積回路２０４と通信することもできる。ＰＥＣ集積回路１９０は、最適の印刷を保証するために印字ヘッドアセンブリ特性を取り出す手段をも提供する。
【０６９０】
・圧縮イメージを保管するため、および所与のページの印刷中のスクラッチ使用のためのメモリバッファ２０２。メモリバッファの構成および動作は、当業者に既知であり、ある範囲の標準集積回路およびその使用の技法を利用することができる。
【０６９１】
・インクカートリッジＱＡ集積回路２０４と突き合わされるマスタ集積回路２０３。ＱＡ集積回路の構成および動作も、当業者に既知であり、ある範囲の既知のＱＡプロセスを利用することができる。
【０６９２】
ＰＥＣ集積回路１９０は、次の４つの基本レベルの機能性を効果的に実行する。
【０６９３】
・ＩＥＥＥ  １３９４などのシリアルインターフェースを介する圧縮されたページの受取り。
【０６９４】
・圧縮された形からイメージを作る印刷エンジンとして働くこと。印刷エンジンの機能性には、イメージの展開、コントーンレイヤのディザリング、コントーンレイヤの上への黒レイヤの合成、赤外タグの任意選択の追加、および印字ヘッドチップの集積回路への結果のイメージの送出が含まれる。
【０６９５】
・印字ヘッドチップ２６と印刷システムのステッパモーター１０２、１０８、および１１１とを制御する印刷コントローラとして働くこと。
【０６９６】
・２つのＱＡ集積回路と通信するための２つの標準低速シリアルポートとして役に立つこと。これに関して、認証手順中の強いセキュリティを保証するために、単一のポートではなく２つのポートが使用される。
【０６９７】
これらの機能を、これから、図３３を参照してより詳細に説明するが、図３３は、ＰＥＣ集積回路アーキテクチャのより具体的で例示的な図を与える。
【０６９８】
ＰＥＣ集積回路１９０は、次の機能を実行するために単純なマイクロコントローラＣＰＵコア２０４を組み込まれる。
【０６９９】
・印刷イメージの間でのシリアルインターフェース２０５を介するＱＡ集積回路認証プロトコルを実行する。
【０７００】
・印刷のための印刷媒体のプリンタへの配送を制御するために印刷中にパラレルインターフェース２０６を介して印刷システムのステッパモーターを走らせる。
【０７０１】
・印刷中にＰＥＣ集積回路１９０のさまざまなコンポーネントを同期化する。
【０７０２】
・外部データ要求とインターフェースする手段（レジスタのプログラミングなど）を提供する。
【０７０３】
・印字ヘッドアセンブリの低速データ要求とインターフェースする手段（特徴描写ベクトルの読取およびパルスプロファイルの書込など）を提供する。
【０７０４】
・外部ＤＲＡＭ  ２０７にポートレートタグ構造およびランドスケープタグ構造を書き込む手段を提供する。
【０７０５】
イメージ展開および印刷プロセスを実行するために、ＰＥＣ集積回路１９０は、高速シリアルインターフェース２０８（標準ＩＥＥＥ  １３９４インターフェースなど）、標準ＪＥＰＧデコーダ２０９、標準グループ４ファックスデコーダ２１０、カスタムハーフトーナ／コンポジタ（ＨＣ）２１１、カスタムタグエンコーダ２１２、ラインローダ／フォーマッタ（ＬＬＦ）２１３、および印字ヘッドチップ２６と通信する印字ヘッドインターフェース２１４（ＰＨＩ）を含む。デコーダ２０９および２１０とタグエンコーダ２１２とは、ＨＣ  ２１１にバッファリングされる。タグエンコーダ２１２は、赤外タグをイメージに割り振る。
【０７０６】
印刷エンジン機能は、二重バッファリングされた形で働く。すなわち、１つのイメージが、ＤＲＡＭインターフェース２１５およびデータバス２１６を介して高速シリアルインターフェース２０８から外部ＤＲＡＭ  ２０７にロードされると同時に、前にロードされたイメージが、ＤＲＡＭ  ２０７から読み取られ、印刷エンジンプロセスにパススルーされる。イメージが印刷され終えた時に、ロードされたばかりのイメージが、これから印刷されるイメージになり、新しいイメージが、高速シリアルインターフェース２０８を介してロードされる。
【０７０７】
前述の第１ステージで、このプロセスは、すべてのＪＰＥＧ圧縮されたコントーン（ＣＭＹＫ）レイヤを展開し、２つのグループ４ファックス圧縮されたバイレベルデータストリームのいずれかを展開する。この２つのストリームは、黒レイヤと、コントーンディザリング用のディザマトリックスの間での選択に関するマットである。第２ステージでは、第１ステージと平行して、すべてのタグが、ＩＲインクまたは黒インクのいずれかでの後のレンダリングのためにエンコードされる。
【０７０８】
最後に、第３ステージで、コントーンレイヤが、ディザリングされ、位置タグおよびバイレベルスポットレイヤが、結果のバイレベルディザリングされたレイヤの上に合成される。データストリームは、印字ヘッドアセンブリでのオーバーラップするセグメントにまたがる滑らかな推移を作成するために理想的に調整され、理想的には、印字ヘッドアセンブリ内の壊れたノズルについて補償するために調整される。６チャネルまでのバイレベルデータが、このステージから作られる。
【０７０９】
しかし、６つのチャネルのすべてをアクティブ化する必要はないことを理解されたい。たとえば、印字ヘッドモジュール５５は、ＫをＣＭＹチャネルに押し込め、ＩＲを無視して、ＣＭＹだけを提供することができる。その代わりに、ＩＲインクが使用されない場合に、位置タグを、Ｋで印刷することができる。結果のバイレベルＣＭＹＫ−ＩＲドットデータは、印字ヘッドチップ２６の集積回路を用いる印刷のために、ラインバッファ（図示せず）の組を介してバッファリングされ、フォーマットされる。これらのラインバッファの大多数は、外部ＤＲＡＭ  ２０７上に理想的に保管することができる。最終的なイメージでは、６チャネルのバイレベルドットデータが、ＰＨＩ  ２１４を介して印刷される。
【０７１０】
ＨＣ  ２１１は、コントーン（通常はＣＭＹＫ）レイヤの、そのバイレベル版へのハーフトーニングの機能と、適当なハーフトーニングされたコントーンレイヤの上へのｓｐｏｔ１バイレベルレイヤの合成の機能とを組み合わせる。Ｋインクがない場合には、ＨＣ  ２１１は、Ｋを適当にＣＭＹドットにマッピングするように機能する。ＨＣ  ２１１は、ディザマトリックス選択マップ内の対応する値に基づいて、ピクセルごとの基礎で２つのディザマトリックスの間で選択することもする。ＨＣ  ２１１への入力は、バッファ２１７を介する展開されたコントーンレイヤ（ＪＰＥＧデコーダ２０９から）、バッファ２１８を介する展開されたバイレベルｓｐｏｔ１レイヤ、バッファ２１９を介する、通常はコントーンレイヤと同一分解能の展開されたディザマトリックス選択ビットマップ、およびバッファ（ＦＩＦＯ）２２０を介するフルドット分解能のタグデータである。
【０７１１】
ＨＣ  ２１１は、外部ＤＲＡＭ  ２０７から読み取られる２つまでのディザマトリックスを使用する。ＨＣ  ２１１からＬＬＦ  ２１３への出力は、６つまでのカラープレーンのプリンタ分解能バイレベルイメージラインの組である。通常、コントーンレイヤは、ＣＭＹＫまたはＣＭＹであり、バイレベルｓｐｏｔ１レイヤは、Ｋである。開始されたならば、ＨＣ  ２１１は、「イメージの終り」条件を検出するか、制御レジスタ（図示せず）を介して明示的に停止されるまで進行する。
【０７１２】
ＬＬＦ  ２１３は、ドット情報をＨＣ  ２１１から受け取り、所与の印刷ラインのドットを適当なバッファストレージ（一部は集積回路（図示せず）上、一部は外部ＤＲＡＭ  ２０７内）にロードし、これらを、印字ヘッドチップ２６の集積回路に必要な順序にフォーマットする。より具体的には、ＬＬＦ  ２１３への入力は、６つの３２ビットワードと１つのデータ有効ビットとの組であり、そのすべてがＨＣ  ２１１によって生成される。
【０７１３】
前に説明したように、印字ヘッドチップ上のノズル１５０の物理的位置は、２つのオフセットした行１５１内にあり、これは、同一色の奇数ドットおよび偶数ドットが、２つの異なるラインに関することを意味する。さらに、ある色のドットと別の色のドットとの間に複数のラインがある。同一ドット位置の６つのカラープレーンが、ＨＣ  ２１１によって一時に計算されるので、同一ドットが適当なカラーノズルの下に位置決めされるまで、カラープレーンのそれぞれのドットデータを遅延させる必要がある。各バッファラインのサイズは、印字ヘッドアセンブリの幅に依存する。単一のＰＥＣ集積回路１９０を使用して、１６個までの印字ヘッドチップ２６用のドットを生成することができ、その場合には、したがって、単一の奇数バッファラインまたは単一の偶数バッファラインは、６４０ドットの１６組、合計１０２４０ビット（１２８０バイト）になる。
【０７１４】
ＰＨＩ  ２１４は、それによってＰＥＣ集積回路１９０が印刷されるドットを印字ヘッドチップ２６にロードし、実際のドット印刷プロセスを制御する手段である。ＰＨＩ  ２１４は、ＬＬＦ  ２１３から入力をとり、印字ヘッドチップ２６にデータを出力する。ＰＨＩ  ２１４は、さまざまな印字ヘッドアセンブリの長さおよびフォーマットを扱うことができる。
【０７１５】
各印字ヘッドアセンブリ２０の組み合わされた特徴描写ベクトルを、シリアルインターフェース２０５を介して読み戻すことができる。特徴描写ベクトルには、壊れたノズルの情報ならびに相対印字ヘッドモジュールアライメントデータを含めることができる。各印字ヘッドモジュールに、低速シリアルバス２２１を介して照会して、その印字ヘッドモジュールの特徴描写ベクトルを返させることができる。
【０７１６】
複数の印字ヘッドモジュールからの特徴描写ベクトルを組み合わせて、印字ヘッドアセンブリ全体のノズル欠陥リストを構成し、ＰＥＣ集積回路１９０が印刷中に欠陥ノズルについて補償することを可能にすることができる。欠陥ノズルの個数が少ない限り、この補償は、欠陥ノズルがない印字ヘッドアセンブリの結果と区別できない結果を作ることができる。
【０７１７】
チップ２６および関連する印刷エンジンコントローラを組み込んだ完成したページ幅印字ヘッド２０の特徴の一部は、次のように要約することができる。
【０７１８】
１．印字ヘッドは、通常、少なくとも４つのカラーチャネルを有する。
【０７１９】
２．印字ヘッドは、通常、色ごとに印刷幅の１インチあたり少なくとも１４００個のインク配送ノズルを組み込まれる。
【０７２０】
３．印字ヘッドには、合計少なくとも５００００個のノズルを組み込むことができる。
【０７２１】
４．印字ヘッドのドット印刷処理速度および滴を置く速度は、１０９秒−１程度以上とすることができる。
【０７２２】
５．滴あたりに置かれる体積は、２×１０−１２リットル程度以下とすることができる。
【０７２３】
６．滴吐出あたりのエネルギレベル消費は、２００×１０−９Ｊ程度以下とすることができる。
【０７２４】
キャッピング機構２１は、大まかに言って、キャッピング部材２９、キャッピング部材２９を支持するキャリア３０、および作動機構３１を含む。作動機構３１は、キャッピング部材が印字ヘッド２０に関して離れて置かれる第１位置（図１５）と、キャッピング部材２９が印字ヘッド２０に接触する第２位置（図１２）との間で往復するキャリア３０の移動をもたらすように配置される。図１５に示された第１位置にある時に、キャッピング部材は、下で詳細に説明するように、湿気の消失および紙のほこりなどの汚染材料の進入に対して保護される。
【０７２５】
キャッピング部材２９は、図９では機構から取り外されて図示されており、２つの端部材３３および３４の間に延び、これらを相互接続するキャッピング要素３２を含む。キャッピング要素３２は、凹窩３６によって分離された薄い断面の側壁３５を有するチャネル形要素を含み、主に金属（たとえば、アルミニウム）または高密度プラスチック材料などの堅い材料から形成されることが望ましい。また、キャッピング要素は、印字ヘッド２０を過ぎて移動される最も幅広い印刷媒体の幅より長い距離だけ離れて端部材３３および３４に間隔をおくのに十分な長さを有する。
【０７２６】
キャッピング要素の壁３５の上面には、印字ヘッドチップ２６のシーリングを容易にし、キャッピング部材２９がそのパーク（すなわち第１）位置に移動された時にキャッピング要素を閉じ、したがってこれを保護するのを容易にするために、エラストマ材料リップ３５ａ（図１５を参照されたい）を設けることができる。
【０７２７】
（図９で見られる時の、および図１０に図示の）右側の端部材３３は、キャッピング要素３２が接続される１つの腕３７と、さらなる先端を切り取られた腕３７ａとを有する全般的にＬ字形の部材を含み、この腕３７ａの機能は、後で説明する。左側の端部材３４は、右側の端部材３３に類似し、対応する腕３７および３７ａを有するが、（図９および１１に示されているように）横の突き出し４１を含む腕４０上に、それぞれ第１および第２の調整可能な止め部材３８および３９を担持する。止め部材３８および３９の機能は、後で図１２から１４を参照して、より詳細に説明する。この段階では、第１止め部材３８が、印字ヘッド２０のケーシング２４と係合するように位置決めされ、第２止め部材３９が、キャリア３０と係合するように位置決めされると述べることで十分である。
【０７２８】
これらの図には示されていないが、本発明の代替実施形態では、右側および左側の部材３３および３４を、同一の形で構成することができる。すなわち、第１および第２の調整可能な止め部材３８および３９を、特に幅広フォーマットプリンタの場合に、キャッピング部材２９の両端に設けることができる。
【０７２９】
完成したキャッピング部材２９が、ピボットシャフト４２によってキャリア３０にピボット式に取り付けられ、ピボットシャフト４２は、キャリアの末端の下側リップ４３に沿って延び、２つの端部材３３および３４の共通のピボット軸を提供する。ねじりばね４４の形のバイアシングデバイスが、ピボットシャフト４２の回りで端部材３４の内側正面に隣接して置かれ、キャッピング部材２９がキャリア３０に組み立てられる時に、ばね４４のラジアルリムが、図８に示された矢印４５の方向にキャッピング部材２９を偏らせる形でキャリア３０および鏡板３４に加重を与える。このために、ばねのラジアルアームの１つは、端部材３４内のチャネル５２内に位置する。
【０７３０】
キャリア３０は、図１から最もよくわかるように、端部材３３と３４との間の距離よりわずかに小さい長さを有し、このキャリアは、鏡板４６にピボット式に取り付けられ、鏡板４６は、印字ヘッド２０に間接的に取り付けられる。キャリアは、鏡板４６の間で、軸方向に位置合せされたピボットピン４７によって支持され、ピボットピン４７の１つは、作動機構３１に接続される。
【０７３１】
したがって、キャリア３０は、第２ピボット軸に平行に、これと間隔をおいて置かれた第１ピボット軸の回りでピボット式であり、この第２ピボット軸の回りで、キャッピング部材２９が、キャリアにピボット式に取り付けられる。後で説明する理由から、第１ピボット軸と第２ピボット軸との間の間隔は、第２ピボット軸からのキャッピング要素３２の軸方向変位に対して相対的に大きく、通常はこの軸方向変位の３倍である。
【０７３２】
作動機構３１は、さまざまな形をとることができるが、図示されているように、クランク４９および動き変換機構５０によってピボットピン４７の１つに結合された電気ステッピングモーター４８を含む。キャッピング機構の動作中に、モーター４８の通電および部分的回転は、ピボット移動を動き変換機構５０に与え、その結果、ピボット移動をピボットピン４７およびキャリア３０に与えることを引き起こす。これは、図１５に示された第１（離れた）位置から図１２に示された第２（キャッピング）位置へのキャリアの移動をもたらす。モーター４８の継続する回転またはその後の部分的回転は、動き変換機構５０およびキャリア３０の逆方向でのピボット回転を引き起こし、その結果の、図１２に示された第２位置から図１５に示された第１位置へのキャリアの移動を引き起こす。
【０７３３】
キャッピング機構の動作およびその機構の保護を、これから、図１２から１５を参照して説明する。
【０７３４】
図１２に、キャッピング部材２９が印字ヘッド２０とのノズルをキャップする係合状態である、第２位置のキャッピング機構２１を示す。この位置では、キャッピング要素３２は、印字ヘッドチップ２６の真下に置かれ、チップからパージされた流体を受けることができる。パージングは、すべての望まれない材料をチップのノズルからクリアし、かつ／またはキャップされたノズルの環境内で湿気のある環境を確立するために実施することができる。この後者の機能において支援するために、キャッピング要素３２を、親水性材料によってコーティングするかライニングすることができる。吸引システム（図示せず）が、パージされた材料を抽出するためにキャッピング部材に接続される、可能な代替配置では、キャッピング要素３２を、疎水性材料によってコーティングするかライニングすることができる。
【０７３５】
次の２つの重要な特徴が、図１２に示された配置で観察される。
【０７３６】
１．第１止め部材３８は、印字ヘッド２０のケーシングと接触して置かれ、
２．第２止め部材３９は、キャリア３０から小さい距離だけ間隔をおかれる。
【０７３７】
キャッピング動作の完了時に、印刷が開始される時または再開される時に、反時計回りのピボット回転する動きが、作動機構３１によってキャリア３０に与えられる。これは、徐々に、図１２に示された第２（ノズルをキャップする）位置から図１５に示された第１（離れた）位置へのキャッピング機構の移動をもたらす。
【０７３８】
図１３に示された推移位置（第１位置と第２位置の中間）へのキャリア３０の最初の推移的移動中に、ねじりばね４４は、キャリアが第２止め部材３９に接触するなどの時まで、キャリア３０に対して相対的に反時計回りの方向で、キャッピング部材２９をピボット回転させる。このキャッピング部材２９の相対ピボット移動は、前に識別された第１ピボット軸と第２ピボット軸との間の間隔によって決定されるキャリアの半径方向寸法に対する相対的なキャッピング部材の小さい半径方向寸法に起因して、キャッピング要素３２に、印字ヘッドの直面する正面にほぼ垂直な方向に移動させる。
【０７３９】
キャリア３０が第２止め部材３９に接触する時に、キャリアに対する相対的なキャッピング部材２９のさらなる回転ははばまれ、キャッピング部材は、図１５に示された第１位置に向かってキャリアによって担持される。
【０７４０】
第１位置に達する少し前に、図１４に示されているように、キャッピング部材２９の端部材３３と３４の先端を切り取られた腕３７ａは、離隔された偏向させる迫台５１と接触するように運ばれる。この接触は、キャリア３０に対する相対的な時計回りの方向でのキャッピング部材２９の回転を引き起こし、キャッピング部材を第１位置でパークさせるように働き、この第１位置では、キャッピング部材は、印刷動作中に印刷媒体が従う経路から離れて置かれる。キャッピング機構の端部材３３および３４と位置合せされて、迫台５１は、横に、印刷媒体経路の脇に置かれる。
【０７４１】
図１５に示された第１位置にパークしている時に、キャッピング要素３５のエラストマリップ３５ａは、キャリア３０の平らな正面部分３０ａと係合される。すなわち、キャリア自体は、キャッピング要素のカバリング部材として機能する。この形で、キャッピング要素３５の凹窩３６は、ほこりおよび他の汚染物の進入に対して効果的にシールされ（すなわち、保護され）、この凹窩内に存在する湿気は、後続のキャッピング動作での使用について保存される。これは、印字ヘッドノズルの乾燥を防ぐ形での印字ヘッドチップ２６のキャッピングに関して望ましい。
【０７４２】
図１２および１３からわかるように、第２位置から推移位置へ（または、逆に、推移位置から第２位置へ）のキャリア３０の推移移動は、第１位置と第２位置との間のキャリアの総ピボット移動に対して相対的に小さい。総ピボット移動に対する（角度）推移移動の比率は、１：１２から１：２０の範囲内である。
【０７４３】
キャッピング動作が実行される時には、上で説明した移動が、逆転される。したがって、作動機構３１は、図１５に示された第１位置から図１２に示された第２位置へのキャリア３０のピボット回転を引き起こすように通電される。
【０７４４】
第２位置に向かって移動する際に、キャッピング部材２９は、図１３に示された推移位置に達するまで、キャリア３０に対して相対的に静止したままになる（キャリアが第２止め部材３９に接触した状態で）。その位置に達したならば、第１止め部材３８が、印字ヘッド２０のケーシング２４に接触するようにされ、キャリア軸４７の回りのキャッピング部材２９のさらなる移動は、はばまれる。その後、キャリアのピボット回転する推移移動が、第２位置に向かって継続する際に、キャッピング部材２９は、キャッピング要素３２がノズルをキャップする係合状態で印字ヘッド２０と接触するなどの時まで、キャリア３０に対して相対的に時計回りの方向に、ばね４４の偏らせる力に反して、ピボット回転させられる。ここで、やはり、キャッピング部材２９のこの相対的なピボット移動は、キャッピング要素３２に、キャリア３０の推移移動中に印字ヘッドの直面する正面に対してほぼ垂直の方向に移動させる。
【０７４５】
ばね４４の偏らせる力に反して移動する際に、キャッピング部材２９が印字ヘッド２０の表面に接触する力が、減衰される。これは、印字ヘッドチップ２６への損傷の危険性を最小にし、そうでなければ印字ヘッドの表面への突然の衝撃から生じる可能性があるノズルからのインク消失の可能性を減らすという効果を有する。
【０７４６】
前述の説明から、このキャッピング機構が、効果的に２ステージのキャッピングおよびキャッピング解除をもたらすことを諒解されたい。キャッピング動作中には、一方のステージは、第１位置と推移位置との間のキャッピング機構の移動中に発生し、第２のステージは、推移位置と第２位置との間のキャッピング機構の推移移動中に発生する。キャッピング解除動作中には、一方のステージは、第２位置と推移位置との間のキャッピング機構の推移移動中に発生し、第２のステージは、推移位置と第１位置との間のキャッピング機構の移動中に発生する。
【０７４７】
添付の特許請求の範囲で定義される本発明の趣旨および範囲から逸脱せずに、例示のための上で説明された本発明の実施形態において変更および修正を行うことができる。
【図面の簡単な説明】
【０７４８】
【図１】ページ幅印字ヘッドを有するプリンタを示す概略図である。
【図１Ａ】ページ幅印字ヘッドおよび印字ヘッドに機能的関係で取り付けられたキャッピング機構のアセンブリを示す斜視図であり、アセンブリは、通常はそれが取り付けられるプリンタシャーシから取り外されている。
【図２】図１の遠端から見たアセンブリを示す端面図である。
【図３】ドライブモーターによって駆動される作動機構を見せるためにドライブモーターおよび鏡板を取り外された、図２に示されたアセンブリを示すわずかに拡大された図である。
【図４】図３に示された端から見たアセンブリを示す斜視図である。
【図５】印字ヘッドから取り外されたキャッピング機構を示す斜視図である。
【図６】図５のキャッピング機構を斜めから見た端面図である。
【図７】キャッピング機構をやはり斜めから見た反対側の端面図である。
【図８】図７に示された切断面８−８の方向で見られたキャッピング機構を示す斜視図である。
【図９】図５から８のキャッピング機構から取り外されたキャッピング部材を示す斜視図である。
【図１０】それぞれキャッピング部材の第１および第２の端部材を示す立面図である。
【図１１】それぞれキャッピング部材の第１および第２の端部材を示す立面図である。
【図１２】図４に示された切断面１２−１２の方向で見られた、キャッピング部材をノズルをキャップする位置に置かれた、図１から４のアセンブリの一部を示す端面図である。
【図１３】ノズルをキャップする位置から離れるキャッピング部材の初期移動の後の、図１２に示されたものに類似する図である。
【図１４】ノズルをキャップする位置から離れるキャッピング部材をさらに前へ移動させた後の、図１３に類似する図である。
【図１５】キャッピング部材が印字ヘッドから離れたパーク位置に移動されている、図１４に類似する図である。
【図１６】印字ヘッドの印刷ゾーンの方向で見られた、印字ヘッドの１つを示す斜視図である。
【図１７】印字ヘッドの１つを示す断面端面図である。
【図１８】図１７の印字ヘッドから取り外されたチャネル付き支持部材の端部分およびその支持部材に接続された流体配送ラインを示す斜視図である。
【図１９】図１８の流体配送ラインとチャネル付き支持部材との間で行われる接続を示す端面図である。
【図２０】図１７の印字ヘッドのケーシング部分から取り外された時の、電子構成要素を基板に取り付けられた、プリント回路基板を示す図である。
【図２１】印字ヘッドに取り付けられた、印刷液配送ノズルおよびノズルアクチュエータを組み込まれた印字ヘッドチップの一部を示す断面斜視図である。
【図２２】静止状態の単一のノズルを示す垂直断面図である。
【図２３】初期アクティブ化状態の単一のノズルを示す垂直断面図である。
【図２４】後期アクティブ化状態の単一のノズルを示す垂直断面図である。
【図２５】図２４に示されたアクティブ化状態での単一のノズルを示す斜視図である。
【図２６】図２５のノズルを示す断面斜視図である。
【図２７】図２５のノズルを示す断面立面図である。
【図２８】図２３のノズルを示す部分断面斜視図である。
【図２９】図２２のノズルを示す平面図である。
【図３０】レバーアームおよび移動可能ノズル部分を取り除いた、図２９に似た図である。
【図３１】図２０に示された回路構成要素の１つを形成する印刷エンジンコントローラ（「ＰＥＣ」）によって実行されるデータフローおよび機能を示す図である。
【図３２】全体的な印刷システムアーキテクチャのコンテキストで図３１のＰＥＣを示す図である。
【図３３】図３２のＰＥＣのアーキテクチャを示す図である。
【図１】
2008522861.tif 000005
【図１Ａ】
2008522861.tif 000006
【図２】
2008522861.tif 000007
【図３】
2008522861.tif 000008
【図４】
2008522861.tif 000009
【図５】
2008522861.tif 000010
【図６】
2008522861.tif 000011
【図７】
2008522861.tif 000012
【図８】
2008522861.tif 000013
【図９】
2008522861.tif 000014
【図１０】
2008522861.tif 000015
【図１１】
2008522861.tif 000016
【図１２】
2008522861.tif 000017
【図１３】
2008522861.tif 000018
【図１４】
2008522861.tif 000019
【図１５】
2008522861.tif 000020
【図１６】
2008522861.tif 000021
【図１７】
2008522861.tif 000022
【図１８】
2008522861.tif 000023
【図１９】
2008522861.tif 000024
【図２０】
2008522861.tif 000025
【図２１】
2008522861.tif 000026
【図２２】
2008522861.tif 000027
【図２３】
2008522861.tif 000028
【図２４】
2008522861.tif 000029
【図２５】
2008522861.tif 000030
【図２６】
2008522861.tif 000031
【図２７】
2008522861.tif 000032
【図２８】
2008522861.tif 000033
【図２９】
2008522861.tif 000034
【図３０】
2008522861.tif 000035
【図３１】
2008522861.tif 000036
【図３２】
2008522861.tif 000037
【図３３】
2008522861.tif 000038
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
ページ幅印字ヘッドに沿って置かれ、使用中に前記ページ幅印字ヘッドを過ぎて輸送される印刷媒体にインクを配送するように配置された複数のノズルを有する前記ページ幅印字ヘッド用のキャッピング機構であって、
ａ）前記ページ幅印字ヘッドの長さに対応する長さを有し、ノズルをキャップする係合状態で前記ページ幅印字ヘッドに接触するように構成されたキャッピング部材と、
ｂ）前記キャッピング部材を支持するキャリアと、
ｃ）前記キャッピング部材が前記ページ幅印字ヘッドに対して離れて置かれる第１位置と前記キャッピング部材が前記ページ幅印字ヘッドに接触して置かれる第２位置との間で往復する前記キャリアの移動をもたらすように配置された作動機構と
を備え、
前記キャッピング部材は、前記キャリアにピボット式に取り付けられ、
前記第１位置と前記第２位置の間に位置する推移位置と、前記第２位置との間を、前記キャリアが往復移動する移動中に、該キャッピング部材は、前記キャリアに対し相対的にピボット回転するように配置されている、
キャッピング機構。
【請求項２】
前記作動機構が、キャッピング動作中に前記第１位置と前記第２位置との間でピボット式に前記キャリアを移動させるように配置される、請求項１に記載のキャッピング機構。
【請求項３】
前記キャリアが、第１ピボット軸を有するピボット要素によって支持体にピボット式に取り付けられ、
前記キャッピング部材が、
前記第１ピボット軸に平行に置かれ前記第１ピボット軸から間隔をおかれた第２ピボット軸、を有するピボット回転配置によって前記キャリアにピボット式に取り付けられる、請求項２に記載のキャッピング機構。
【請求項４】
前記キャッピング部材が、前記第２ピボット軸から半径方向に変位されたキャッピング要素を有し、前記キャッピング要素の前記第２ピボット軸からの前記半径方向の変位が、前記第１ピボット軸と前記第２ピボット軸との間隔に対し相対的に小さい、請求項３に記載のキャッピング機構。
【請求項５】
前記第１ピボット軸と前記第２ピボット軸との前記間隔が、前記第２ピボット軸からの前記キャッピング要素の前記半径方向の変位の３倍である、請求項４に記載のキャッピング機構。
【請求項６】
前記推移位置が、前記第１位置と前記第２位置との間隔に対し相対的に小さい距離だけ、前記第２位置から離隔している、請求項２に記載のキャッピング機構。
【請求項７】
前記第１位置と前記第２位置との間の前記キャリアの総ピボット移動に対する前記キャリアの推移的ピボット移動の比率が、１：１２から１：２０までの範囲内にある、請求項６に記載のキャッピング機構。
【請求項８】
前記キャッピング要素が、堅いチャネル形状の要素を備える、請求項４に記載のキャッピング機構。
【請求項９】
前記キャッピング要素が、エラストマ材料から形成されたリップを含む、請求項４に記載のキャッピング機構。
【請求項１０】
前記キャッピング要素が、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項８に記載のキャッピング機構。
【請求項１１】
前記キャッピング要素が、エラストマ材料から形成されたリップを含み、
前記リップが、前記キャッピング部材が前記第２位置にある時に印字ヘッドノズルの周辺に置かれるように構成され、前記リップが、前記キャリアが前記第１位置に置かれている時に前記キャリアの正面部分と係合するように配置され、これによって、前記キャッピング要素のくぼんだ部分が、含まれる湿気の消失および汚染材料の進入に対して効果的に閉じられる、請求項８に記載のキャッピング機構。
【請求項１２】
前記キャッピング部材には、
前記ページ幅印字ヘッドに接触し、これによって前記キャリアが前記推移位置から前記第２位置への推移的移動を行う時に前記キャリアに対する相対的な前記キャッピング部材のピボット回転をもたらすように配置された少なくとも１つの第１止め部材
が設けられる、請求項２に記載のキャッピング機構。
【請求項１３】
前記キャッピング部材には、
前記キャリアに接触し、これによって前記キャリアが前記推移位置から前記第１位置へ移動する時に前記キャリアに対する相対的な前記キャップ部材のピボット回転を防ぐように配置された少なくとも１つの第２止め部材
が設けられる、請求項２に記載のキャッピング機構。
【請求項１４】
前記キャッピング部材が、前記キャリアの末端エッジ部分に沿って延びるピボットシャフトによって前記キャリアにピボット式に取り付けられる、請求項３に記載のキャッピング機構。
【請求項１５】
バイアシングデバイスが、前記キャッピング部材に取り付けられ、前記ページ幅印字ヘッドとの間でノズルをキャップする係合状態から離れる方向に前記キャッピング部材を偏らせる形で、前記キャリアと係合している、請求項３に記載のキャッピング機構。
【請求項１６】
前記バイアシングデバイスが、ねじりばねを備える、請求項１５に記載のキャッピング機構。
【国際調査報告】
2008522861.tif 000039
2008522861.tif 000040
2008522861.tif 000041
2008522861.tif 000042
2008522861.tif 000043